(57)【要約】【課題】異常報知を良好に行うことができる遊技機を提供すること。【解決手段】スロットマシンは、主制御装置７１を備えており、当該主制御装置７１では遊技を進行させるための各種処理が実行されるとともに、スロットマシン自身に動作電力が供給されている状況において所定の監視が行われる。そして、主制御装置７１において監視対象の事象の発生が特定された場合には、副側ＭＰＵ８５による報知制御に基づいて演出用表示装置６３等にて異常報知が実行される。また、スロットマシンは、監視側ＭＰＵ９１を備えており、当該監視側ＭＰＵ９１ではスロットマシン自身に動作電力が供給されていない状況においても所定の監視が行われる。そして、監視側ＭＰＵ９１において監視対象の事象の発生が特定された場合には、報知用装置１１１にて異常報知が実行される。また、当該異常報知は解除条件が成立するまで再報知が実行される。【選択図】      図１１
2010005175.tif 000002
【特許請求の範囲】
【請求項１】
予め定められた監視対象の事象が発生しているか否かを監視する監視実行手段と、
当該監視実行手段により前記監視対象の事象が発生していると特定された場合に要報知情報を記憶する要報知情報記憶手段と、
当該要報知情報記憶手段に前記要報知情報が記憶されていることに基づいて、報知手段において予め定められた特別報知が実行されるようにする報知実行手段と、
を備え、
当該報知実行手段は、
前記要報知情報記憶手段に前記要報知情報が記憶されていることに基づいて、前記特別報知を開始させる報知開始手段と、
予め定められた報知終了条件が成立したことに基づいて、前記特別報知を終了させる報知終了手段と、
を備え、
前記要報知情報記憶手段に前記要報知情報が記憶された場合、当該要報知情報が記憶されていることに対する前記特別報知は、前記報知終了手段による終了対象に一旦なったとしても、予め定められた報知開始条件が成立した場合に再度開始されるよう構成されていることを特徴とする遊技機。
【請求項２】
予め定められた監視対象の事象が発生しているか否かを監視する監視実行手段と、
当該監視実行手段により前記監視対象の事象が発生していると特定された場合に要報知情報を記憶する要報知情報記憶手段と、
当該要報知情報記憶手段に前記要報知情報が記憶されていることに基づいて、報知手段において予め定められた特別報知が実行されるようにする報知実行手段と、
を備え、
当該報知実行手段は、
前記要報知情報記憶手段に前記要報知情報が記憶されていることに基づいて、前記特別報知を開始させる報知開始手段と、
予め定められた報知終了条件が成立したことに基づいて、前記特別報知を終了させる報知終了手段と、
を備え、
前記要報知情報記憶手段に前記要報知情報が記憶された場合、当該要報知情報が記憶されていることに対する前記特別報知は、前記報知終了手段による終了対象に一旦なったとしても、予め定められた解除条件が成立するまでは予め定められた報知開始条件が成立する度に再度開始されるよう構成されていることを特徴とする遊技機。
【請求項３】
前記特別報知を終了させる場合に終了情報を受け付ける終了受付手段を備え、
前記報知終了手段は、前記終了受付手段にて前記終了情報を受け付けた場合に前記報知終了条件が成立しているとして前記特別報知を終了させるものであることを特徴とする請求項２に記載の遊技機。
【請求項４】
前記報知実行手段は、
予め定められた解除許容状況において前記特別報知が実行されている場合に前記報知終了条件が成立することで、前記解除条件が成立していると判定する解除条件成立判定手段と、
当該解除条件成立判定手段により前記解除条件が成立していると判定されたことに基づいて、それまで報知対象となっていた前記要報知情報をその後に前記報知開始条件が成立したとしても報知対象とならないようにする報知対象解除手段と、
を備えていることを特徴とする請求項２又は３に記載の遊技機。
【請求項５】
前記解除許容状況は、前記要報知情報記憶手段に前記要報知情報が記憶されてから所定期間が経過している状況又は当該要報知情報に係る事象が発生してから所定期間が経過している状況のことであることを特徴とする請求項４に記載の遊技機。
【請求項６】
前記監視実行手段における監視対象の事象は複数種類設定されており、
前記要報知情報記憶手段は複数の記憶領域を備えており、それら複数の記憶領域のそれぞれには、前記要報知情報として、所定の監視期間において前記監視実行手段により発生が特定された事象の種類の情報を含む情報が順次記憶される構成であり、
前記報知開始手段は、前記要報知情報記憶手段に複数種類の事象に関して報知対象の要報知情報が記憶されている場合には、前記報知開始条件が成立する度に、それら要報知情報に対応した全ての種類の事象についてそれら事象の種類の内容が分かる態様で前記特別報知を開始させるものであり、
前記報知対象解除手段は、前記要報知情報記憶手段に報知対象の要報知情報が記憶されている状況において前記監視実行手段により前記監視対象の事象の発生が新たに特定されて前記要報知情報記憶手段に新たな要報知情報が記憶された場合、当該新たな要報知情報が前記要報知情報記憶手段に記憶されてから所定期間が経過した状態で又は当該新たな要報知情報に係る事象が発生してから所定期間が経過した状態で当該新たな要報知情報が報知対象とならないように設定するまでは、既に記憶されていた報知対象の前記要報知情報を報知対象として維持するものであることを特徴とする請求項４又は５に記載の遊技機。
【請求項７】
前記解除条件を変更可能な解除条件変更手段を備えていることを特徴とする請求項２乃至６のいずれか１に記載の遊技機。
【請求項８】
前記解除条件変更手段は、前記要報知情報記憶手段に前記要報知情報が記憶されている状況においては前記解除条件の変更を不可とするものであることを特徴とする請求項７に記載の遊技機。
【発明の詳細な説明】
【技術分野】
【０００１】
本発明は、遊技機に関するものである。
【背景技術】
【０００２】
遊技機の一種であるスロットマシンとして、制御装置によって所定の事象が発生しているか否かの監視を行い、所定の監視結果となった場合にはその旨の報知などを実行するものが知られている。かかる監視として、例えば特許文献１には、遊技の開始に際して投入されたメダルを検知する機能を有するセレクタに対して不正行為が行われているか否かを、遊技を統括管理するメインの制御装置において監視するとともに、不正行為が行われていることを認識した場合には異常報知を実行する構成が開示されている。このように異常報知が実行されることで、遊技ホールの管理者等は上記不正行為に対処することが可能となる。
【特許文献１】特開２００７−１９５９３８号公報
【発明の開示】
【発明が解決しようとする課題】
【０００３】
しかしながら、上記のように異常報知が実行される構成であったとしても、異常報知が開始された直後などに不正行為者によって当該異常報知が解除されてしまうと、かかる異常報知を遊技ホールの管理者が認識することができない。そうすると、上記異常報知を実行するようにした効果が消失してしまう。
【０００４】
なお、上記問題は、スロットマシンに限って発生するものではなく、他の遊技機にも同様に発生するものである。
【０００５】
本発明は、上記例示した事情等に鑑みてなされたものであり、異常報知を良好に行うことができる遊技機を提供することを目的とするものである。
【課題を解決するための手段】
【０００６】
以下、上記課題を解決するための手段について記載する。
【０００７】
請求項１記載の発明は、予め定められた監視対象の事象が発生しているか否かを監視する監視実行手段と、当該監視実行手段により前記監視対象の事象が発生していると特定された場合に要報知情報を記憶する要報知情報記憶手段と、当該要報知情報記憶手段に前記要報知情報が記憶されていることに基づいて、報知手段において予め定められた特別報知が実行されるようにする報知実行手段と、を備え、当該報知実行手段は、前記要報知情報記憶手段に前記要報知情報が記憶されていることに基づいて、前記特別報知を開始させる報知開始手段と、予め定められた報知終了条件が成立したことに基づいて、前記特別報知を終了させる報知終了手段と、を備え、前記要報知情報記憶手段に前記要報知情報が記憶された場合、当該要報知情報が記憶されていることに対する前記特別報知は、前記報知終了手段による終了対象に一旦なったとしても、予め定められた報知開始条件が成立した場合に再度開始されるよう構成されていることを特徴とする。
【０００８】
また、請求項２記載の発明は、予め定められた監視対象の事象が発生しているか否かを監視する監視実行手段と、当該監視実行手段により前記監視対象の事象が発生していると特定された場合に要報知情報を記憶する要報知情報記憶手段と、当該要報知情報記憶手段に前記要報知情報が記憶されていることに基づいて、報知手段において予め定められた特別報知が実行されるようにする報知実行手段と、を備え、当該報知実行手段は、前記要報知情報記憶手段に前記要報知情報が記憶されていることに基づいて、前記特別報知を開始させる報知開始手段と、予め定められた報知終了条件が成立したことに基づいて、前記特別報知を終了させる報知終了手段と、を備え、前記要報知情報記憶手段に前記要報知情報が記憶された場合、当該要報知情報が記憶されていることに対する前記特別報知は、前記報知終了手段による終了対象に一旦なったとしても、予め定められた解除条件が成立するまでは予め定められた報知開始条件が成立する度に再度開始されるよう構成されていることを特徴とする。
【発明の効果】
【０００９】
異常報知を良好に行うことができる。
【発明を実施するための最良の形態】
【００１０】
＜第１の実施の形態＞
以下、遊技機の一種である回胴式遊技機、具体的にはスロットマシンに適用した場合の一実施の形態を、図面に基づいて詳細に説明する。図１はスロットマシン１０の斜視図、図２はスロットマシン１０の前面扉１２を開いた状態の斜視図、図３は前面扉１２の背面図、図４は筐体１１の正面図である。
【００１１】
図１等に示すように、スロットマシン１０は、その外殻を形成する筐体１１を備えている。筐体１１は、木製板状に形成された天板１１ａ、底板１１ｂ、背板１１ｃ、左側板１１ｄ及び右側板１１ｅからなり、隣接する各板１１ａ〜１１ｅが接着等の固定手段によって固定されることにより、全体として前面を開放した箱状に形成されている。なお、各板１１ａ〜１１ｅは木製のパネルによって構成する以外に、合成樹脂製パネル又は金属製パネルによって構成してもよいし、合成樹脂材料又は金属材料によって一体の箱状に形成することによって構成してもよい。以上のように構成された筐体１１は、遊技ホールへの設置の際にいわゆる島設備に対し釘を打ち付ける等して取り付けられる。
【００１２】
筐体１１の前面側には、前面開閉扉としての前面扉１２が開閉可能に取り付けられている。前面扉１２は、左右の一方の側部において上下方向へ延びる開閉軸線を中心として回動可能に支持され、その回動によって筐体１１の前面開口部側を開放又は閉鎖することができるように構成されている。
【００１３】
前面扉１２は、その裏面に設けられた施錠装置１３によって開放不能な施錠状態とされる。また、前面扉１２の右端側上部には解錠操作部たるキーシリンダ１４が設けられている。キーシリンダ１４は施錠装置１３と一体化されており、キーシリンダ１４に対する所定のキー操作によって前記施錠状態が解除されるように構成されている。
【００１４】
ここで、本スロットマシン１０は、前面扉１２が開放状態又は閉鎖状態のいずれであるかを検出するための扉監視スイッチ１５，１６を備えている。
【００１５】
扉監視スイッチ１５，１６は、筐体１１の前面開口部の周縁に設けられており、電入中用扉監視スイッチ１５と電断中用扉監視スイッチ１６とからなる。電入中用扉監視スイッチ１５は、スロットマシン１０自身に動作電力が供給されている状況において前面扉１２の開放を監視する機能を有しており、後述する主制御装置７１と電気的に接続されている。一方、電断中用扉監視スイッチ１６は、前面扉１２の開放を２４時間常に監視する機能を有しており、後述する副制御装置８１と電気的に接続されている。
【００１６】
これら扉監視スイッチ１５，１６における検出の構成について詳細には、筐体１１の前面開口部から出没可能なピンを有しており、筐体１１に対して前面扉１２を閉鎖した状態ではピンが押し込まれて前面扉１２の閉鎖が検出され、筐体１１に対して前面扉１２を開放した状態ではピンが突出位置に戻って前面扉１２の開放が検出されるようになっている。そして、前面扉１２が開放状態の場合には接続対象の制御装置７１，８１との間の信号経路が遮断状態となることで当該制御装置７１，８１において扉閉鎖信号を受け取ることが不可となり、前面扉１２が閉鎖状態の場合には接続対象の制御装置７１，８１との間の信号経路が導通状態となることで当該制御装置７１，８１において扉閉鎖信号を受け取ることが可能となる。
【００１７】
なお、扉監視用検出手段は、上記扉監視スイッチ１５，１６に限定されることはなく、周知のセンサを用いてもよく、また前面扉１２が開放状態の場合にＨＩレベル信号又はＬＯＷレベル信号の一方を出力し、閉鎖状態の場合に他方を出力する構成としてもよい。
【００１８】
前面扉１２の中央部上寄りには、遊技者に遊技状態を報知する遊技パネル２０が設けられている。遊技パネル２０には、縦長の３つの表示窓部２１ａ，２１ｂ，２１ｃが横並びとなるように形成されている。表示窓部２１ａ，２１ｂ，２１ｃは透明又は半透明な材質により構成されており、各表示窓部２１ａ，２１ｂ，２１ｃを通じてスロットマシン１０の内部が視認可能な状態となっている。なお、各表示窓部２１ａ，２１ｂ，２１ｃを１つにまとめて共通の表示窓としてもよい。
【００１９】
図２に示すように、筐体１１は仕切り板２２によりその内部が上下２分割されており、仕切り板２２の上部には、可変表示手段を構成するリールユニット２３が取り付けられている。リールユニット２３は、周回体としてのリールを複数備えている。具体的には、円筒状（円環状）にそれぞれ形成された左リール２３ａ，中リール２３ｂ，右リール２３ｃを備えている。なお、各リール２３ａ，２３ｂ，２３ｃは少なくとも無端状ベルトとして構成されていればよく、円筒状（円環状）に限定されるものではない。
【００２０】
各リール２３ａ，２３ｂ，２３ｃは、その中心軸線が当該リールの回転軸線となるように回転可能に支持されている。各リール２３ａ，２３ｂ，２３ｃの回転軸線は略水平方向に延びる同一軸線上に配設され、それぞれのリール２３ａ，２３ｂ，２３ｃが各表示窓部２１ａ，２１ｂ，２１ｃと１対１で対応している。また、各リール２３ａ，２３ｂ，２３ｃの表面には、その周回方向に複数個、具体的には２１個の図柄が描かれている。各リール２３ａ，２３ｂ，２３ｃの表面の一部はそれぞれ対応する表示窓部２１ａ，２１ｂ，２１ｃを通じて視認可能な状態となっている。
【００２１】
ちなみに、これら各リール２３ａ，２３ｂ，２３ｃは、それぞれがステッピングモータに連結されており、各ステッピングモータの駆動により各リール２３ａ，２３ｂ，２３ｃが個別に回転駆動し得る構成となっている。この場合、各リール２３ａ，２３ｂ，２３ｃに対してはそれぞれリールインデックスセンサが設けられており、当該センサとステッピングモータへの駆動信号の出力数によって各リール２３ａ，２３ｂ，２３ｃの回転位置が把握される構成となっている。
【００２２】
各リール２３ａ，２３ｂ，２３ｃに付されている図柄として、再遊技図柄、「ベル」図柄や「スイカ」図柄といった小役図柄、「７」図柄といった当たり図柄がある。各表示窓部２１ａ，２１ｂ，２１ｃを介してスロットマシン１０前方から視認可能な領域には、複数の有効ラインが設定されており、これらのうちのいずれかの有効ライン上に再遊技図柄の組み合わせが停止することにより、再遊技入賞としてベット操作を要することなく次回の遊技を開始することができ、所定の小役図柄又は所定の小役図柄の組み合わせが停止することにより、小役入賞として所定数のメダルの払出が発生し、当たり図柄の組み合わせが停止することにより、移行入賞として遊技者にとって有利な当たり状態（特別遊技状態）に遊技状態が移行する。
【００２３】
なお、リールユニット２３の各リール２３ａ，２３ｂ，２３ｃは識別情報を可変表示する可変表示手段の一例であり、主表示部を構成する。但し、可変表示手段は、図柄を周方向に可変表示する構成であれば、これ以外の構成であってもよい。例えば、機械的なリール構成に代えて、液晶表示器、ドットマトリックス表示器等の電気的表示により識別情報を可変表示させるものを設けてもよい。
【００２４】
遊技パネル２０の下方左側には、図１に示すように、各リール２３ａ，２３ｂ，２３ｃを一斉（同時である必要はない）に回転開始させるために操作されるスタートレバー２４が設けられている。スタートレバー２４は、遊技者がゲームを開始するときに手で押し操作するレバーであり、手が離れたあと元の位置に自動復帰する。メダルが投入されているときにこのスタートレバー２４が操作されると、各リール２３ａ，２３ｂ，２３ｃが一斉に回転を始め、一の遊技回が開始される。
【００２５】
スタートレバー２４の右側には、回転している各リール２３ａ，２３ｂ，２３ｃを個別に停止させるために操作されるボタン状のストップスイッチ２５ａ，２５ｂ，２５ｃが設けられている。各ストップスイッチ２５ａ，２５ｂ，２５ｃは停止対象となるリール２３ａ，２３ｂ，２３ｃに対応する表示窓部２１ａ，２１ｂ，２１ｃの直下にそれぞれ配置されている。
【００２６】
表示窓部２１ａ，２１ｂ，２１ｃの下方右側には、遊技媒体としてのメダルを投入するための媒体投入部としてのメダル投入口２６が設けられている。メダル投入口２６から投入されたメダルは、前面扉１２の背面に設けられた通路切換手段としてのセレクタ３１によって貯留用通路３２又は排出用通路３３のいずれかへ導かれる。すなわち、セレクタ３１にはメダル通路切換ソレノイド３４が設けられ、そのメダル通路切換ソレノイド３４の非励磁時には排出用通路３３側とされ、励磁時には貯留用通路３２側に切り換えられるようになっている。貯留用通路３２に導かれたメダルは、筐体１１の内部に収納されたホッパ装置４１へと導かれる。この貯留用通路３２に導かれるメダルは、セレクタ３１に設けられた投入メダル検出センサにより検出される。一方、排出用通路３３に導かれたメダルは、前面扉１２の前面下部に設けられたメダル排出口３５からメダル受け皿３６へと導かれ、遊技者に返還される。
【００２７】
ここで、セレクタ３１は、図３に示すように、ネジ３７を用いて着脱自在な状態で設けられている。当該構成において、セレクタ３１が予め定められた設置箇所に配置されているか否かを検出するためのセレクタ監視スイッチ３８が設けられている。
【００２８】
セレクタ監視スイッチ３８は、前面扉１２の裏面部１２ａとセレクタ３１との間に設けられている。セレクタ監視スイッチ３８は、設置箇所からのセレクタ３１の取り外し方向への移動を２４時間常に監視する機能を有しており、副制御装置８１と電気的に接続されている。
【００２９】
セレクタ監視スイッチ３８における検出の構成について詳細には、セレクタ３１の設置箇所に対して出没可能なピンを有しており、設置箇所にセレクタ３１が配置されている状態ではピンが押し込まれてセレクタ３１の存在が検出され、設置箇所からセレクタ３１が取り外し方向に移動した場合にはピンが突出位置に戻ってセレクタ３１の移動が検出されるようになっている。そして、セレクタ３１が取り外し状態の場合には副制御装置８１との間の信号経路が遮断状態となることで当該副制御装置８１においてセレクタ検出信号を受け取ることが不可となり、セレクタ３１が設置状態の場合には副制御装置８１との間の信号経路が導通状態となることで当該副制御装置８１においてセレクタ検出信号を受け取ることが可能となる。
【００３０】
なお、セレクタ監視用検出手段は、上記セレクタ監視スイッチ３８に限定されることはなく、周知のセンサを用いてもよく、またセレクタ３１が取り外された状態の場合にＨＩレベル信号又はＬＯＷレベル信号の一方を出力し、設置状態の場合に他方を出力する構成としてもよい。また、前面扉１２の裏面部１２ａにセレクタ取付用ベース部材を設け、セレクタ３１は当該ベース部材にワンタッチで着脱自在とする構成としてもよい。この場合、セレクタ監視スイッチ３８は、セレクタ３１とセレクタ取付用ベース部材との間に設置される。
【００３１】
メダルを遊技者に付与する払出手段としてのホッパ装置４１は、図４に示すように、メダルを貯留する貯留タンク４２と、メダルを遊技者に払い出す払出装置４３とより構成されている。払出装置４３は、図示しないメダル払出用回転板を回転させることにより、排出用通路３３の中央右部に設けられた開口４４へメダルを排出し（図３参照）、排出用通路３３を介してメダル受け皿３６へメダルを払い出すようになっている。
【００３２】
ここで、ホッパ装置４１は、筐体１１の底板１１ｂ上において設置箇所からスロットマシン１０の前方に向けてスライド移動させることにより取り外し可能であるとともに、設置に際しては上記取り外しのときとは逆方向にスライド移動させることで設置箇所に保持される構成となっている。当該構成において、ホッパ装置４１が予め定められた設置箇所に配置されているか否かを検出するためのホッパ監視スイッチ４５が設けられている。
【００３３】
ホッパ監視スイッチ４５は、筐体１１の背板１１ｃとホッパ装置４１との間に設けられている。ホッパ監視スイッチ４５は、設置箇所からのホッパ装置４１の取り外し方向への移動を２４時間常に監視する機能を有しており、副制御装置８１と電気的に接続されている。
【００３４】
ホッパ監視スイッチ４５における検出の構成について詳細には、ホッパ装置４１の設置箇所に対して出没可能なピンを有しており、設置箇所にホッパ装置４１が配置されている状態ではピンが押し込まれてホッパ装置４１の存在が検出され、設置箇所からホッパ装置４１が取り外し方向に移動した場合にはピンが突出位置に戻ってホッパ装置４１の移動が検出されるようになっている。そして、ホッパ装置４１が取り外し状態の場合には副制御装置８１との間の信号経路が遮断状態となることで当該副制御装置８１においてホッパ検出信号を受け取ることが不可となり、ホッパ装置４１が設置状態の場合には副制御装置８１との間の信号経路が導通状態となることで当該副制御装置８１においてホッパ検出信号を受け取ることが可能となる。
【００３５】
なお、ホッパ監視用検出手段は、上記ホッパ監視スイッチ４５に限定されることはなく、周知のセンサを用いてもよく、またホッパ装置４１が取り外された状態の場合にＨＩレベル信号又はＬＯＷレベル信号の一方を出力し、設置状態の場合に他方を出力する構成としてもよい。
【００３６】
スタートレバー２４の左側には、図１に示すように、ボタン状の精算スイッチ５１が設けられている。すなわち、本スロットマシン１０では、所定の最大値（メダル５０枚分）となるまでの余剰の投入メダルや入賞時の獲得メダルを仮想メダル（仮想遊技媒体）として貯留記憶するクレジット機能を有しており、仮想メダルが貯留記憶されている状態で精算スイッチ５１が押下操作されることで、仮想メダルが現実のメダルとして払い出される。この場合、クレジットされた仮想メダルを現実のメダルとして払い出すという機能に着目すれば、精算スイッチ５１は貯留記憶された遊技価値を実際に払い出すための精算操作手段を構成するものともいえる。
【００３７】
表示窓部２１ａ，２１ｂ，２１ｃの下方左側には、貯留記憶されている仮想遊技媒体としての仮想メダルを一度に３枚投入するためのボタン状の第１クレジット投入スイッチ５２が設けられている。また、第１クレジット投入スイッチ５２の左方には、第２クレジット投入スイッチ５３及び第３クレジット投入スイッチ５４が設けられている。第２クレジット投入スイッチ５３はクレジットされた仮想メダルを一度に２枚投入するためのものであり、第３クレジット投入スイッチ５４は仮想メダルを１枚投入するためのものである。
【００３８】
遊技パネル２０の表示窓部２１ａ，２１ｂ，２１ｃの下方には、貯留記憶された仮想メダル数を表示するクレジット表示部５５と、ＢＢゲームが終了するまでに払い出される残りのメダル数を表示する残払出枚数表示部５６と、入賞時に獲得したメダルの枚数を表示する獲得枚数表示部５７とがそれぞれ設けられている。これら表示部５５〜５７は７セグメント表示器によって構成されているが、液晶表示器等によって代替することは当然可能である。
【００３９】
ここで、メダルがベットされる手順について説明する。遊技の開始時にメダル投入口２６からメダルが投入されるとベットとなる。
【００４０】
すなわち、１枚目のメダルがメダル投入口２６に投入されるとベット数が「１」となり、２枚目のメダルがメダル投入口２６に投入されるとベット数が「２」となり、３枚目のメダルがメダル投入口２６に投入されると、ベット数が「３」となる。また、４枚以上のメダルがメダル投入口２６に投入されると、３枚を超える余剰メダルは、そのときに貯留記憶されている仮想メダルが５０枚未満であれば、スロットマシン１０内部に貯留されると共にクレジット表示部５５の仮想メダル数が加算表示される。一方、仮想メダル数が５０枚のとき又は５０枚に達したときには、セレクタ３１により貯留用通路３２から排出用通路３３への切換がなされ、メダル排出口３５からメダル受け皿３６へと余剰メダルが返却される。
【００４１】
また、クレジット表示部５５に貯留枚数が表示されている場合には、第１〜第３クレジット投入スイッチ５２〜５４のいずれかが押された際にも仮想メダルが投入されたこととなりベットとなる。第３クレジット投入スイッチ５４が押された際には、仮想メダルが１枚投入されたこととしてクレジット表示部５５に表示されている数値が１減算されるとともにベット数が「１」となり、第２クレジット投入スイッチ５３が押された際には、仮想メダルが２枚投入されたこととしてクレジット表示部５５に表示されている数値が２減算されるとともにベット数が「２」となり、第１クレジット投入スイッチ５２が押された際には、仮想メダルが３枚投入されたこととしてクレジット表示部５５に表示されている数値が３減算されるとともにベット数が「３」となる。
【００４２】
なお、本スロットマシン１０では、当否抽選における所定の当選役（例えば、当たり当選役）の当選確率がベット数が多くなるほど高くなるよう構成されているとともに、有効ラインの数や入賞時の払出数はベット数に依存しないよう構成されているが、これに限定されることはなく、当選確率が依存しない構成としてもよく、有効ラインの数又は払出数の少なくとも一方がベット数に依存して変動する構成としてもよい。
【００４３】
前面扉１２の上部には、図１に示すように、遊技の進行に伴い点灯したり点滅したりする発光部６１と、遊技の進行に伴い種々の効果音を鳴らしたり、遊技者に遊技状態を報知したりする左右一対のスピーカ部６２と、表示画面における画像の表示により、遊技者に各種情報を与えるとともに遊技の進行に伴って各種表示演出を実行する演出用表示装置６３とが設けられている。演出用表示装置６３は、表示内容の多様化及び表示演出の重厚化を意図して液晶表示器によって構成されているが、ドットマトリックス表示器等の他の表示器を使用してもよい。
【００４４】
筐体１１の内部においてホッパ装置４１の左方には、図２に示すように、電源ボックス６４が設けられている。電源ボックス６４は、電源スイッチ６５やリセットスイッチ６６などを備えている。電源スイッチ６５は、主制御装置７１を始めとする各部に電源を供給するための起動スイッチである。リセットスイッチ６６は、スロットマシン１０の所定の異常状態をリセットするためのスイッチである。
【００４５】
リールユニット２３の上方には、図４に示すように、主制御装置７１が設けられている。主制御装置７１は、台座７２を介して筐体１１の背板１１ｃに固定されているが、固定箇所はここに限定されない。主制御装置７１は、主制御基板を具備しており、当該主制御基板が透明樹脂材料等よりなる被包手段としての基板ボックス７３に収容されて構成されている。基板ボックス７３は、略直方体形状のボックスベースと該ボックスベースの開口部を覆うボックスカバーとを備えている。これらボックスベースとボックスカバーとは封印手段としての封印ユニットによって開封不能に連結され、これにより基板ボックスが封印されている。
【００４６】
主制御装置７１の基板ボックス７３には、当該基板ボックス７３外部からの設定キーの挿入を可能とした状態で設定キー挿入部７４が設けられている。本スロットマシン１０では当否抽選における所定の役の当選確率が予め複数段階設定されており、遊技ホールの管理者等が設定キーを設定キー挿入部７４へ挿入して当該設定キーをＯＮ側に向けて回動操作することにより、当該当選確率を上記複数段階のうち所定の段階に設定することが可能な状態となる。
【００４７】
ここで、主制御装置７１は、台座７２に対して係合部材７５を介して固定されており、当該係合部材７５の係合状態を解除することで当該台座７２から取り外し可能であるとともに、再度係合させることにより台座７２に固定させることができる構成となっている。換言すれば、主制御装置７１は、台座７２に対して着脱自在な状態で設けられている。当該構成において、主制御装置７１が予め定められた設置箇所に配置されているか否かを検出するための主制御装置監視スイッチ７６を備えている。
【００４８】
主制御装置監視スイッチ７６は、台座７２と主制御装置７１との間に設けられている。主制御装置監視スイッチ７６は、台座７２からの主制御装置７１の取り外し方向への移動を２４時間常に監視する機能を有しており、副制御装置８１と電気的に接続されている。
【００４９】
主制御装置監視スイッチ７６における検出の構成について詳細には、台座７２の表面から出没可能なピンを有しており、台座７２に主制御装置７１が配置されている状態ではピンが押し込まれて主制御装置７１の存在が検出され、台座７２から主制御装置７１が取り外し方向に移動した場合にはピンが突出位置に戻って主制御装置７１の移動が検出されるようになっている。そして、主制御装置７１が取り外し状態の場合には副制御装置８１との間の信号経路が遮断状態となることで当該副制御装置８１において主制御装置検出信号を受け取ることが不可となり、主制御装置７１が設置状態の場合には副制御装置８１との間の信号経路が導通状態となることで当該副制御装置８１において主制御装置検出信号を受け取ることが可能となる。
【００５０】
なお、主制御装置監視用検出手段は、上記主制御装置監視スイッチ７６に限定されることはなく、周知のセンサを用いてもよく、また主制御装置７１が取り外された状態の場合にＨＩレベル信号又はＬＯＷレベル信号の一方を出力し、設置状態の場合に他方を出力する構成としてもよい。
【００５１】
＜副制御装置８１の構成＞
主制御装置７１及びリールユニット２３の横方には、副制御装置８１が設けられている。副制御装置８１の構成について図５及び図６を用いて詳細に説明する。図５は副制御装置８１の構成を示す斜視図、図６は副制御装置８１の構成を示す分解斜視図である。
【００５２】
図６に示すように、副制御装置８１は、副制御基板８２と、監視制御基板８３と、基板ボックス８４と、を備えており、当該基板ボックス８４内に副制御基板８２及び監視制御基板８３が収容されている。
【００５３】
副制御基板８２には、発光部６１、スピーカ部６２及び演出用表示装置６３において所定の報知や遊技状況に応じた演出を実行するための素子としてＭＰＵ８５が搭載されている。また、副制御基板８２には、ＭＰＵ８５以外にも、入出力ドライバ用ＩＣチップ８６が搭載されているとともに、コンデンサからなる電断中用電源部８７が搭載されており、さらには複数のコネクタ８８が搭載されている。なお、副制御基板８２には、上記各部材の他にも、抵抗などの各種素子が搭載されているとともに、配線パターンが形成されている。
【００５４】
副制御基板８２においてＭＰＵ８５等の各種素子及びコネクタは全て同一の板面上に搭載されており、逆側の板面にて半田付けされている。つまり、副制御基板８２は、一方の板面が素子搭載面８２ａとなっており、他方の板面が半田面となっている。
【００５５】
監視制御基板８３にはＭＰＵ９１が搭載されている。ＭＰＵ９１は、当該ＭＰＵ９１自身に動作電力が供給されている状況において、所定の異常が発生しているか否かを監視するための素子である。かかる監視に際しては、電断中用扉監視スイッチ１６、セレクタ監視スイッチ３８、ホッパ監視スイッチ４５及び主制御装置監視スイッチ７６などにおける検出結果が用いられる。監視の内容の詳細については後に説明する。また、監視制御基板８３には、ＭＰＵ９１以外にも、入出力ドライバ用ＩＣチップ９２が搭載されているとともに、Ｌｉ２次電池からなる電断中用電源部９３が搭載されており、さらには単一の監視側コネクタ９４が搭載されている。なお、監視制御基板８３には、上記各部材の他にも、抵抗などの各種素子が搭載されているとともに、配線パターンが形成されている。
【００５６】
監視制御基板８３においてＭＰＵ９１の各種素子及びコネクタは、副制御基板８２と同様に、全て同一の板面上に搭載されており、逆側の板面にて半田付けされている。つまり、監視制御基板８３は、一方の板面が素子搭載面８３ａとなっており、他方の板面が半田面となっている。
【００５７】
なお、副制御基板８２及び監視制御基板８３において半田面とは、素子搭載面８２ａ，８３ａに搭載される各種素子の半田付け部分が設けられた面であるが、当該半田面に対して回路パターンが形成されていてもよい。また、副制御基板８２及び監視制御基板８３は上記のように片面基板に限定されることはなく、両板面が素子搭載面となった両面基板としてもよい。
【００５８】
副制御基板８２と監視制御基板８３とは電気的に接続されている。但し、当該電気的な接続は、信号線を介するのではなく、副制御基板８２に設けられた副側基板用接続部としての副側コネクタ８８ａと監視制御基板８３に設けられた監視側基板用接続部としての監視側コネクタ９４とが直接結合されていることにより行われている。
【００５９】
詳細には、副側コネクタ８８ａは副制御基板８２の一辺に設けられているとともに、監視側コネクタ９４は監視制御基板８３の一辺に設けられている。そして、副側コネクタ８８ａにおいて上記一辺よりも外側に突出させて形成された突条端子部が、監視側コネクタ９４において基板面と平行となる方向であって外側に向けて開放させて形成された溝部に差し込まれることで、両制御基板８２，８３の電気的な接続が行われている。
【００６０】
副側コネクタ８８ａ及び監視側コネクタ９４はそれぞれ設置対象の制御基板８２，８３における素子搭載面８２ａ，８３ａに配置されており、両コネクタ８８ａ，９４が接続されている状態において、両制御基板８２，８３の一辺同士が相互に外側から接触しているとともに、各素子搭載面８２ａ，８３ａが面一となっている。つまり、副制御基板８２及び監視制御基板８３は、両者が電気的に接続されている状態において、少なくともＭＰＵ８５，９１が搭載されている素子搭載面８２ａ，８３ａの向きが同一方向となっている。
【００６１】
ここで、副制御基板８２には上記副側コネクタ８８ａ以外にも信号線を接続するための信号線用接続部としての信号線用コネクタ８８ｂが複数設けられているが、監視制御基板８３には上記監視側コネクタ９４以外に外部機器との電気的な接続を行うためのコネクタは設けられていない。但し、上記のとおり監視制御基板８３に搭載されたＭＰＵ９１は、各種監視スイッチ１６，３８，４５，７６を含め副制御基板８２以外の外部機器と電気的に接続されている必要がある。かかる外部機器は、副制御基板８２に設けられた信号線用コネクタ８８ｂに対して信号線を用いて接続されているとともに、当該副制御基板８２に形成された回路パターン、上記副側コネクタ８８ａ及び上記監視側コネクタ９４を介して監視制御基板８３と電気的に接続されている。
【００６２】
上記両制御基板８２，８３を収容する基板ボックス８４は、複数のボックス構成体として、裏側構成体（ボックスベース）１０１と、表側構成体（ボックスカバー）１０２と、を備えている。これら裏側構成体１０１及び表側構成体１０２は、基板ボックス８４内に収容された副制御基板８２及び監視制御基板８３を基板ボックス８４外から視認可能なように透明性を有する材料により形成されている。具体的には、無色透明のポリカーボネート樹脂により形成されているが、これに限定されることはなく、アクリル樹脂等であってもよく、さらには有色透明であってもよい。
【００６３】
表側構成体１０２は、一方に開放された略直方体状をなしており、膨出側の表面部には膨出部１０３を有しているとともに当該膨出部１０３よりも開放側となった低位部１０４を有している。低位部１０４には、副制御基板８２に設けられた複数の信号線用コネクタ８８ｂに１対１で対応させて開口部１０５が複数形成されている。これら複数の開口部１０５から各信号線用コネクタ８８ｂが表側構成体１０２の表面側に露出するようにして表側構成体１０２の裏面側にユニット化された副制御基板８２及び監視制御基板８３が配置され、その状態で表側構成体１０２に対して副制御基板８２及び監視制御基板８３がこれらの半田面側からネジ固定されている。当該ネジ固定は、固定及び固定解除を繰り返し行えるようになされているが、ワンウェイネジなどを用いることで固定解除に際して表側構成体１０２などの破壊を要する構成としてもよい。
【００６４】
ユニット化された副制御基板８２及び監視制御基板８３が固定された表側構成体１０２に対して裏側構成体１０１が組み合わされている。裏側構成体１０１は、正面視で方形状、具体的には長方形状をなす略板状に形成されており、平面状に形成された平面部１０６と、当該平面部１０６の周縁を囲むようにして形成された裏側周縁部１０７とが一体形成されてなる。裏側周縁部１０７には表側構成体１０２に向けて突出するように係止部１０８が一体形成されており、表側構成体１０２に裏側構成体１０１が組み合わされた状態では係止部１０８が表側構成体１０２に係止されて両構成体１０１，１０２の分離が規制されている。
【００６５】
両構成体１０１，１０２に対しては、上記係止部１０８以外にも固定手段が付与されており、当該固定手段によって両構成体１０１，１０２の分離に際していずれかの構成体に破壊が生じるように構成されている。具体的には、両構成体１０１，１０２が組み合わされた状態において表側構成体１０２の開放側の周縁部と裏側周縁部１０７との間に、基板ボックス８４の全側面に亘って一連の重なり部が生じるように構成されているとともに、当該重なり部には周知の接着剤が塗布されている。
【００６６】
また、図５に示すように、基板ボックス８４の四隅には、表側構成体１０２及び裏側構成体１０１を結合するようにして表側構成体１０２側から破断ネジ１０９が螺着されている。ここで、破断ネジ１０９とは、ドライバなどの工具に先端を差込可能な頭部とネジ溝が形成された側との連結部分の強度が低く設定されたものであり、それ以上締めることができない位置において頭部に対して上記工具によりさらに所定の力を加えることにより、上記連結部分が切断され、頭部が分離されるものである。つまり、破断ネジ１０９は、螺着後において、上記工具を用いて緩める方向へ回転させることを不可とするものである。なお、螺着後において表側構成体１０２及び裏側構成体１０１の結合を緩めることができないようにすることができるのであれば、破断ネジに代えて周知のワンウェイネジを用いてもよい。
【００６７】
ちなみに、両構成体１０１，１０２を固定する上での構成は上記のものに限定されることはなく、例えば周知のカシメ構造を用いてもよい。この場合、カシメ構造を実現する結合部を複数設け、一部の結合部を結合状態とすることで両構成体１０１，１０２の固定を行い、当該結合部又はその周辺の破壊を行うことで両構成体１０１，１０２の固定を解除した後は、他の結合部を結合状態とすることで両構成体１０１，１０２を再度固定することができる構成としてもよい。また、接着剤による固定、破壊を要さない状態での取り外しが不可となる固定具を用いた固定及びカシメ構造を用いた固定のいずれか１つ又は任意の組み合わせを適用してもよい。
【００６８】
また、上記固定の構成に代えて又は加えて、両構成体１０１，１０２の境界部分を跨ぐようにして分離痕跡用部材（又は分離痕跡用シール）としての封印シールを貼り付ける構成としてもよい。当該封印シールは、貼付後において基板ボックス８４から剥がす際に粘着剤層が基板ボックス８４に残り、当該粘着剤層に付与された模様などによって基板ボックス８４に痕跡を残すものである。また、両構成体１０１，１０２を締結するようにしてインシュロックなどの合成樹脂製の締結バンドを設ける構成としてもよい。これら封印シールや締結バンドを採用するという点に着目すれば、基板ボックス８４に対しては少なくとも両構成体１０１，１０２の分離開放に際してその痕跡を残す手段が設けられていればよい。なお、封印シールとして、所定のスキャナからの呼出波に応答して、固有のＩＤ情報を含む応答波を発信するＩＣタグを有するものを用いてもよい。
【００６９】
裏側構成体１０１及び表側構成体１０２が上記のように組み合わされた状態において相互に固定されていることにより、図５に示すように、所定の内部空間を有する略直方体形状の基板ボックス８４が形成されており、当該基板ボックス８４の内部空間内にユニット化された副制御基板８２及び監視制御基板８３が収容されている。この場合、副制御基板８２及び監視制御基板８３の素子搭載面８２ａ，８３ａはその全体が表側構成体１０２と対向しており、副制御基板８２及び監視制御基板８３の半田面はその全体が裏側構成体１０１と対向している。
【００７０】
上記構成の副制御装置８１は、図２に示すように、表側構成体１０２の表面が筐体１１の内部側を向き、裏側構成体１０１の表面が筐体１１の左側板１１ｄを向くようにして搭載されている。この場合、前面扉１２を開放することにより、スロットマシン１０の前方から表側構成体１０２が視認可能となり、さらに当該表側構成体１０２が上記のとおり無色透明に形成されていることにより、この状態で副制御基板８２におけるＭＰＵ８５を含めた素子搭載面８２ａ及び監視制御基板８３におけるＭＰＵ９１を含めた素子搭載面８３ａが視認可能となる。
【００７１】
副制御装置８１は、前面扉１２に設けられた発光部６１、スピーカ部６２及び演出用表示装置６３と電気的に接続されている。これらの機器は、副制御基板８２によって駆動制御される。また、副制御装置８１は、上記機器以外にも報知用装置１１１と電気的に接続されている。
【００７２】
＜報知用装置１１１の構成＞
ここで、報知用装置１１１について説明する。報知用装置１１１は、図２及び図３に示すように、前面扉１２の裏面に固定された扉側中継基板１１２に搭載されている。
【００７３】
報知用装置１１１は、図３に示すように、表示画面１１３を有する表示装置を備えており、当該表示画面１１３は、所定数（例えば、１６個）の文字を横並びで表示可能な領域が上下２段となるように形成されているが、かかる表示画面１１３の構成は任意である。ちなみに、表示装置は液晶表示装置からなるが、これに限定されることはなく、セグメント表示装置など他の表示装置を用いることができる。
【００７４】
また、報知用装置１１１には、遊技ホールの管理者などが手動操作することが可能な操作部としてボタン状の決定操作部１１４と選択操作部１１５とが設けられている。報知用装置１１１は、副制御装置８１における監視制御基板８３と電気的に接続されており、当該監視制御基板８３のＭＰＵ９１における表示制御に基づいて、報知用装置１１１の表示画面１１３では決定操作部１１４や選択操作部１１５の操作に応じた画像などが表示される。かかる表示内容については、後に説明する。
【００７５】
報知用装置１１１は、表示画面１１３、決定操作部１１４及び選択操作部１１５が設けられた表面が筐体１１側を向くようにして扉側中継基板１１２に搭載されている。したがって、前面扉１２が閉鎖状態においては前面扉１２及び筐体１１により形成されるスロットマシン１０の内部空間内に報知用装置１１１が配置されることで表示画面１１３の視認が不可となるとともに各操作部１１４，１１５の操作が不可となるものの、前面扉１２を開放状態とすることで表示画面１１３の視認が可能となるとともに各操作部１１４，１１５の操作が可能となる。
【００７６】
＜スロットマシン１０の基本的な電気的構成＞
次に、本スロットマシン１０の基本的な電気的構成について、図７のブロック図に基づいて説明する。
【００７７】
主制御装置７１に設けられた主制御基板１２１には、スロットマシン１０における主たる制御を実行するＭＰＵ１２２が搭載されている。ＭＰＵ１２２には、当該ＭＰＵ１２２により実行される各種の制御プログラムや固定値データを記憶したＲＯＭ１２３と、そのＲＯＭ１２３内に記憶される制御プログラムの実行に際して各種のデータ等を一時的に記憶するためのメモリであるＲＡＭ１２４と、割込み回路やタイマ回路、データ入出力回路などの各種回路が内蔵されている。なお、ＭＰＵ１２２のうち、論理演算を行うための機能と、ＲＯＭ１２３の機能と、ＲＡＭ１２４の機能とがそれぞれ別の素子として設けられた構成としてもよい。これは後述する他のＭＰＵについても同様である。
【００７８】
ＭＰＵ１２２には、電源ボックス６４の内部に設けられた電源装置１２５が接続されている。電源装置１２５には、主制御装置７１を始めとしてスロットマシン１０の各機器に駆動電源を供給する電源部や、電源の遮断状態を監視する停電監視回路などが搭載されている。電源部からは直流５Ｖの電源（動作電力）が供給される。また、停電監視回路からの停電信号はＭＰＵ１２２のＮＭＩ端子（ノンマスカブル割込端子）に入力されるように構成されており、ＮＭＩ端子に停電信号が入力されることにより、停電フラグ生成処理としてのＮＭＩ割込み処理が即座に実行される。なお、当該停電信号は電源ボックス６４の電源スイッチ６５がＯＦＦ操作された際も生成される。
【００７９】
かかる停電用の構成は主制御基板１２１に対しても設けられている。つまり、主制御基板１２１にはバックアップコンデンサなどからなる電断中用電源部１２６が搭載されている。電源装置１２５から主制御基板１２１に動作電力が供給されている間は当該電断中用電源部１２６が充電され、スロットマシン１０の電源遮断中においては電断中用電源部１２６から放電された動作電力がＲＡＭ１２４に供給される。これにより、スロットマシン１０の電源遮断中においても、電断中用電源部１２６からＲＡＭ１２４に動作電力が供給されている間は、当該ＲＡＭ１２４においてデータが記憶保持される。なお、電断中用電源部１２６を電源装置１２５に搭載するようにしてもよい。
【００８０】
ＭＰＵ１２２には、入出力ポートが設けられている。ＭＰＵ１２２の入力側には、スタートレバー２４の操作を検出するスタート検出センサ１３１、各ストップスイッチ２５ａ，２５ｂ，２５ｃの操作を個別に検出するストップ検出センサ１３２ａ，１３２ｂ，１３２ｃ、メダル投入口２６から投入されたメダルを検出する投入メダル検出センサ１３３、各クレジット投入スイッチ５２，５３，５４の操作を個別に検出するクレジット投入検出センサ１３４ａ，１３４ｂ，１３４ｃ、精算スイッチ５１の操作を検出する精算検出センサ１３５、ホッパ装置４１から払い出されるメダルを検出する払出検出センサ１３６、リセットスイッチ６６の操作を検出するリセット検出センサ１３７、設定キー挿入部７４に設定キーが挿入されてＯＮ操作されたことを検出する設定キー検出センサ１３８等の各種センサが接続されているとともに、スロットマシン１０自身に動作電力が供給されている状況において前面扉１２の開放を監視する電入中用扉監視スイッチ１５が接続されている。これらセンサやスイッチからの信号は、入出力ポートを通じてＭＰＵ１２２にて受け取られる。
【００８１】
ＭＰＵ１２２の出力側には、前面扉１２に設けられた各種表示部５５〜５７、各リール２３ａ，２３ｂ，２３ｃを回転させるための各ステッピングモータ１３９ａ，１３９ｂ，１３９ｃ、セレクタ３１のメダル通路切換ソレノイド３４、ホッパ装置４１のホッパ駆動部１４０、副制御装置８１、図示しないホール管理装置などに情報を送信できる外部集中端子板１４１等が接続されている。入出力ポートを通じてＭＰＵ１２２から出力された信号は、信号の出力対象の機器にて受け取られる。
【００８２】
＜主制御基板１２１のＭＰＵ１２２にて実行される処理＞
次に、主制御基板１２１のＭＰＵ１２２により実行される各制御処理を図８〜図１０のフローチャートを参照しながら説明する。かかるＭＰＵ１２２の処理としては大別して、電源投入に伴い起動されるメイン処理と、定期的に（本スロットマシン１０では１．４９ｍｓｅｃ周期で）起動されるタイマ割込み処理とがあり、説明の便宜上、はじめにタイマ割込み処理を説明し、その後メイン処理を説明する。
【００８３】
図８はタイマ割込み処理の一例を示すフローチャートである。
【００８４】
タイマ割込み処理では、先ずステップＳ１０１にて、ＲＡＭ１２４に停電フラグが格納されているか否かを判定する。当該停電フラグは、ＭＰＵ１２２のＮＭＩ端子に電源装置１２５からの停電信号が入力されてＮＭＩ割込み処理が起動されることにより格納される。停電フラグが格納されている場合には、ステップＳ１０２にて停電時処理を実行する。停電時処理では、復電後において停電発生前の状態に復帰するための処理を実行する。
【００８５】
停電フラグが格納されていない場合には、ステップＳ１０３以降の各種処理を実行する。すなわち、ステップＳ１０３では、各リール２３ａ，２３ｂ，２３ｃを回転させるために、それぞれの回胴駆動モータであるステッピングモータ１３９ａ，１３９ｂ，１３９ｃを駆動させるステッピングモータ制御処理を実行する。
【００８６】
ステップＳ１０４では、入出力ポートに接続された各種センサ等の状態を読み込むセンサ監視処理を実行する。当該センサ監視処理の一の処理として、投入メダル検出センサ１３３の検出結果に基づいてメダル投入口２６からメダルが投入されたか否かが判定され、メダルが投入されている場合にはベット数を１加算する処理又はクレジット数を１加算する処理のいずれかを実行する。また、当該センサ監視処理の一の処理として、払出検出センサ１３６の検出結果に基づいてホッパ装置４１からメダルが払い出されたか否かが判定され、メダルが払い出されている場合にはそれに対応した処理を実行する。
【００８７】
ステップＳ１０５では、所定の異常が発生しているか否かを監視する異常監視処理を実行する。当該異常監視処理では、ホッパ装置４１における払出装置４３の駆動状態及び払出検出センサ１３６の検出結果に基づいて、ホッパ装置４１の貯留タンク４２にメダルが不足しているか否かを判定する。その結果、メダルが不足している場合には、ＲＡＭ１２４にメダル不足フラグを格納する。当該メダル不足フラグは貯留タンク４２にメダルが補充されて正常なメダルの払出動作が実行できる状態となるまで保持される。当該メダル不足フラグが格納されている状態では払出装置４３における払出動作が禁止されるようにホッパ駆動部１４０への駆動信号の出力を停止する。
【００８８】
また、メダルが不足している場合にはその旨の情報を含む主側報知開始コマンドをセットし、当該主側報知開始コマンドは後述するコマンド出力処理にて副制御装置８１に送信される。副制御装置８１における副制御基板８２のＭＰＵ８５では当該主側報知開始コマンドを受信することにより、スピーカ部６２や演出用表示装置６３を介してメダルが不足している旨の報知を実行する。また、メダル不足が解消された場合にはその旨の情報を含む主側報知解除コマンドをセットし、当該主側報知解除コマンドは後述するコマンド出力処理にて副制御装置８１に送信される。副制御基板８２のＭＰＵ８５では当該主側報知解除コマンドを受信することにより、メダル不足について行われている報知を終了させる。
【００８９】
また、異常監視処理では、上記メダル不足の監視以外にも、投入メダル検出センサ１３３の検出結果に基づいて、当該投入メダル検出センサ１３３に対する不正の有無も監視しており、当該センサ１３３に対する不正を特定した場合には、その旨の情報を含む主側報知開始コマンドをセットする。当該主側報知開始コマンドは後述するコマンド出力処理にて副制御装置８１に送信される。副制御装置８１における副制御基板８２のＭＰＵ８５では当該主側報知開始コマンドを受信することにより、スピーカ部６２や演出用表示装置６３を介して投入メダル検出センサ１３３に対して不正が行われた旨の報知を実行する。また、投入メダル検出センサ１３３の異常に対する報知解除操作、例えば、リセットスイッチ６６の操作などを検出した場合には、その旨の情報を含む主側報知解除コマンドをセットし、当該主側報知解除コマンドは後述するコマンド出力処理にて副制御装置８１に送信される。副制御基板８２のＭＰＵ８５では当該主側報知解除コマンドを受信することにより、投入メダル検出センサ１３３の異常について行われている報知を終了させる。
【００９０】
ステップＳ１０６では、扉開放監視処理を実行する。扉開放監視処理では、電入中用扉監視スイッチ１５の検出結果に基づいて前面扉１２が開放状態であるか否かを判定する。その結果、前面扉１２が開放状態である場合には、ＲＡＭ１２４に扉開放フラグを格納する。当該扉開放フラグは前面扉１２が閉鎖状態となるまで保持される。当該扉開放フラグが格納されている状態では、メダル投入口２６から投入されたメダルがメダル受け皿３６に排出されるようにセレクタ３１のメダル通路切換ソレノイド３４を駆動するとともに、払出装置４３における払出動作が禁止されるようにホッパ駆動部１４０への駆動信号の出力を停止する。また、前面扉１２が開放状態である場合には扉開放コマンドをセットし、当該扉開放コマンドは後述するコマンド出力処理にて副制御装置８１に送信される。副制御装置８１における副制御基板８２のＭＰＵ８５では当該扉開放コマンドを受信することにより、スピーカ部６２や演出用表示装置６３を介して前面扉１２が開放状態である旨の報知を実行する。
【００９１】
また、扉開放監視処理では、扉開放フラグが格納されている場合には前面扉１２が閉鎖状態であるか否かを監視し、閉鎖状態である場合には扉開放フラグを消去するとともに、扉閉鎖コマンドをセットする。当該扉閉鎖コマンドは後述するコマンド出力処理にて副制御装置８１に送信される。副制御装置８１における副制御基板８２のＭＰＵ８５では当該扉閉鎖コマンドを受信することにより、上記前面扉１２が開放状態である旨の報知を終了する。
【００９２】
続くステップＳ１０７では、メダルのベット数や、払い出し枚数をカウントした結果を外部集中端子板１４１へ出力するカウンタ処理を行う。また、ステップＳ１０８では、それまでにセットされているコマンドを出力するためのコマンド出力処理を実行する。その後、本タイマ割込み処理を終了する。なお、図示による説明は省略するが、タイマ割込み処理では上記各種処理以外にも、前面扉１２に設けられた各種表示部５５〜５７の表示内容の設定処理などを実行する。
【００９３】
図９は電源投入後に実行されるメイン処理を示すフローチャートである。メイン処理は、停電からの復旧や電源スイッチ６５のオン操作によって電源が投入された際に実行される。
【００９４】
先ずステップＳ２０１では、各種の初期化を実行するための初期化処理を実行する。続くステップＳ２０２では、設定キーが設定キー挿入部７４に挿入されてＯＮ操作されているか否か、より詳しくは設定キー検出センサ１３８からＯＮ信号を受信しているか否かを判定する。設定キーのＯＮ操作がなされている場合にはステップＳ２０３に進み、強制的ＲＡＭクリア処理としてＲＡＭ１２４に記憶されたデータを全てクリアする。続くステップＳ２０４では当選確率設定処理を行う。
【００９５】
当選確率設定処理は、スロットマシン１０において予め設定されている複数段階（例えば、６段階）の当選確率の中から一の当選確率を設定するための処理である。具体的には、リセットスイッチ６６が操作される度に複数段階の設定値をＭＰＵ１２２のレジスタ内において順次更新していくとともに、その更新結果をクレジット表示部５５に表示し、スタートレバー２４が操作されるとともに設定キーがＯＦＦ操作された場合に、その際にレジスタに記憶されている設定値をＲＡＭ１２４に保存する処理を実行する。ステップＳ２０４にて当選確率設定処理を実行した後には、ステップＳ２０５にて遊技に関する主要な制御を行うための通常処理を実行する。
【００９６】
一方、ステップＳ２０２にて設定キーが挿入されていないと判定した場合には、ステップＳ２０６に進む。ステップＳ２０６では設定値が正常か否かを判定する。設定値が正常である場合には、ステップＳ２０７にて停電フラグが格納されているか否かを判定する。停電フラグが格納されている場合には、さらにステップＳ２０８にてＲＡＭ判定値が正常であるか否かを確認する。ステップＳ２０８においてＲＡＭ判定値が正常であると判定した場合にはステップＳ２０９において復電用処理を実行する。復電用処理では、停電発生前の状態に復帰するための処理を実行する。その後、電源遮断前の番地に戻る。
【００９７】
一方、ステップＳ２０６〜ステップＳ２０８のいずれかがＮＯ、すなわち、設定値が異常である、電源遮断時にセットされる筈の停電フラグがセットされていない、又はＲＡＭ判定値が異常である場合には、ＲＡＭ１２４のデータが破壊された可能性が高い。このような場合には、ステップＳ２１０〜ステップＳ２１２に示す動作禁止処理を行う。動作禁止処理として、先ずステップＳ２１０にて次回のタイマ割込み処理を禁止し、ステップＳ２１１では入出力ポート内の全ての出力ポートをクリアすることにより、入出力ポートに接続された全てのアクチュエータをオフ状態に制御する。その後、ステップＳ２１２にてエラー報知処理を実行する。当該エラー報知処理では、ＲＡＭ異常コマンドを副制御装置８１に送信し、副制御装置８１では当該ＲＡＭ異常コマンドを受信することにより、スピーカ部６２や演出用表示装置６３を介してＲＡＭ異常が発生している旨の報知を実行する。かかる動作禁止状態は、上述した当選確率設定処理が行われるまで維持される。
【００９８】
次に、遊技に関わる主要な制御を行うための通常処理について図１０のフローチャートに基づき説明する。
【００９９】
ステップＳ３０１ではメダルがベットされているか否かを判定するとともに、ステップＳ３０２ではスタートレバー２４が操作されたか否かを判定する。メダルがベットされている状況でスタートレバー２４が操作されている場合には、ステップＳ３０３以降の１遊技回分の処理を実行する。
【０１００】
すなわち、ステップＳ３０３では抽選処理を実行する。抽選処理では、スタートレバー２４が操作されたタイミングで乱数カウンタよりラッチした乱数値と主制御基板１２１のＲＯＭ１２３に予め記憶されている抽選テーブルの情報とを照合することにより、所定の役に当選しているか否かを判定するとともに、所定の役に当選している場合にはその旨の情報をＲＡＭ１２４に記憶する。
【０１０１】
続くステップＳ３０４ではリール制御処理を実行する。リール制御処理では、各リール２３ａ，２３ｂ，２３ｃの回転を開始させるための回転開始処理を実行するとともに、ストップスイッチ２５ａ，２５ｂ，２５ｃのいずれかが操作されて停止指令が発生した場合には、その停止指令に対応したリールの停止処理を実行する。この停止に際しては、ステップＳ３０３の抽選処理において所定の役に当選している場合にはその当選している役に対応した図柄が有効ライン上に極力停止するようにリールの回転停止位置が設定されるとともに、当選していない役の入賞が成立しないようにリールの回転停止位置が設定される。
【０１０２】
続くステップＳ３０５ではメダル払出処理を実行する。メダル払出処理では、当選している払出対象役に対応した入賞が有効ライン上に成立しているか否かを判定し、入賞が成立している場合にはその入賞に対応した数のメダルが払い出されるようにホッパ駆動部１４０を駆動させる処理を実行する。また、当該メダル払出処理では、再遊技入賞が成立しているか否かを判定し、再遊技入賞が成立している場合には今回の遊技回におけるベット数が次回の遊技回に継続されるようにするための処理を実行する。
【０１０３】
続くステップＳ３０６ではボーナスゲーム処理を実行する。ボーナスゲーム処理では、当選している当たり役に対応した入賞が有効ライン上に成立しているか否かを判定し、入賞が成立している場合には遊技状態を通常遊技状態から当たり状態（特別遊技状態）に移行させるための処理を実行する。ちなみに、当たり状態とは、通常遊技状態よりも単位時間当たりのメダルの払出期待度が高くなる遊技状態のことである。また、ボーナスゲーム処理では、当たり状態の終了条件が成立しているか否かを判定し、終了条件が成立している場合には、遊技状態を通常遊技状態に復帰させる。本スロットマシン１０では、上記終了条件は予め定められた終了基準数のメダルが払い出されることであるが、かかる終了条件は任意である。
【０１０４】
以上のステップＳ３０３〜ステップＳ３０６の各処理を実行した後に、ステップＳ３０１に戻る。
【０１０５】
＜異常の監視及び監視結果の報知に関する電気的構成＞
次に、本スロットマシン１０における異常の監視及び監視結果の報知に関する電気的構成について、図１１のブロック図に基づいて説明する。
【０１０６】
副制御装置８１に設けられた副制御基板８２には、発光部６１、スピーカ部６２及び演出用表示装置６３の制御を実行するＭＰＵ８５が搭載されている。ＭＰＵ８５には、当該ＭＰＵ８５により実行される各種の制御プログラムや固定値データを記憶したＲＯＭ１５１と、そのＲＯＭ１５１内に記憶される制御プログラムの実行に際して各種のデータ等を一時的に記憶するためのメモリであるＲＡＭ１５２と、割込み回路やタイマ回路、データ入出力回路などの各種回路が内蔵されている。
【０１０７】
ＭＰＵ８５には、電源装置１２５が接続されており、電源装置１２５の電源部から直流５Ｖの電源（動作電力）が供給される。当該動作電力は副制御基板８２に形成された配線パターンにおいて少なくとも２経路に分流されており、一方の経路はＭＰＵ８５のＶＣＣ端子に接続され、他方の経路はＭＰＵ８５のＶＢＢ端子に接続されている。ＭＰＵ８５では、ＶＣＣ端子を介して供給される動作電力により各種の制御プログラムを実行し、ＶＢＢ端子を介して供給される動作電力によりＲＡＭ１５２におけるデータの記憶保持を行う。
【０１０８】
この場合に、副制御基板８２にはバックアップコンデンサなどからなる電断中用電源部８７が搭載されており、当該電断中用電源部８７はＶＢＢ端子に接続される経路に対して接続されている。電源装置１２５から副制御基板８２に動作電力が供給されている間は電断中用電源部８７が充電され、スロットマシン１０の電源遮断中においては電断中用電源部８７から放電された動作電力がＲＡＭ１５２に供給される。これにより、スロットマシン１０の電源遮断中においても、電断中用電源部８７からＲＡＭ１５２に動作電力が供給されている間は、当該ＲＡＭ１５２においてデータが記憶保持される。
【０１０９】
ＭＰＵ８５には、入出力ポートが設けられている。ＭＰＵ８５の出力側には、既に説明したように、発光部６１、スピーカ部６２及び演出用表示装置６３が接続されている。ＭＰＵ８５の入力側には、主制御装置７１が接続されている。主制御装置７１からは演出用コマンドや報知用コマンドを受信し、その受信したコマンドの内容に応じて発光部６１、スピーカ部６２及び演出用表示装置６３を駆動制御する。また、ＭＰＵ８５の出力側及び入力側には、監視制御基板８３が接続されている。
【０１１０】
監視制御基板８３には、自身に動作電力が供給されている範囲内において所定の監視を２４時間常に実行するＭＰＵ９１が搭載されている。ＭＰＵ９１には、当該ＭＰＵ９１により実行される各種の制御プログラムや固定値データを記憶したＲＯＭ１６１と、そのＲＯＭ１６１内に記憶される制御プログラムの実行に際して各種のデータ等を一時的に記憶するためのメモリであるＲＡＭ１６２と、割込み回路やタイマ回路、データ入出力回路などの各種回路が内蔵されている。
【０１１１】
また、ＭＰＵ９１には、日時計測手段としてのＲＴＣ（リアルタイムクロック）１６３が内蔵されている。ＲＴＣ１６３は日付及び時刻を計測可能に構成されており、ＭＰＵ９１は当該ＲＴＣ１６３から情報を取得することで、その時点での日付及び時刻を把握することができる。
【０１１２】
ＭＰＵ９１には、電源装置１２５の電源部にて生成された直流５Ｖの電源（動作電力）が供給される。この場合に、監視制御基板８３と電源装置１２５の電源部との電気的な接続は直接的に行われておらず、副制御基板８２に供給された動作電力であって当該副制御基板８２において分流された動作電力が監視制御基板８３に供給され、この動作電力がＭＰＵ９１のＶＣＣ端子及びＶＢＢ端子に供給される。このように副制御基板８２を介して監視制御基板８３に動作電力を供給することで、監視制御基板８３において電源装置１２５と電気的に接続するためのコネクタが不要なものとなっている。
【０１１３】
監視制御基板８３にはＬｉ２次電池からなる電断中用電源部９３が搭載されており、当該電断中用電源部９３はＭＰＵ９１のＶＣＣ端子及びＶＢＢ端子に接続される経路に対して接続されている。副制御基板８２を介して電源装置１２５から動作電力が供給されている間は電断中用電源部９３が充電され、スロットマシン１０の電源遮断中においては電断中用電源部９３から放電された動作電力がＭＰＵ９１に供給される。これにより、スロットマシン１０の電源遮断中においても、電断中用電源部９３からＭＰＵ９１に動作電力が供給されている間は、当該ＭＰＵ９１において各種処理が実行される。なお、監視制御基板８３の電断中用電源部９３は、Ｌｉ２次電池に限定されることはなくコンデンサなどを用いてもよい。
【０１１４】
ここで、ＭＰＵ９１は直流５Ｖの電源（動作電力）だけでなく直流３Ｖの電源（動作電力）によっても動作可能な構成であるとともに、電断中用電源部９３は直流３Ｖの電源をＭＰＵ９１に供給するものである。このように、スロットマシン１０の電源投入中よりも低い電圧の電源によってＭＰＵ９１が動作可能な構成とすることで、スロットマシン１０の電源遮断中にＭＰＵ９１が動作する上で必要な電力の低電力化が図られる。
【０１１５】
また、監視制御基板８３には電源監視部１６４が搭載されている。電源監視部１６４は、電源装置１２５において生成された直流５Ｖの電源（動作電力）がＭＰＵ９１に供給されている場合に、当該ＭＰＵ９１にその旨の信号を出力するための回路である。具体的には、電源監視部１６４は、ＭＰＵ１９のＶＣＣ端子及びＶＢＢ端子に接続される経路から分岐させて形成された配線パターン１６４ａに対して抵抗１６４ｂが接続されてなり、電源装置１２５にて生成された動作電力がＭＰＵ９１に供給されている状況においては電入中信号として、低電流の電気信号がＭＰＵ９１に入力されることとなる。ＭＰＵ９１では、かかる電気信号を受け取ることで、スロットマシン１０自身に動作電力が供給されていることを把握することができるとともに、当該電気信号の非入力状態から入力状態への立ち上がりを確認することでスロットマシン１０自身への動作電力の供給が開始されたことを把握することができる。
【０１１６】
ＭＰＵ９１には、入出力ポートが設けられている。ＭＰＵ９１の入力側には、上記電源監視部１６４が接続されている。また、ＭＰＵ９１の入力側には、これ以外にも、電断中用扉監視スイッチ１６、セレクタ監視スイッチ３８、ホッパ監視スイッチ４５、主制御装置監視スイッチ７６及び副制御基板８２のＭＰＵ８５が接続されている。ＭＰＵ９１の出力側には、副制御基板８２のＭＰＵ８５が接続されているとともに報知用装置１１１の表示駆動部１６５、決定操作部１１４及び選択操作部１１５が接続されている。表示駆動部１６５には、液晶表示部ドライバとしての画像処理デバイスと、バックライトを点灯させるための駆動回路とが設けられており、ＭＰＵ９１から出力された駆動信号によって報知用装置１１１の表示画面１１３における消灯及び点灯の切り換えがなされるとともに、表示画面１１３にて表示される画像の内容が設定される。また、決定操作部１１４及び選択操作部１１５によって、ＭＰＵ９１の処理により表示される表示画面１１３上のメニュー中の項目の選択及び決定が行われる。なお、ＭＰＵ８５とＭＰＵ９１との通信は、双方向通信ライン２００を介して、例えば双方向シリアル通信等で行うことが好ましい。
【０１１７】
ちなみに、各種監視スイッチ１６，３８，４５，７６とＭＰＵ９１との間には、各種監視スイッチ１６，３８，４５，７６がＯＮ状態となった場合に閉回路となる信号経路が形成されているが、当該信号経路に対してはＭＰＵ９１自身に動作電力が供給されている場合には常に監視結果確認用の信号が供給されている。よって、ＭＰＵ９１自身に動作電力が供給されている場合には、各種監視スイッチ１６，３８，４５，７６を用いた各種監視を常に行うことができる。一方、報知用装置１１１の動作電力はＭＰＵ９１を含めた監視制御基板８３から供給されているのではなく、電源装置１２５の電源部から供給されている。したがって、スロットマシン１０自身に動作電力が供給されていない状況では、報知用装置１１１に動作電力が供給されることはなく、報知用装置１１１の表示画面１１３にて画像の表示が行われないとともに決定操作部１１４や選択操作部１１５が操作されたとしても当該操作は無効なものとなる。
【０１１８】
ＭＰＵ９１では、電源監視部１６４及び各種監視スイッチ１６，３８，４５，７６における検出結果に基づいて、自身に動作電力が供給されている状況において各種異常の発生の監視を常に行い、所定の期間において異常の発生を特定した場合には副制御基板８２及び報知用装置１１１を通じて異常報知を行う。この場合、副制御基板８２のＭＰＵ８５では発光部６１、スピーカ部６２及び演出用表示装置６３を通じて報知を行う。また、監視制御基板８３のＭＰＵ９１は、副制御基板８２及び報知用装置１１１などを通じて報知を行っている状況において、決定操作部１１４及び選択操作部１１５が操作されたことに基づいて当該報知を行っている状況を解除する。かかる監視及び報知の具体的な内容については、後に説明する。
【０１１９】
＜電気的な接続に関する特徴的な構成＞
ここで、監視制御基板８３のＭＰＵ９１と各種監視スイッチ１６，３８，４５，７６及び報知用装置１１１との電気的な接続に関する特徴的な構成について、以下に説明する。
【０１２０】
監視制御基板８３と各種監視スイッチ１６，３８，４５，７６との電気的な接続及び監視制御基板８３と報知用装置１１１との電気的な接続は直接的に行われておらず、当該電気的な接続は少なくとも副制御基板８２が中継するようにして行われている。詳細には、ＭＰＵ９１と各種監視スイッチ１６，３８，４５，７６との間で信号の伝送を行うための信号線であって副制御装置８１に接続される信号線及びＭＰＵ９１と報知用装置１１１の表示駆動部１６５、決定操作部１１４及び選択操作部１１５との間で信号の伝送を行うための信号線であって副制御装置８１に接続される信号線は、副制御基板８２に設けられた信号線用コネクタ８８ｂに接続されている。また、副制御基板８２には、信号線用コネクタ８８ｂと副側コネクタ８８ａとを電気的に接続する配線パターンが、各種監視スイッチ１６，３８，４５，７６、表示駆動部１６５、決定操作部１１４及び選択操作部１１５のそれぞれに対応させて形成されている。また、監視制御基板８３には、副側コネクタ８８ａに接続される監視側コネクタ９４とＭＰＵ９１とを電気的に接続する配線パターンが、各種監視スイッチ１６，３８，４５，７６、表示駆動部１６５、決定操作部１１４及び選択操作部１１５のそれぞれに対応させて形成されている。
【０１２１】
上記のように信号経路を形成することで、監視制御基板８３において各種監視スイッチ１６，３８，４５，７６、表示駆動部１６５、決定操作部１１４及び選択操作部１１５と電気的に接続するためのコネクタが不要なものとなっている。また、既に説明したように、監視制御基板８３において電源装置１２５と電気的に接続するためのコネクタが不要なものとなっている。つまり、本スロットマシン１０では、副制御装置８１において外部機器との間で信号を伝送するための信号線が接続される信号線用コネクタは監視制御基板８３に設けられておらず、副制御基板８２に集約されている。これにより、副制御装置８１の信号線用コネクタ８８ｂを見ただけでは、信号線が副制御基板８２のＭＰＵ８５又は監視制御基板８３のＭＰＵ９１のいずれに通じているかを判断できないようにすることができる。
【０１２２】
また、基板ボックス８４には信号線用コネクタ８８ｂを外部に露出させるための開口部１０５が形成されるが、当該開口部１０５を通じて基板ボックス８４内にリード線などを挿入して監視制御基板８３や当該監視制御基板８３のＭＰＵ９１に対して不正を施そうとする行為が想定される。これに対して、信号線用コネクタ８８ｂが副制御基板８２に集約させて設けられているため、基板ボックス８４内にリード線などが挿入されたとしても、当該リード線が監視制御基板８３や当該監視制御基板８３のＭＰＵ９１に到達しづらくなる。
【０１２３】
なお、上記のように信号線用コネクタ８８ｂが副制御基板８２に集約されることは必須の構成ではなく、監視制御基板８３に集約されていてもよい。この場合、上記リード線に対する不正対策の効果は低減されるが、信号線が副制御基板８２のＭＰＵ８５又は監視制御基板８３のＭＰＵ９１のいずれに通じているかを判断できないようにすることはできる。また、上記リード線に対する不正対策の効果及び信号線の識別困難性の効果は生じ得ないが、信号線用コネクタが副制御基板８２及び監視制御基板８３のそれぞれに設けられた構成としてもよい。
【０１２４】
次に、副制御装置８１と所定の監視スイッチ及び報知用装置１１１とを電気的に接続する信号線に関する特徴的な構成について、以下に説明する。
【０１２５】
各種監視スイッチ１６，３８，４５，７６のうちホッパ監視スイッチ４５及び電断中用扉監視スイッチ１６は、副制御装置８１と直接的に接続されているのではなく、両者の信号経路は筐体側中継基板１７１により中継されている。なお、当該筐体側中継基板１７１は、図２に示すように、筐体１１の左側板１１ｄに固定されている。また、各種監視スイッチ１６，３８，４５，７６のうちセレクタ監視スイッチ３８は、副制御装置８１と直接的に接続されているのではなく、両者の信号経路は前面扉１２に設けられた扉側中継基板１１２に中継されているとともに筐体側中継基板１７１に中継されている。また、報知用装置１１１は既に説明したように扉側中継基板１１２に搭載されており、当該報知用装置１１１と副制御装置８１との信号経路は扉側中継基板１１２に中継されているとともに筐体側中継基板１７１に中継されている。また、信号経路が扉側中継基板１１２及び筐体側中継基板１７１に中継される機器は各種監視スイッチ１６，３８，４５，７６及び報知用装置１１１だけではなく、発光部６１及びスピーカ部６２と副制御装置８１との間の信号経路も扉側中継基板１１２及び筐体側中継基板１７１に中継されている。さらにまた、電源装置１２５から報知用装置１１１への動作電力供給経路も扉側中継基板１１２及び筐体側中継基板１７１に中継されている。
【０１２６】
図２及び図１１に示すように、扉側中継基板１１２と筐体側中継基板１７１とは少なくとも第１接続ユニット１７２を介して電気的に接続されているとともに、筐体側中継基板１７１と副制御装置８１とは少なくとも第２接続ユニット１７３を介して電気的に接続されている。第１接続ユニット１７２及び第２接続ユニット１７３は、図１２（ａ）に示すように、信号線又は電源線である配線１７４が一対の信号線コネクタ１７５，１７６間に亘って集約されるように複数設けられたハーネスとして構成されている。
【０１２７】
第１接続ユニット１７２の配線には、セレクタ監視スイッチ３８における監視結果の信号を伝送するための信号線と、表示駆動部１６５を制御する信号を伝送するための信号線と、決定操作部１１４が操作されたか否かの信号を伝送するための信号線と、選択操作部１１５が操作されたか否かの信号を伝送するための信号線と、発光部６１及びスピーカ部６２を駆動させる信号を伝送するための信号線と、電源装置１２５の電源部からの動作電力を報知用装置１１１に供給するための電源線とが含まれている。
【０１２８】
一方、第２接続ユニット１７３の配線には、セレクタ監視スイッチ３８における監視結果の信号を伝送するための信号線と、表示駆動部１６５を制御する信号を伝送するための信号線と、決定操作部１１４が操作されたか否かの信号を伝送するための信号線と、選択操作部１１５が操作されたか否かの信号を伝送するための信号線と、発光部６１及びスピーカ部６２を駆動させる信号を伝送するための信号線と、ホッパ監視スイッチ４５における監視結果の信号を伝送するための信号線と、電断中用扉監視スイッチ１６における監視結果の信号を伝送するための信号線とが含まれている。
【０１２９】
上記のように第１接続ユニット１７２及び第２接続ユニット１７３が設けられていることにより、第１接続ユニット１７２及び第２接続ユニット１７３の各配線の中から所定の監視スイッチに係る信号線のみを特定しようとしても、それが行いづらくなる。これにより、所定の監視スイッチに係る信号線のみを切断する又は所定の監視スイッチに係る信号線のみに不正信号を出力するための基板を接続することで当該所定の監視スイッチにおいて監視を正常に行えないようにしようとしても、それが行いづらくなる。
【０１３０】
また、第１接続ユニット１７２及び第２接続ユニット１７３の各配線の中から報知用装置１１１の表示駆動部１６５に係る信号線のみを特定しようとしても、それが行いづらくなる。これにより、表示駆動部１６５に係る信号線のみを切断する又は表示駆動部１６５に係る信号線のみに不正信号を出力するための基板を接続することで報知用装置１１１の表示画面１１３において異常報知を正常に行えないようにしようとしても、それが行いづらくなる。
【０１３１】
特に、上記のとおり監視制御基板８３のＭＰＵ９１にて異常の報知を行っている状況を解除するためには決定操作部１１４及び選択操作部１１５を操作する必要がある構成において、第１接続ユニット１７２及び第２接続ユニット１７３には表示駆動部１６５に係る信号線とともに決定操作部１１４に係る信号線及び選択操作部１１５に係る信号線が含まれている。したがって、上記異常報知を正常に行えないようにしようとして、不正行為者が第１接続ユニット１７２又は第２接続ユニット１７３の全配線を切断した場合には、当該不正行為者が異常報知の状況を不正に解除しようとしてもそれが困難となる。そして、異常の報知は報知用装置１１１の表示画面１１３だけでなく演出用表示装置６３においても実行されるため、当該不正行為者が演出用表示装置６３における異常の報知を解除しようとしてもそれが困難なものとなる。なお、不正行為者が演出用表示装置６３と副制御装置８１とを電気的に接続する信号線を切断した場合には、当該演出用表示装置６３において遊技状況に応じた表示が行われなくなることから、遊技ホールの管理者などにとっては上記不正行為を容易に判断することができる。
【０１３２】
また、第１接続ユニット１７２並びに第２接続ユニット１７３には、発光部６１及びスピーカ部６２に係る信号線も含まれている。したがって、所定の監視スイッチに係る信号線を切断するために又は表示駆動部１６５に係る信号線を切断するために不正行為者が第１接続ユニット１７２又は第２接続ユニット１７３の全配線を切断した場合には、発光部６１における光の演出やスピーカ部６２からの音の出力が行われなくなることから、遊技ホールの管理者などにとっては上記不正行為を容易に判断することができる。
【０１３３】
ちなみに、第１接続ユニット１７２又は第２接続ユニット１７３は、図１２（ａ）に示すようなハーネスである必要はなく、例えば、両端にコネクタが設けられた配線１７７を図１２（ｂ）に示すように集約させることで接続ユニットとしてもよく（例えば、より線）、図１２（ｃ）に示すように、線心に被覆を施した配線１７８を集約させるとともに、それら集約させた配線１７８をまとめて被覆させたケーブルを接続ユニットとしてもよい。図１２（ｂ）や図１２（ｃ）の構成においても図１２（ａ）のものを用いる場合と同様の効果が期待できる。なお、上記例示した各接続ユニットにおいて、配線の集約とは、隣接する複数の配線が相互に接触している構成であってもよく、相互に離間された構成としてもよい。
【０１３４】
＜副制御基板８２のＲＡＭ１５２及び監視制御基板８３のＲＡＭ１６２の構成＞
次に、異常の監視及び監視結果の報知に関する副制御基板８２のＲＡＭ１５２及び監視制御基板８３のＲＡＭ１６２の構成について説明する。図１３（ａ）は副制御基板８２のＲＡＭ１５２（以下、副側ＲＡＭ１５２ともいう）の構成を説明するための説明図、図１３（ｂ）は監視制御基板８３のＲＡＭ１６２（以下、監視側ＲＡＭ１６２ともいう）の構成を説明するための説明図である。なお、以下の説明では、理解を容易なものとするために、主制御基板１２１のＭＰＵ１２２を主側ＭＰＵ１２２といい、副制御基板８２のＭＰＵ８５を副側ＭＰＵ８５といい、監視制御基板８３のＭＰＵ９１を監視側ＭＰＵ９１という。
【０１３５】
副側ＲＡＭ１５２は、主側ＭＰＵ１２２にて所定の異常の発生が特定された場合にその異常の発生に対する報知を行う上で参照される情報を記憶するための主側報知情報記憶エリア１８１と、監視側ＭＰＵ９１にて所定の異常の発生が特定された場合にその異常の発生に対する報知を行う上で参照される情報を記憶するための監視側報知情報記憶エリア１８２と、を備えている。また、副側ＲＡＭ１５２は、副側ＭＰＵ８５において所定の処理を実行する上でのタイミングを計るために用いられる計測用カウンタエリア１８３と、副側ＭＰＵ８５において所定の状態であることを特定するために用いられる各種フラグ格納エリア１８４と、を備えている。
【０１３６】
監視側ＲＡＭ１６２は、常時用監視履歴記憶エリア１９１と、報知用監視履歴記憶エリア１９２と、を備えている。監視側ＭＰＵ９１では、既に説明したとおり、電源監視部１６４及び各種監視スイッチ１６，３８，４５，７６の検出結果に基づいて各種異常の発生の監視を行う。この場合、監視対象の事象として、
（１）スロットマシン１０自身の電源ＯＮ操作
（２）前面扉１２の開放
（３）設置箇所からのセレクタ３１の移動
（４）設置箇所からのホッパ装置４１の移動
（５）設置箇所からの主制御装置７１の移動
の５種類が設定されている。
【０１３７】
また、監視結果の記憶の仕方は２種類設定されており、一方は監視側ＭＰＵ９１自身に動作電力が供給されている状況において上記（１）〜（５）の全事象の監視結果を記憶する常時用監視である。この監視結果の情報は、遊技ホールの管理者等が報知用装置１１１を操作することにより確認可能である。
【０１３８】
他方は、遊技ホールの管理者などによって設定された報知用監視期間において、上記（１）〜（４）の事象の監視結果を記憶するとともに監視側ＭＰＵ９１自身に動作電力が供給されている状況において上記（５）の事象の監視結果を記憶する報知用監視である。この場合、報知用監視期間は、２４時間における任意の期間を指定可能であり、基本的にはスロットマシン１０自身に動作電力が供給されていない期間、具体的にはスロットマシン１０のメーカなどから遊技ホールへの搬送中の期間や、遊技ホールの閉店中であってスロットマシン１０への動作電力の供給が停止される期間が指定される。報知用監視期間中に監視結果の情報が取得された場合には、スロットマシン１０の電源が投入された場合に所定の報知が実行される。
【０１３９】
ここで、上記（１）〜（５）の監視対象の事象のうち、スロットマシン１０の電源遮断中に上記（１）電源ＯＮ操作の事象を監視することで、当選確率の設定変更が不正に行われたか否かを監視することができる。当該当選確率の設定変更を行うためには、既に説明したように、スロットマシン１０が電源ＯＮ操作された場合に設定キーがＯＮ操作されている必要があるからである。また、電源遮断中に上記（２）前面扉１２の開放の事象を監視することで、スロットマシン１０の内部に何らかの不正が行われたか否かを監視することができる。また、電源遮断中に上記（３）〜（５）の事象を監視することで、それら監視対象となっている機器に対して不正が行われたか否かを監視することができる。
【０１４０】
常時用監視履歴記憶エリア１９１及び報知用監視履歴記憶エリア１９２のうち、常時用監視履歴記憶エリア１９１は常時用監視を行う上で用いられ、報知用監視履歴記憶エリア１９２は報知用監視を行う上で用いられる。常時用監視履歴記憶エリア１９１は、リングバッファとして構成されており、上記（１）〜（５）の事象のうち発生した事象の種類を記憶するための事象データ用エリアと、その事象が発生した日時を記憶するための日時データ用エリアと、を一組の単位エリアとして、当該単位エリアが複数組（具体的には、１５組）設けられている。
【０１４１】
また、報知用監視履歴記憶エリア１９２は、リングバッファとして構成されており、事象データ用エリアと、日時データ用エリアと、その事象について報知解除条件が満たされているか否かの情報を記憶するための報知判定データ用エリアと、を一組の単位エリアとして、当該単位エリアが複数組（具体的には、１５組）設けられている。
【０１４２】
常時用監視履歴記憶エリア１９１及び報知用監視履歴記憶エリア１９２において上記単位エリアの数は、同一となっており、監視対象の事象の数よりも多く設定されている。そして、上記（１）〜（５）の事象が発生した日時順に（時系列で）記憶されていくとともに、単位エリアの数分を超える場合には最も古い事象が消去されていく。この場合、常時用監視履歴記憶エリア１９１及び報知用監視履歴記憶エリア１９２は上記のとおりリングバッファとして構成されており、次回のデータの書込み対象となる単位エリアを特定するための書込みポインタの位置によって最も新しいデータが記憶された単位エリア及び最も古いデータが記憶された単位エリアがいずれの単位エリアであるかが特定される。なお、上記単位エリアの数は、常時用監視履歴記憶エリア１９１と報知用監視履歴記憶エリア１９２とで同一である必要はなく、異なっていてもよい。
【０１４３】
監視側ＲＡＭ１６２は、常時用監視履歴記憶エリア１９１及び報知用監視履歴記憶エリア１９２の他に、監視側ＭＰＵ９１において所定の処理を実行する上でのタイミングを計るために用いられる計測用カウンタエリア１９３と、報知用装置１１１の表示画面１１３に表示される画像の表示データが設定される表示データ設定用エリア１９４と、上記報知用監視を行う上での報知用監視期間の情報を記憶するための報知用監視期間記憶エリア１９５と、監視側ＭＰＵ９１において所定の状態であることを特定するために用いられる各種フラグ格納エリア１９６と、を備えている。
【０１４４】
＜監視側ＭＰＵ９１に実行される処理＞
次に、異常の監視及び監視結果の報知を行う上で副側ＭＰＵ８５及び監視側ＭＰＵ９１にて実行される処理について説明する。以下の説明では、説明の便宜上、先ず図１４〜図１９のフローチャートを参照して監視側ＭＰＵ９１にて実行される処理について説明し、その後に、図２０〜図２３のフローチャートを参照して副側ＭＰＵ８５にて実行される処理について説明する。
【０１４５】
図１４は、監視側ＭＰＵ９１にて実行される通常処理を示すフローチャートである。
【０１４６】
通常処理は、定期的（具体的には、４ｍｓｅｃ）に起動される。通常処理では、ステップＳ４０１にて監視処理を実行し、ステップＳ４０２にて時間等設定用処理を実行し、ステップＳ４０３にて異常報知設定用処理を実行し、ステップＳ４０４にて表示制御処理を実行し、ステップＳ４０５にて異常報知解除用処理を実行し、その後、本通常処理を終了する。
【０１４７】
以下、上記ステップＳ４０１〜ステップＳ４０５の各処理について具体的に説明する。
【０１４８】
＜監視側ＭＰＵ９１の監視処理＞
先ず、監視処理について、図１５のフローチャートを参照して説明する。ここで、監視処理とは、電源監視部１６４及び各種監視スイッチ１６，３８，４５，７６の検出結果に基づいて、上記（１）〜（５）の事象が発生しているか否かを特定し、いずれかの事象が発生している場合にはその情報を常時用監視履歴記憶エリア１９１及び報知用監視履歴記憶エリア１９２に記憶させるための処理である。
【０１４９】
監視処理では、先ずステップＳ５０１にて入出力ポートの入力側を監視するタイミングとなっているか否かを判定する。このタイミングは、監視時間の経過毎に１回、すなわち監視周期毎に定期的に実行されるように設定されている。具体的には、０．５ｓｅｃに１回実行される構成となっており、当該タイミングは監視側ＲＡＭ１６２の計測用カウンタエリア１９３における監視用カウンタエリアを用いて前回監視を行ったタイミングからの経過時間、詳細にはステップＳ５０１にて肯定判定をした回数を計測することにより行われる。本スロットマシン１０では、通常処理は４ｍｓｅｃ周期で起動されるため、ステップＳ５０１では監視用カウンタエリアの値が「１２５」であるか否かを判定する。
【０１５０】
なお、監視を行う周期は上記のものに限定されることはなく任意である。但し、異常の発生を漏れなく監視するという観点からは、Ｎ（０＜Ｎ＜１）ｓｅｃに１回監視を行う構成とすることが好ましい。また、かかる監視を行う周期を不規則に変更可能な不規則更新機能（不規則更新手段）を備えた構成としてもよい。この場合、監視を行う周期に合わせて不正行為を行おうとしてもそれが困難となる。また、不規則に設定され得る周期の一部として比較的長い周期が設定されていることにより、単位時間当たりの監視の実行回数を抑えることができ、それに伴って電断中用電源部９３の消費電力が抑えられる。
【０１５１】
監視タイミングでない場合にはステップＳ５０１にて否定判定をし、ステップＳ５０３にて監視用カウンタエリアを更新した後に、具体的には監視用カウンタエリアを１インクリメントした後に、本監視処理を終了する。一方、監視タイミングである場合にはステップＳ５０１にて肯定判定をし、ステップＳ５０２にて監視用カウンタエリアを初期化した後に、具体的には監視用カウンタエリアを「０」クリアした後に、ステップＳ５０４に進む。
【０１５２】
ステップＳ５０４では、入出力ポートの入力側の情報を読み込むことで、電源監視部１６４及び各種監視スイッチ１６，３８，４５，７６の検出結果を特定する。具体的には、上記（１）の事象であるスロットマシン１０自身の電源ＯＮ操作を監視するための電源監視部１６４の検出結果が入力されるポートにおける情報が、電源ＯＦＦ情報である「０」の情報から電源ＯＮ情報である「１」の情報に切り換えられたか否かを判定する。また、上記（２）の事象である前面扉１２の開放を監視するための電断中用扉監視スイッチ１６の検出結果が入力されるポートにおける情報が、閉鎖状態情報である「０」の情報から開放状態情報である「１」の情報に切り換えられたか否かを判定する。また、上記（３）の事象である設置箇所からのセレクタ３１の移動を監視するためのセレクタ監視スイッチ３８の検出結果が入力されるポートにおける情報が、セレクタ設置情報である「０」の情報からセレクタ取り外し情報である「１」の情報に切り換えられたか否かを判定する。また、上記（４）の事象である設置箇所からのホッパ装置４１の移動を監視するためのホッパ監視スイッチ４５の検出結果が入力されるポートにおける情報が、ホッパ設置情報である「０」の情報からホッパ取り外し情報である「１」の情報に切り換えられたか否かを判定する。また、上記（５）の事象である設置箇所からの主制御装置７１の移動を監視するための主制御装置監視スイッチ７６の検出結果が入力されるポートにおける情報が、主制御装置設置情報である「０」の情報から主制御装置取り外し情報である「１」の情報に切り換えられたか否かを判定する。
【０１５３】
なお、ノイズの発生によりポートに「１」が格納された場合に異常の発生と特定しづらくするために、ステップＳ５０４では、「０」が格納されている状況から「１」が格納されている状況が複数回連続して確認された場合に、その事象の異常が発生していると特定するようにしてもよい。また、上記「０」及び「１」の関係が逆の関係に設定されていてもよい。
【０１５４】
上記（１）〜（５）の事象がいずれも発生していない場合には、ステップＳ５０４にて否定判定をし、そのまま本監視処理を終了する。上記（１）〜（５）のいずれかの事象が発生している場合には、ステップＳ５０４にて肯定判定をし、ステップＳ５０５に進む。ステップＳ５０５では、今回発生していると特定した事象の内容を特定するための内容の特定処理を実行し、その特定した内容を監視側ＭＰＵ９１のレジスタに記憶する。
【０１５５】
続くステップＳ５０６では、常時用監視履歴記憶エリア１９１に、ステップＳ５０５にて特定した事象と同一の事象が記憶されているか否かを判定する。同一の事象が記憶されていない場合にはステップＳ５０８に進む。同一の事象が記憶されている場合には、ステップＳ５０７にて、書込み禁止期間中（記憶防止期間）か否かを判定する。具体的には、常時用監視履歴記憶エリア１９１に既に記憶されている同一の事象の発生日時を把握するとともに、現状の日時をＲＴＣ１６３から把握する。そして、前者に対する後者の経過期間が、監視制御基板８３のＲＯＭ１６１に予め記憶されている書込み禁止期間中に該当するか否かを判定する。なお、書込み禁止期間は１分として設定されているが、具体的な期間は任意である。
【０１５６】
書込み禁止期間中である場合には、今回特定した事象を常時用監視履歴記憶エリア１９１及び報知用監視履歴記憶エリア１９２のいずれにも書き込むことなく、そのまま本監視処理を終了する。異常の監視を行う上では、上記（１）〜（５）の事象のうちいずれの事象が発生したかを遊技ホールの管理者等が特定できるようにすることが重要であり、それに比べて同一の事象について短期間に複数回行われたか否かは重要でない。この場合に、常時用監視履歴記憶エリア１９１及び報知用監視履歴記憶エリア１９２の記憶容量が制限されている状況において、上記のように書込み禁止期間を設定することで、前者の特定を後者の特定よりも優先することができ、監視を良好に行うことができる。
【０１５７】
なお、書込み禁止期間を設ける代わりに、監視対象の事象が特定された監視スイッチについては、所定の無監視期間（記憶防止期間）が経過するまで監視側ＭＰＵ９１において入出力ポートの監視処理を実行しない構成としてもよい。つまり、記憶防止期間内に同一の監視対象の事象が複数回連続した場合には、それらを全て常時用監視履歴記憶エリア１９１や報知用監視履歴記憶エリア１９２に記憶するのではなく、複数回分を１回として集約して記憶する構成であれば、具体的な制御内容は任意である。また、上記のような重複書込みを許容するのであれば、書込み禁止期間や無監視期間といった記憶防止期間を設定しない構成としてもよい。
【０１５８】
書込み禁止期間中でない場合には、ステップＳ５０７にて否定判定をし、ステップＳ５０８に進む。ステップＳ５０８では、常時用監視履歴の更新処理を実行する。具体的には、先ず書込みポインタの更新処理を実行する。これにより、常時用監視履歴記憶エリア１９１における複数の単位エリアのうち、最も古い監視結果の情報が記憶されている単位エリアが情報の書込み対象となる。そして、その書込みポインタに対応した単位エリアにおける事象データ用エリアに対して今回特定した事象の情報を記憶するとともに、日時データ用エリアに対してＲＴＣ１６３から読み込んだ現状の日時の情報を記憶する。
【０１５９】
ちなみに、同時に複数種類の事象が発生することが想定されるが、常時用監視履歴の更新処理では、それら複数種類の事象を順次記憶していく。かかる更新に際しては、上記（１）〜（５）のうち予め定められた優先順位に従って更新を実行していく。この場合、上記（５）の設置箇所からの主制御装置７１の移動を最優先として、当該事象と他の事象とが同時に発生している場合には主制御装置７１の移動が最も新しい事象として記憶される構成としてもよい。
【０１６０】
続くステップＳ５０９では、現状の時点が報知用監視期間中か否かを判定する。具体的には、ＲＴＣ１６３から現状の時刻を読み出し、この読み出した時刻が監視側ＲＡＭ１６２の報知用監視期間記憶エリア１９５に記憶されている報知用監視期間に含まれているか否かを判定する。報知用監視期間に含まれている場合には、ステップＳ５１０にて監視側ＲＡＭ１６２の各種フラグ格納エリア１９６に設けられた報知条件成立フラグ格納エリア（報知条件成立情報記憶手段）に報知条件成立フラグ（報知条件成立情報）を格納する。
【０１６１】
ここで、本スロットマシン１０では、報知用監視期間に上記（１）〜（５）のいずれかの事象が発生した場合には、既に説明したとおりスロットマシン１０の電源が投入された場合に所定の報知が実行されることとなるが、当該所定の報知は報知条件成立フラグが格納（記憶）されている場合に実行される。換言すれば、報知条件成立フラグは監視側ＭＰＵ９１において所定の報知を実行すべき状態であることを特定するためのフラグである。
【０１６２】
続くステップＳ５１１では、報知用監視履歴の更新処理を実行する。具体的には、先ず書込みポインタの更新処理を実行する。これにより、報知用監視履歴記憶エリア１９２における複数のエリアのうち、最も古い監視結果の情報が記憶されているエリアが情報の書込み対象となる。そして、その書込みポインタに対応したエリアにおける事象データ用エリアに今回特定した事象の情報を記憶させるとともに、日時データ用エリアに対してＲＴＣ１６３から読み込んだ現状の日時の情報を記憶させる。また、報知判定データ用エリアに未解除情報としての「１」を記憶させる。その後、本監視処理を終了する。
【０１６３】
一方、現状の時点が報知用監視期間に含まれていない場合には、ステップＳ５１２に進み、今回特定した事象が上記（５）の設置箇所からの主制御装置７１の移動の事象であるか否かを判定する。当該事象でない場合には、そのまま本監視処理を終了する。当該事象である場合には、ステップＳ５１０にて報知条件成立フラグを格納するとともに、ステップＳ５１１にて報知用監視履歴の更新処理を実行した後に、本監視処理を終了する。
【０１６４】
つまり、本スロットマシン１０では、書込み禁止期間でない状況において主制御装置７１の設置箇所からの移動を特定した場合には、報知用監視期間中であるか否かに関係なく、その情報が報知用監視履歴記憶エリア１９２に記憶される。主制御装置７１は抽選処理機能やメダルの払出処理機能といった遊技の主たる制御を司る機能を有しており、不正が行われた場合には遊技ホールに多大な不利益を与えるおそれがあるとともに、不正の対象ともなり易い。この場合に、主制御装置７１の設置箇所からの移動については報知用監視期間であるか否かに関係なく報知用監視履歴記憶エリア１９２に記憶して報知対象とすることで、主制御装置７１に対する不正行為を重点的に監視することができる。また、全ての事象について報知用監視期間であるか否かに関係なく報知対象とするのではなく、主制御装置７１に係る事象についてのみ上記のような報知対象とすることで、報知用監視履歴記憶エリア１９２の限られた記憶容量において主制御装置７１に係る事象が記憶されたものの、前面扉１２の開放などが繰り返し行われることで、主制御装置７１に係る事象について報知される前に当該事象が消去されてしまわないようにすることができる。
【０１６５】
＜監視側ＭＰＵ９１の時間等設定用処理＞
次に、時間等設定用処理について、図１６のフローチャートを参照して説明する。ここで、時間等設定用処理とは、ＲＴＣ１６３の日時設定を行う必要がある状況においてその旨の報知を行うための処理、ＲＴＣ１６３にて計測している日時を設定するための処理、報知用監視期間を設定するための処理を実行する処理である。
【０１６６】
時間等設定用処理では、先ずステップＳ６０１にて、入出力ポートの入力側における電源監視部１６４から入力している情報に基づいて、スロットマシン１０自身に動作電力が供給されているか否かを判定する。スロットマシン１０自身に動作電力が供給されていない場合には、ＲＴＣ１６３の日時の設定や報知用監視期間の設定を行うことができないため、そのまま本設定用処理を終了する。
【０１６７】
スロットマシン１０自身に動作電力が供給されている場合には、ステップＳ６０２にて、監視側ＲＡＭ１６２のデータ消去が発生しているか否かを判定する。具体的には、監視側ＲＡＭ１６２の各種フラグ格納エリア１９６におけるデータ消去監視フラグ格納エリア（データ消去監視情報記憶手段）にデータ消去監視フラグ（データ消去監視情報）が格納されているか否かを判定する。
【０１６８】
データ消去監視フラグは、スロットマシン１０の出荷直後においては格納されていない。この場合、ＲＴＣ１６３の日時が正確でない可能性が高い。また、データ消去監視フラグは、一旦格納されたとしても、スロットマシン１０自身への動作電力の供給が停止された状態が長期に亘って継続し、監視制御基板８３の電断中用電源部９３における蓄電量が減ることで、監視側ＲＡＭ１６２においてデータの記憶保持を行う上で必要な動作電力が電断中用電源部９３から放電されなくなることに伴って消去される。そして、ＲＴＣ１６３において日時の更新を行う上で必要な動作電力が電断中用電源部９３から放電されなくなる状況では、監視側ＲＡＭ１６２においてデータの記憶保持を行う上で必要な動作電力が供給されない状況となるように構成されている。したがって、データ消去フラグが消去された場合には、ＲＴＣ１６３の日時が正確でない可能性が高い。一方、データ消去監視フラグは、ＲＴＣ１６３の日時の設定が完了することにより、格納される。つまり、データ消去監視フラグは、ＲＴＣ１６３の日時が正確でない可能性が高い状況であることを監視側ＭＰＵ９１において特定するためのフラグである。
【０１６９】
データ消去監視フラグが格納されていない場合には、ステップＳ６０２にて肯定判定をし、ステップＳ６０３にて、ＲＴＣ１６３の日時の設定を促す報知を開始させるための消去報知開始用コマンドを副側ＭＰＵ８５に送信する処理を実行する。これにより、ＲＴＣ１６３の日時の設定を促す報知が演出用表示装置６３にて実行されるように副側ＭＰＵ８５にて所定の処理が実行される。また、後述する表示制御処理が実行されることにより上記報知は報知用装置１１１の表示画面１１３においても実行される。ステップＳ６０３の処理を実行した後、又はデータ消去監視フラグが格納されておりステップＳ６０２にて否定判定をした場合には、ステップＳ６０４に進む。
【０１７０】
ステップＳ６０４では、ＲＴＣ１６３の日時の設定中であるか否かを判定する。ＲＴＣ１６３の日時の設定中である場合には、後述するステップＳ６０８の日時の設定用処理を実行し、ＲＴＣ１６３の日時の設定中でない場合には、ステップＳ６０５に進む。ステップＳ６０５では、報知用監視期間の設定中であるか否かを判定する。報知用監視期間の設定中である場合には、後述するステップＳ６１４の報知用監視期間の設定用処理を実行し、報知用監視期間の設定中でない場合には、ステップＳ６０６に進む。
【０１７１】
ステップＳ６０６では、設定キー挿入部７４に設定キーが挿入されて当該設定キーがＯＮ操作されているか否かを判定する。この場合、当該ＯＮ操作がされているか否かの情報は、主側ＭＰＵ１２２から送信されており、副側ＭＰＵ８５にて経由されることで監視側ＭＰＵ９１にて受信しているが、これに限定されることはなく、主側ＭＰＵ１２２から直接受信する構成としてもよく、また設定キー検出センサ１３８の検出結果が監視側ＭＰＵ９１に直接入力される構成としてもよい。
【０１７２】
設定キー挿入部７４に対して設定キーのＯＮ操作がなされていない場合には、ＲＴＣ１６３の日時を設定するための処理や、報知用監視期間を設定するための処理を実行することなく、そのまま本設定用処理を終了する。つまり、本スロットマシン１０では、ＲＴＣ１６３の日時の設定や、報知用監視期間の設定に際しては、遊技ホールの管理者が有する所定のキーを用いてキー操作を行う必要がある構成となっている。これにより、許可なき者によってＲＴＣ１６３の日時の設定や報知用監視期間の設定が行われることが抑制されている。
【０１７３】
設定キー挿入部７４に対して設定キーのＯＮ操作がなされている場合には、ステップＳ６０７にて、入出力ポートの入力側における決定操作部１１４及び選択操作部１１５から入力している情報に基づいて、ＲＴＣ１６３の日時の設定操作がなされているか否かを判定する。ＲＴＣ１６３の日時の設定操作がなされている場合には、ステップＳ６０８にて日時の設定用処理を実行する。
【０１７４】
日時の設定用処理では、入出力ポートの入力側における決定操作部１１４及び選択操作部１１５から入力している情報に基づいて、決定操作部１１４及び選択操作部１１５の操作による日時の変更操作に対応した日時となるように、ＲＴＣ１６３にて計測されている情報を更新する。なお、日時の設定を開始する旨の操作や、日時の変更操作に際しては、後述する表示制御処理にて、それぞれに対応した画像が報知用装置１１１の表示画面１１３にて表示されるように表示駆動部１６５が駆動制御される。
【０１７５】
日時の設定用処理を実行した後は、ステップＳ６０９にて、日時の設定が完了したか否かを判定する。具体的には、入出力ポートの入力側における決定操作部１１４及び選択操作部１１５から入力している情報に基づいて、予め定められている設定完了操作がなされたか否かを判定する。日時の設定が完了していない場合には、そのまま本設定用処理を終了する。
【０１７６】
日時の設定が完了している場合には、ステップＳ６１０にて、監視側ＲＡＭ１６２にデータ消去監視フラグが格納されているか否かを判定する。データ消去監視フラグが格納されている場合には、そのまま本設定用処理を終了する。データ消去監視フラグが格納されていない場合には、ステップＳ６１１にて、データ消去監視フラグを格納するとともに、ステップＳ６１２にて、ＲＴＣ１６３の日時の設定を促す報知を終了させるための消去報知終了用コマンドを副側ＭＰＵ８５に送信する処理を実行する。その後、本時間等設定用処理を終了する。
【０１７７】
ここで、データ消去監視フラグが格納されていない状況においては、日時の設定が完了するまでデータ消去監視フラグが格納されないようにしたことにより、ＲＴＣの日時の設定操作が遊技ホールの管理者によってなされるまでは、基本的に当該操作を促す報知が行われるようにすることができる。
【０１７８】
一方、設定キー挿入部７４に対して設定キーのＯＮ操作がなされている場合であって日時の設定操作がなされていない場合には、ステップＳ６１３にて、入出力ポートの入力側における決定操作部１１４及び選択操作部１１５から入力している情報に基づいて、報知用監視期間の設定操作がなされているか否かを判定する。報知用監視期間の設定操作がなされていない場合には、そのまま本設定用処理を終了する。報知用監視期間の設定操作がなされている場合には、ステップＳ６１４にて報知用監視期間の設定用処理を実行した後に、本設定用処理を終了する。
【０１７９】
報知用監視期間の設定用処理では、入出力ポートの入力側における決定操作部１１４及び選択操作部１１５から入力している情報に基づいて、報知用監視期間が決定操作部１１４及び選択操作部１１５の操作に対応した期間となるように、監視側ＲＡＭ１６２の報知用監視期間記憶エリア１９５の情報を更新する。
【０１８０】
＜監視側ＭＰＵ９１の異常報知設定用処理＞
次に、異常報知設定用処理について、図１７のフローチャートを参照して説明する。ここで、異常報知設定用処理とは、異常報知の開始タイミングにおいて異常報知の実行条件が成立している場合に、異常報知を開始するための設定を行う処理である。
【０１８１】
異常報知設定用処理では、先ずステップＳ７０１にて、副側ＭＰＵ８５から要求コマンドを受信しているか否かを判定する。要求コマンドは、スロットマシン１０自身への動作電力の供給が開始されて副側ＭＰＵ８５の動作が開始されたことに基づいて、当該副側ＭＰＵ８５から送信されるコマンドである。なお、当該要求コマンドが送信されるための詳細な条件については後に説明する。要求コマンドを受信していない場合には、ステップＳ７０１にて否定判定をし、そのまま本設定用処理を終了する。要求コマンドを受信している場合には、ステップＳ７０１にて肯定判定をし、ステップＳ７０２に進む。
【０１８２】
ステップＳ７０２では、監視側ＲＡＭ１６２に報知条件成立フラグが格納されているか否かを判定する。報知条件成立フラグは、既に説明したとおり、報知用監視期間中に上記（１）〜（４）のいずれかの事象が発生した場合又は報知用監視期間中であるか否かに関係なく上記（５）の事象が発生した場合に格納されるフラグである。つまり、ステップＳ７０２では、報知対象となる事象が発生しているか否かを判定している。
【０１８３】
報知条件成立フラグが格納されている場合には、ステップＳ７０３〜ステップＳ７０５の報知開始用処理を実行した後に、本設定用処理を終了する。具体的には、ステップＳ７０３にて、監視側ＲＡＭ１６２の各種フラグ格納エリア１９６における報知実行フラグ格納エリア（報知実行中情報記憶手段）に報知実行フラグ（報知実行情報）を格納する。当該報知実行フラグが格納されることにより、報知実行中であること又は報知を実行すべき状況であることを監視側ＭＰＵ９１において特定することが可能となる。
【０１８４】
続くステップＳ７０４では、報知内容の特定処理を実行する。具体的には、報知用監視履歴記憶エリア１９２の各単位エリアにおいて報知解除条件が満たされていないエリア、具体的には報知判定データとして未解除情報としての「１」が格納されているエリアを特定し、その特定したエリアの事象データから今回の監視対象の事象が上記（１）〜（５）の事象のいずれであるかを特定する。この場合、複数種の事象が報知対象となっている場合には、それらを個別に特定する。但し、ステップＳ７０４では、同一種の事象が報知用監視履歴記憶エリア１９２に複数記憶されている場合には、それらを個別に特定することはなく、発生回数を考慮することなく当該事象が発生していることのみを特定する。
【０１８５】
続くステップＳ７０５では、ステップＳ７０４にて特定した事象の情報を含む報知有りコマンドを副側ＭＰＵ８５に送信する処理を実行する。かかる報知有りコマンドは、監視制御基板８３のＲＯＭ１６１に予め記憶されており、当該報知有りコマンドは、報知対象として特定されるパターンの全てに１対１で対応させて設定されている。副側ＭＰＵ８５では報知有りコマンドを受信することにより、その報知有りコマンドから、監視対象の事象が発生していること及びその事象の種類を特定する。なお、監視対象の事象が発生している状況において要求コマンドの受信に対して報知有りコマンドが送信されることに着目すると、報知有りコマンドは、監視対象の事象が発生している状況における応答コマンドであると言える。
【０１８６】
一方、報知条件成立フラグが格納されていない場合には、ステップＳ７０２にて否定判定をし、ステップＳ７０６に進む。ステップＳ７０６では、監視対象の事象が発生していないことを副側ＭＰＵ８５に把握させるための報知無しコマンドを送信する処理を実行する。その後、本設定用処理を終了する。副側ＭＰＵ８５では報知無しコマンドを受信することにより、その報知無しコマンドから、監視対象の事象が発生していないことを特定する。なお、監視対象の事象が発生していない状況において要求コマンドの受信に対して報知無しコマンドが送信されることに着目すると、報知無しコマンドは、監視対象の事象が発生していない状況における応答コマンドである。
【０１８７】
＜監視側ＭＰＵ９１の表示制御処理＞
次に、表示制御処理について、図１８のフローチャートを参照して説明する。ここで、表示制御処理とは、監視側ＭＰＵ９１において報知用装置１１１の表示駆動部１６５を制御し、表示画面１１３における表示内容を設定するための処理である。
【０１８８】
表示制御処理では、先ずステップＳ８０１にて表示画面１１３が点灯中であるか否か、具体的には表示画面１１３のバックライトが点灯中であるか否かを判定する。点灯中でない場合には、ステップＳ８０２にて、スロットマシン１０自身に動作電力が供給されているか否かを判定し、ステップＳ８０３にて、入出力ポートの入力側における電断中用扉監視スイッチ１６から入力している情報に基づいて、前面扉１２が開放中であるか否かを判定し、ステップＳ８０４にて、前面扉１２が開放中である場合にそれが開放直後であるか否かを判定し、ステップＳ８０５にて、決定操作部１１４又は選択操作部１１５の操作がなされているか否かを判定する。
【０１８９】
その結果、スロットマシン１０自身に動作電力が供給されていない場合又は前面扉１２が閉鎖中である場合には、ステップＳ８０２又はステップＳ８０３にて否定判定をすることでそのまま本表示制御処理を終了する。また、前面扉１２の開放後に所定期間を経過しているとともに決定操作部１１４及び選択操作部１１５の両方が操作されていない場合には、ステップＳ８０４及びステップＳ８０５の両方で否定判定をすることで、そのまま本表示制御処理を終了する。
【０１９０】
スロットマシン１０自身に動作電力が供給されているとともに、前面扉１２の開放後に所定期間が経過していない状況であれば、ステップＳ８０２、ステップＳ８０３及びステップＳ８０４の全てにおいて肯定判定をし、ステップＳ８０６以降の点灯開始用処理を実行する。また、前面扉１２の開放後に所定期間が経過している状況であっても、決定操作部１１４又は選択操作部１１５のいずれかが操作されている場合には、ステップＳ８０５において肯定判定をし、ステップＳ８０６以降の点灯開始用処理を実行する。
【０１９１】
ステップＳ８０６では、表示画面１１３の点灯処理を実行する。具体的には、報知用装置１１１の表示駆動部１６５に対してバックライトを点灯させるための駆動信号の出力を開始する。続くステップＳ８０７では、監視側ＲＡＭ１６２に報知実行フラグが格納されているか否かを判定する。
【０１９２】
報知実行フラグが格納されていない場合には、ステップＳ８０７にて否定判定をし、ステップＳ８０８にて通常データの設定処理を実行した後に、本表示制御処理を終了する。通常データの設定処理では、報知用装置１１１の表示画面１１３にて通常画像が表示されるように、監視側ＲＡＭ１６２の表示データ設定用エリア１９４に通常データを格納する（記憶させる又は更新する）。かかる通常データは、そのタイミングにおいてＲＴＣ１６３から取得した日時データと報知用監視期間記憶エリア１９５に記憶されている報知用監視期間のデータからなり、通常データが設定されることにより表示画面１１３では現在の日時の情報と現在設定されている報知用監視期間の情報とが画像として表示される。
【０１９３】
報知実行フラグが格納されている場合には、ステップＳ８０７にて肯定判定をし、ステップＳ８０９にて異常報知データの設定処理を実行した後に、本表示制御処理を終了する。異常報知データの設定処理では、報知用監視履歴記憶エリア１９２の各単位エリアにおいて、報知判定データエリアに未解除情報としての「１」が格納されているエリアを特定するとともに、その特定したエリアの事象データがいずれの監視対象の事象であるかを特定する。そして、特定した監視対象の事象の種類を示すデータと、監視履歴の報知中（警報中）であることを示すデータとを、監視側ＲＡＭ１６２の表示データ設定用エリア１９４に格納する（記憶させる又は更新する）。これにより、表示画面１１３では、監視履歴の報知中であることを示す情報と、特定した監視対象の事象の種類を示す情報とが画像として表示される。例えば、監視対象の事象として、スロットマシン１０自身の電源ＯＮ操作、前面扉１２の開放、主制御装置７１の移動が特定された場合には、表示画面１１３には、「ケイホウ：デンゲン、ドア、キバン」という文字の画像が表示される。
【０１９４】
なお、監視履歴の報知の内容は、上記のものに限定されることはなく、事象が発生したことを示す画像とともに、その事象の発生日時を示す画像が表示される構成としてもよい。また、報知解除条件が満たされていないエリアが複数ある場合には、各エリアに記憶されている監視対象の事象を示す画像と、その事象の発生日時を示す画像との組み合わせを、エリア毎に順次切り換え表示する構成としてもよい。
【０１９５】
一方、表示画面１１３が点灯中である場合には、ステップＳ８０１にて肯定判定をし、ステップＳ８１０以降の処理を実行する。すなわち、ステップＳ８１０にて、スロットマシン１０自身に動作電力が供給されているか否かを判定し、ステップＳ８１１にて、前面扉１２が開放中であるか否かを判定し、ステップＳ８１２にて、表示画面１１３の消灯タイミングとなっているか否かを判定する。
【０１９６】
なお、監視側ＲＡＭ１６２の計測用カウンタエリア１９３における消灯用カウンタエリアを用いて、表示画面１１３の点灯処理を行ったタイミングからの経過時間又は点灯処理後に報知用装置１１１の各種操作部１１４，１１５が操作されている場合には直近の操作タイミングからの経過時間がカウント値として計測され、消灯タイミングとなっているか否かの判定は、消灯用カウンタエリアにて計測された経過時間が所定時間（例えば、１０ｓｅｃ）となっているか否かを判定することにより行われる。
【０１９７】
スロットマシン１０自身に動作電力が供給されていない場合、前面扉１２が閉鎖されている場合、又は消灯タイミングとなっている場合には、ステップＳ８１０〜ステップＳ８１２のいずれかにて否定判定をし、ステップＳ８１３に進む。ステップＳ８１３では消灯用処理を実行する。消灯用処理では、報知用装置１１１の表示駆動部１６５へのバックライトを点灯させるための駆動信号の出力を停止するとともに、監視側ＲＡＭ１６２の表示データ設定用エリア１９４を初期化することで当該エリア１９４に記憶されている表示データの情報を消去する。
【０１９８】
スロットマシン１０自身に動作電力が供給されているとともに前面扉１２が開放中であり、さらに消灯タイミングとなっていない場合には、ステップＳ８１０〜ステップＳ８１２の全てにおいて肯定判定をし、ステップＳ８１４に進む。
【０１９９】
ステップＳ８１４では、監視側ＲＡＭ１６２に報知実行フラグが格納されているか否かを判定する。報知実行フラグが格納されている場合には、報知用装置１１１の表示画面１１３において既に異常報知を行っているか否かを判定する。既に異常報知を行っている場合には、そのまま本表示制御処理を終了する。異常報知を行っていない場合には、ステップＳ８０９にて異常報知データの設定処理を実行した後に、本表示制御処理を終了する。異常報知データの設定処理は既に説明したとおりである。
【０２００】
ステップＳ８１４にて、報知実行フラグが格納されていないと判定した場合には、ステップＳ８１６にて、履歴表示に係る操作がなされているか否かを判定する。ここで、本スロットマシン１０では、当該スロットマシン１０自身に動作電力が供給されている状況においては、決定操作部１１４又は選択操作部１１５への操作に基づいて、監視側ＲＡＭ１６２の常時用監視履歴記憶エリア１９１の各単位エリアに記憶されている情報、及び報知用監視履歴記憶エリア１９２の各単位エリアに記憶されている情報が表示画面１１３に表示される構成となっている。そして、かかる表示に際しては、常時用監視履歴記憶エリア１９１又は報知用監視履歴記憶エリア１９２のうちいずれかが履歴表示対象のエリアとして選択されるとともに、その選択されたエリアの各単位エリアに記憶されている監視対象の事象の情報とその事象の発生した日時を示す情報とが一組の情報として、それら一組の情報が選択操作部１１５の操作に基づいて切り換え表示される構成となっている。
【０２０１】
ステップＳ８１６では、入出力ポートの入力側における決定操作部１１４及び選択操作部１１５から入力している情報に基づいて、常時用監視履歴記憶エリア１９１又は報知用監視履歴記憶エリア１９２のうちいずれかについて履歴表示の決定操作がなされたか否かを判定するとともに、既に履歴表示の決定操作がなされている場合には表示画面１１３への表示対象とする上記一組の情報の切り換え操作がなされたか否かを判定する。履歴表示に係る操作がなされている場合には、ステップＳ８１７にて履歴データの設定処理を実行する。履歴データの設定処理では、ステップＳ８１６にて特定した操作内容に応じた表示用のデータを、常時用監視履歴記憶エリア１９１の単位エリア又は報知用監視履歴記憶エリア１９２の単位エリアから特定し、その表示用のデータを監視側ＲＡＭ１６２の表示データ設定用エリア１９４に格納する（記憶させる又は更新する）。これにより、その格納された表示用のデータに対応した履歴表示の画像が表示画面１１３にて表示される。その後、ステップＳ８１８に進む。なお、履歴データが存在していない場合には、履歴データが存在しない旨の表示用のデータが格納されて、履歴データが存在しない旨の画像が表示される。一方、履歴表示に係る操作がなされていない場合には、ステップＳ８１７の処理を実行することなくステップＳ８１８に進む。
【０２０２】
ステップＳ８１８では、表示画面１１３の切換タイミングであるか否かを判定する。本スロットマシン１０では、表示画面１１３に通常画像が表示されている状況が所定時間（例えば、２ｓｅｃ）継続することにより、報知用監視履歴記憶エリア１９２の各単位エリアに記憶されている監視対象の事象のうち、スロットマシン１０自身の電源ＯＮ操作の事象及び前面扉１２の開放の事象以外の事象であって最新の監視対象の事象の情報が表示されるとともに、その事象が発生した日時を示す情報が表示されることとなる最新異常用画像に表示内容が切り換えられる構成となっている。当該最新異常用画像が表示されている状況が所定時間（例えば、２ｓｅｃ）継続することにより、上記通常画像に表示内容が復帰する構成となっている。ステップＳ８１８では、監視側ＲＡＭ１６２の計測用カウンタエリア１９３における切換用カウンタエリアのカウンタ値を用いて、上記切換タイミングとなっているか否かを判定する。
【０２０３】
切換タイミングとなっている場合には、ステップＳ８１９にて通常画像の表示中であるか否かを判定する。通常画像の表示中でない場合、すなわち最新異常用画像の表示中である場合には、ステップＳ８２０にて通常データの設定処理を実行した後に、ステップＳ８２３に進む。通常データの設定処理の内容は、上記ステップＳ８０８と同様である。
【０２０４】
通常画像の表示中である場合には、ステップＳ８２１にて、切換対象履歴が有るか否か、具体的には、報知用監視履歴記憶エリア１９２のいずれかの単位エリアに、スロットマシン１０自身の電源ＯＮ操作の事象及び前面扉１２の開放の事象以外の事象の情報が記憶されているか否かを判定する。切換対象履歴が無い場合には、そのままステップＳ８２３に進む。切換対象履歴が有る場合には、ステップＳ８２２にて、最新履歴データの設定処理を実行する。最新履歴データの設定処理では、上記最新異常用画像が表示画面１１３にて表示されるように、監視側ＲＡＭ１６２の表示データ設定用エリア１９４に対して表示用のデータを格納する（記憶させる又は更新する）。その後、ステップＳ８２３に進む。
【０２０５】
ステップＳ８２３では、その他データの設定処理を実行する。その他データの設定処理では、例えば、決定操作部１１４又は選択操作部１１５への操作に基づいて表示画面１１３にメニュー画像を表示させるための処理などを実行する。また、その他データの設定処理では、監視側ＲＡＭ１６２にデータ消去監視フラグが格納されているか否かを判定し、データ消去監視フラグが格納されていない場合にはＲＴＣ１６３の日時の設定を促す報知が報知用装置１１１にて実行されるように、当該報知用のデータを表示データ設定用エリア１９４に格納する。これにより、報知用装置１１１の表示画面１１３にて、「セッテイシテクダサイ」といった画像が表示される。また、その他データの設定処理では、ＲＴＣ１６３の日時の設定が行われる場合に、その設定用の画像を表示画面１１３に表示させるための処理を実行するとともに、報知用監視期間の設定が行われる場合に、その設定用の画像を表示画面１１３に表示させるための処理を実行する。その後、本表示制御処理を終了する。
【０２０６】
＜監視側ＭＰＵ９１の異常報知解除用処理＞
次に、異常報知解除用処理について、図１９のフローチャートを参照して説明する。ここで、異常報知解除用処理とは、異常報知が実行されている状況において異常報知の解除条件が成立している場合に、異常報知を解除する設定を行うための処理である。
【０２０７】
異常報知解除用処理では、先ずステップＳ９０１にて報知制限中であるか否かを判定する。ここで、本スロットマシン１０では、副側ＭＰＵ８５における処理に基づいて実行される報知の種類として、主側ＭＰＵ１２２にて特定された異常に対する報知と、監視側ＭＰＵ９１にて特定された異常に対する報知と、監視側ＭＰＵ９１の通信異常に対する報知と、監視側ＭＰＵ９１のＲＴＣ１６３の日時の設定を促す報知と、スロットマシン１０自身に動作電力が供給されている状況において主側ＭＰＵ１２２にて前面扉１２の開放が検出されたことに対する報知と、が設定されている。
【０２０８】
この場合に、これら各種報知のうち、何について報知がなされているかを遊技ホールの管理者等が把握できないといった不都合が発生しないようにするために、上記複数種の報知には予め優先順位が設定されており、報知タイミングが重複した場合には段階的に実行される。当該優先順位について詳細には、主側ＭＰＵ１２２にて特定された異常に対する報知が最も優先順位が高く、監視側ＭＰＵ９１にて特定された異常に対する報知が次に優先順位が高く、監視側ＭＰＵ９１の通信異常に対する報知が次に優先順位が高く、監視側ＭＰＵ９１のＲＴＣ１６３の日時の設定を促す報知が次に優先順位が高く、主側ＭＰＵ１２２にて前面扉１２の開放が検出されたことに対する報知が最も優先順位が低くなるように設定されている。
【０２０９】
上記のように優先順位が設定されている構成において、報知制限中とは、優先順位が最も高く設定されている主側ＭＰＵ１２２にて特定された異常に対する報知が実行されている状況であることを意味する。かかる報知制限中か否かの判定は、監視側ＲＡＭ１６２の各種フラグ格納エリア１９６における報知制限フラグ格納エリア（報知制限情報記憶手段）に報知制限フラグ（報知制限情報）が格納（記憶）されているか否かを判定することにより行われる。
【０２１０】
報知制限中でない場合には、ステップＳ９０１にて否定判定をし、ステップＳ９０２に進む。ステップＳ９０２では、副側ＭＰＵ８５から報知制限開始コマンドを受信しているか否かを判定する。報知制限開始コマンドは、副側ＭＰＵ８５にて上記優先順位が最も高い報知が開始される場合に当該副側ＭＰＵ８５から送信されるコマンドである。報知制限開始コマンドを受信している場合には、ステップＳ９０３にて報知制限フラグを格納した後に、本解除用処理を終了する。報知制限開始コマンドを受信していない場合には、ステップＳ９０６に進む。
【０２１１】
一方、報知制限中である場合には、ステップＳ９０１に肯定判定をし、ステップＳ９０４に進む。ステップＳ９０４では、副側ＭＰＵ８５から報知制限終了コマンドを受信しているか否かを判定する。報知制限終了コマンドは、副側ＭＰＵ８５にて上記優先順位が最も高い報知が終了される場合に当該副側ＭＰＵ８５から送信されるコマンドである。報知制限終了コマンドを受信していない場合には、そのまま本解除用処理を終了する。報知制限終了コマンドを受信している場合には、ステップＳ９０５にて報知制限フラグを消去した後に、ステップＳ９０６に進む。
【０２１２】
ステップＳ９０６では、監視側ＲＡＭ１６２に報知実行フラグが格納されているか否かを判定する。報知実行フラグが格納されていない場合には、異常報知が実行されていない状況であるため、そのまま本解除用処理を終了する。報知実行フラグが格納されている場合には、ステップＳ９０７に進む。
【０２１３】
ステップＳ９０７では、操作系信号の読み込み処理を実行する。具体的には、監視側ＭＰＵ９１の入出力ポートにおける入力側を監視し、報知用装置１１１の決定操作部１１４と選択操作部１１５との操作の有無の特定をする。続くステップＳ９０８では、ステップＳ９０７にて特定した結果が、解除操作に対応した結果であるか否かを判定する。具体的には、決定操作部１１４及び選択操作部１１５の両方が同時に操作されているか否かを判定する。決定操作部１１４及び選択操作部１１５の両方が同時に操作されていない場合には、ステップＳ９０８にて否定判定をし、そのまま本解除用処理を終了する。
【０２１４】
決定操作部１１４及び選択操作部１１５の両方が同時に操作されている場合には、ステップＳ９０９にて監視側ＲＡＭ１６２から報知実行フラグを消去する。これにより、表示画面１１３では、解除操作がなされたことを示す情報が画像として表示される。例えば、表示画面１１３には、「カイジョサレマシタ」という文字の画像が表示される。
【０２１５】
続くステップＳ９１０では、監視側報知解除コマンドを副側ＭＰＵ８５に送信する処理を実行する。副側ＭＰＵ８５では、当該監視側報知解除コマンドを受信することにより、報知用監視期間に監視側ＭＰＵ９１にて特定された異常に対する報知に対して解除操作が有効になされたことを把握し、当該報知を終了する。
【０２１６】
続くステップＳ９１１では、解除許容状況であるか否かを判定する。具体的には、書込みポインタの情報を参照することで、報知用監視履歴記憶エリア１９２の各単位エリアのうち、最新の監視対象の事象が記憶されている単位エリアを特定し、当該単位エリアの日時データ用エリアに記憶されている情報を最新の発生日時の情報として読み出す。また、この読み出した最新の発生日時の情報に対して、監視制御基板８３のＲＯＭ１６１に予め記憶されている再報知期間（例えば、３時間）の情報を加算するための加算処理を実行する。そして、ＲＴＣ１６３から現状の日時の情報を読み出し、上記加算処理の結果の日時が現状の日時以前となっているか否かを判定する。その結果、上記加算処理の結果の日時が、現状の日時以前となっている場合（最新事象から３時間経過）には解除許容状況であると判定し、現状の日時以前となっていない場合には解除許容状況でないと判定する。
【０２１７】
なお、解除許容状況であるか否かを判定するための具体的な処理内容は、上記のものに限定されることはなく、最新の情報に対応した単位エリアの日時データ用エリアに記憶されている日時から再報知期間が経過した後の日時が、上記把握したＲＴＣ１６３の現状の日時以前となっているかを、換言すれば、ＲＴＣ１６３の現状の日時が、最新の情報に対応した単位エリアの日時データ用エリアに記憶されている日時から再報知期間が経過した後の日時となっているかを、判定することができるのであれば任意である。例えば、上記把握したＲＴＣ１６３の現状の日時の情報に対して、ＲＯＭ１６１に記憶されている再報知期間の情報を減算するための減算処理を実行する。そして、最新の情報に対応した単位エリアの日時データ用エリアに記憶されている情報の日時が、上記減算処理の結果の日時以前となっているか否かを判定する比較処理を実行する構成としてもよい。
【０２１８】
また、ＲＴＣ１６３を用いるのではなく、監視側ＲＡＭ１６２に時間計測用カウンタエリアを設け、当該時間計測用カウンタエリアにてカウントした値を用いて上記再報知期間を計測する構成としてもよい。また、このように時間計測用カウンタエリアを設ける場合、かかるカウンタエリアを報知用監視履歴記憶エリア１９２の各単位エリアに１対１で対応させて設け、それら単位エリアに監視対象の事象の情報を記憶させる場合に対応するカウンタエリアに再報知期間に対応した値を記憶させるようにする。そして、各カウンタエリアは一定周期で減算されるようにし、カウンタエリアの値が「０」になった単位エリアについては解除許容状況となっていると判定する構成としてもよい。
【０２１９】
ステップＳ９１１において解除許容状況となっていないと判定した場合には、そのまま本解除用処理を終了する。この場合、監視側ＲＡＭ１６２から報知実行フラグが消去されるものの、報知条件成立フラグが消去されないため、スロットマシン１０自身への動作電力の供給が次回開始された場合には、今回解除された異常報知に係る監視対象の事象に基づいて、再度、異常報知が開始される。
【０２２０】
ステップＳ９１１において解除許容状況となっていると判定した場合には、ステップＳ９１２にて監視側ＲＡＭ１６２の報知条件成立フラグを消去する。また、ステップＳ９１３にて報知判定データの更新処理を実行する。当該更新処理では、報知用監視履歴記憶エリア１９２の各単位エリアにおいて報知解除条件が満たされていない単位エリア、具体的には報知判定データとして未解除情報としての「１」が格納されている単位エリアを特定する。そして、それら特定した単位エリアについて、上記未解除情報が消去されるように報知判定データ用エリアを「０」クリアする。その後、本解除用処理を終了する。これにより、今回の異常報知に係る監視対象の事象に基づいて報知条件が成立したものとされた状態が解除され、新たに監視対象の事象が発生しない限り、スロットマシン１０自身への動作電力の供給が開始されたとしても、監視側ＭＰＵ９１の監視処理に基づく報知は開始されない。
【０２２１】
つまり、本スロットマシン１０では、既に説明したように、報知用監視期間中において監視側ＭＰＵ９１にて監視対象の事象が発生したことが特定された場合には、スロットマシン１０自身への動作電力の供給が開始されたことを契機として異常報知が開始されることとなる（図１７を参照し前述）。この場合に、当該異常報知は最新の監視対象の事象が発生した日時から再報知期間（例えば、３時間）が経過する前に異常報知の解除操作がなされたとしても、その時点で実行されている報知は一旦終了されることとなるが、スロットマシン１０自身への動作電力の供給が開始された場合には再度、同一の事象を報知発生の要因として異常報知が開始される。すなわち、異常報知の実行条件が成立した場合には、最新の監視対象の事象が発生した日時から再報知期間が経過した後に解除操作が行われない限り、異常報知の実行条件が成立した状態が保持され、当該状態が保持されている状況においては異常報知の開始タイミングとなる度に異常報知が開始される。
【０２２２】
ちなみに、上記のように報知制限中である場合にステップＳ９０６以降の処理を実行しないようにしたことにより、監視側ＭＰＵ９１にて特定された異常に対する報知の実行条件及び開始条件が成立しているものの上記主側ＭＰＵ１２２にて特定された異常に対する報知が優先されている状況において、監視側ＭＰＵ９１にて特定された異常に対する報知の解除操作が実行されたとしても、それが無効化される。これにより、監視側ＭＰＵ９１にて特定された異常に対する報知の実行条件及び開始条件の成立を解除するためには、当該報知が実行されている状況において解除操作をする必要が生じ、報知用監視期間において監視側ＭＰＵ９１にて監視対象の事象が発生した場合には、その旨の報知を確実に実行することができる。
【０２２３】
＜副側ＭＰＵ８５にて実行される通常処理＞
次に、図２０〜図２３のフローチャートを参照して副側ＭＰＵ８５にて実行される処理について説明する。
【０２２４】
図２０は、副側ＭＰＵ８５にて実行される通常処理を示すフローチャートである。
【０２２５】
通常処理は、定期的（具体的には、４ｍｓｅｃ）に起動される。通常処理では、ステップＳ１００１にて、演出用設定処理を実行する。演出用設定処理では、主側ＭＰＵ１２２から演出用コマンドを受信している場合に、その演出用コマンドに対応した演出を、発光部６１、スピーカ部６２及び演出用表示装置６３にて行うための処理を実行する。例えば、演出用コマンドに、発光部６１における発光、スピーカ部６２からの音の出力及び演出用表示装置６３における所定の画像の表示を、所定のタイミングで開始する旨の情報が含まれている場合には、その所定のタイミングで、発光部６１、スピーカ部６２及び演出用表示装置６３のそれぞれに対して所定の駆動信号の出力を開始する。なお、後述する異常報知を実行する場合には、それら異常報知が優先される。続くステップＳ１００２では、通常時の異常報知設定用処理を実行する。
【０２２６】
＜副側ＭＰＵ８５の通常時の異常報知設定用処理＞
ここで、通常時の異常報知設定用処理について、図２１のフローチャートを参照しながら説明する。
【０２２７】
通常時の異常報知設定用処理では、先ずステップＳ１１０１にて、入出力ポートの入力側における主側ＭＰＵ１２２から入力している情報に基づいて、主側報知開始コマンドを受信しているか否かを判定する。当該コマンドを受信していない場合には、そのまま本設定用処理を終了する。
【０２２８】
当該コマンドを受信している場合には、ステップＳ１１０２にて異常内容の特定処理を実行する。異常内容の特定処理では、主側報知開始コマンドに含まれる異常内容の情報から、何についての報知を今回開始するかを特定する。かかる異常内容としては、例えば、ホッパ装置４１のメダル不足や、投入メダル検出センサ１３３における検出異常が設定されている。ここで特定された情報は、副側ＲＡＭ１５２の主側報知情報記憶エリア１８１に格納される（記憶される又は更新される）。
【０２２９】
続くステップＳ１１０３では、副側ＲＡＭ１５２の各種フラグ格納エリア１８４における監視側異常報知フラグ格納エリア（監視側異常報知情報記憶手段）に監視側異常報知フラグ（監視側異常報知情報）が格納されているか否かを判定する。監視側異常報知フラグは、監視側ＭＰＵ９１から受信するコマンドに基づいて、報知用監視期間中に監視対象の事象が発生したことが副側ＭＰＵ８５において特定された場合に格納され、当該異常報知に対して有効な解除操作がなされた場合に消去されるフラグである。
【０２３０】
監視側異常報知フラグが格納されている場合には、ステップＳ１１０４にて、副側ＲＡＭ１５２の各種フラグ格納エリア１８４における報知待機フラグ格納エリア（報知待機情報記憶手段）に報知待機フラグ（報知待機情報）を格納する。ここで、既に説明したとおり、副側ＭＰＵ８５における処理に基づいて実行される各種報知には予め優先順位が設定されており、監視側ＭＰＵ９１にて特定された異常に対する報知に比べ、主側ＭＰＵ１２２にて特定された異常に対する報知は優先順位が高く設定されている。したがって、監視側異常報知フラグが格納されていて監視側ＭＰＵ９１にて特定された異常に対する報知の実行条件が成立している場合であっても、主側ＭＰＵ１２２にて特定された異常に対する報知の実行条件が成立している場合には、監視側ＭＰＵ９１にて特定された異常に対する報知が実行前であるか実行中であるかに関係なく、主側ＭＰＵ１２２にて特定された異常に対する報知が実行され、監視側ＭＰＵ９１にて特定された異常に対する報知の実行は待機される。この待機が行われている状況では報知待機フラグが格納され、当該待機が解除されることで報知待機フラグが消去される。
【０２３１】
ステップＳ１１０４にて報知待機フラグを格納した後、又はステップＳ１１０３にて否定判定をした場合には、ステップＳ１１０５にて、主側異常報知を開始する。この開始に際しては、副側ＲＡＭ１５２の主側報知情報記憶エリア１８１に記憶されている情報に基づいて報知内容を特定し、その特定した内容の報知が発光部６１、スピーカ部６２及び演出用表示装置６３にて実行されるようにこれら各機器を制御する。なお、既に他の報知や演出が実行されている場合であっても、それを中断し、主側異常報知を開始する。
【０２３２】
続くステップＳ１１０６では、副側ＲＡＭ１５２の各種フラグ格納エリア１８４における主側異常報知フラグ格納エリア（主側異常報知情報記憶手段）に主側異常報知フラグ（主側異常報知情報）を格納する。当該主側異常報知フラグによって副側ＭＰＵ８５において主側異常報知中であるか否かを特定することができる。続くステップＳ１１０７では、主側異常報知中であることを監視側ＭＰＵ９１に認識させるための情報である報知制限開始コマンドを当該監視側ＭＰＵ９１に送信する。報知制限開始コマンドを受信することで監視側ＭＰＵ９１にて実行される処理内容は既に説明したとおりである（ステップＳ９０２参照）。その後、本設定用処理を終了する。
【０２３３】
通常処理（図２０）の説明に戻り、ステップＳ１００２にて通常時の異常報知設定用処理を実行した後は、ステップＳ１００３にて、応答待機中又は報知待機中であるか否かを判定する。報知待機中であるか否かの判定は、副側ＲＡＭ１５２に上記報知待機フラグが格納されているか否かを判定することにより行う。一方、応答待機中であるか否かの判定は、副側ＲＡＭ１５２の各種フラグ格納エリア１８４における応答待機フラグ格納エリア（応答待機中情報記憶手段）に応答待機フラグ（応答待機中情報）が格納されているか否かを判定することにより行う。応答待機フラグは、副側ＭＰＵ８５から監視側ＭＰＵ９１に要求コマンドを送信したのに対して、監視側ＭＰＵ９１からの応答のコマンドを待っている状況である場合に格納され、当該待っている状況が解除された場合に消去されるフラグである。
【０２３４】
応答待機中又は報知待機中のいずれかである場合には、ステップＳ１００５に進む。一方、応答待機中及び報知待機中のいずれでもない場合には、ステップＳ１００４にて電源立ち上げ直後であるか否かを判定する。具体的には、副側ＲＡＭ１５２の各種フラグ格納エリア１８４における立ち上げフラグ格納エリア（立ち上げ情報記憶手段）に立ち上げフラグ（立ち上げ情報）が格納されているか否かを判定する。立ち上げフラグは、副側ＭＰＵ８５への動作電力の供給が開始された場合に格納され、副側ＭＰＵ８５から監視側ＭＰＵ９１に要求コマンドを送信した場合に消去されるフラグである。電源立ち上げ直後である場合にはステップＳ１００５に進み、電源立ち上げ直後でない場合にはステップＳ１００５を実行することなくステップＳ１００６に進む。ステップＳ１００５では、立ち上げ時の異常報知設定用処理を実行する。
【０２３５】
＜副側ＭＰＵ８５の立ち上げ時の異常報知設定用処理＞
ここで、立ち上げ時の異常報知設定用処理について、図２２のフローチャートを参照しながら説明する。
【０２３６】
立ち上げ時の異常報知設定用処理では、先ずステップＳ１２０１にて、副側ＲＡＭ１５２に報知待機フラグが格納されているか否かを判定することで、報知待機中であるか否かを判定する。報知待機中でない場合には、ステップＳ１２０２にて、副側ＲＡＭ１５２に応答待機フラグが格納されているか否かを判定することで、応答待機中であるか否かを判定する。応答待機中でない場合には、ステップＳ１２０３にて要求コマンドを監視側ＭＰＵ９１に送信するとともに、ステップＳ１２０４にて副側ＲＡＭ１５２から立ち上げフラグを消去する。
【０２３７】
ステップＳ１２０４の処理を実行した後、又は応答待機中でありステップＳ１２０２にて肯定判定をした場合には、ステップＳ１２０５に進む。ステップＳ１２０５では、上記要求コマンドの送信に対する監視側ＭＰＵ９１からの応答があったか否かを判定する。具体的には、入出力ポートの入力側における監視側ＭＰＵ９１から入力している情報に基づいて、報知有りコマンド又は報知無しコマンドのいずれかを受信しているか否かを判定する。
【０２３８】
監視側ＭＰＵ９１からの応答がない場合には、ステップＳ１２０６にて、副側ＲＡＭ１５２に応答待機フラグを格納し、ステップＳ１２０７にて、上記ステップＳ１２０３において要求コマンドを送信したタイミングから応答限度時間（具体的には、１ｓｅｃ）を経過したか否かを判定する。なお、応答限度時間が経過した否かの判定は、副側ＲＡＭ１５２の計測用カウンタエリア１８３を用いて行われ、当該計測用カウンタエリア１８３は、応答待機フラグが格納されている状況において通常処理が新たに起動される度に１更新される。
【０２３９】
応答限度時間を経過していない場合には、そのまま本設定用処理を終了する。応答限度時間を経過している場合には、ステップＳ１２０８にて、副側ＲＡＭ１５２から応答待機フラグを消去するとともに、ステップＳ１２０９にて、副側ＲＡＭ１５２の各種フラグ格納エリア１８４における通信異常報知フラグ格納エリア（通信異常報知情報記憶手段）に通信異常報知フラグ（通信異常報知情報）を格納する。当該通信異常報知フラグによって、副側ＭＰＵ８５において監視側ＭＰＵ９１との間での通信が正常に行えない状況であるか否かが特定される。
【０２４０】
監視側ＭＰＵ９１からの応答があった場合には、ステップＳ１２１０にて副側ＲＡＭ１５２から応答待機フラグを消去する。続くステップＳ１２１１では、監視側ＭＰＵ９１から受信した応答のコマンドが報知有りコマンドであるか否かを判定する。報知有りコマンドではなく、報知無しコマンドである場合には、報知用監視期間中に監視側ＭＰＵ９１にて異常が特定されなかったことを意味するため、そのまま本設定用処理を終了する。
【０２４１】
報知有りコマンドである場合には、ステップＳ１２１２にて、異常内容の特定処理を実行する。異常内容の特定処理では、報知有りコマンドに含まれる異常内容の情報から、何についての報知を今回開始するかを特定する。かかる異常内容は、既に説明した監視対象の事象のいずれかであり、ここで特定された情報は、副側ＲＡＭ１５２の監視側報知情報記憶エリア１８２に格納される（記憶される又は更新される）。また、ステップＳ１２１２では、副側ＲＡＭ１５２の各種フラグ格納エリア１８４における監視側異常報知フラグ格納エリア（監視側異常報知情報記憶手段）に監視側異常報知フラグ（監視側異常報知情報）を格納する。当該監視側異常報知フラグによって、副側ＭＰＵ８５において監視側異常報知を実行すべきであるか否かが特定される。
【０２４２】
続くステップＳ１２１３では、副側ＲＡＭ１５２に主側異常報知フラグが格納されているか否かを判定することで、主側異常報知中であるか否かを判定する。主側異常報知中でない場合には、ステップＳ１２１４に進み、副側ＲＡＭ１５２に報知待機フラグが格納されている場合には、それを消去する。続くステップＳ１２１５では、監視側異常報知を開始するための処理を実行する。この開始に際しては、副側ＲＡＭ１５２の監視側報知情報記憶エリア１８２に記憶されている情報に基づいて報知内容を特定し、その特定した内容の報知が発光部６１、スピーカ部６２及び演出用表示装置６３にて実行されるようにこれら各機器を制御する。なお、既に、主側異常報知以外の報知や演出が実行されている場合であっても、それを中断し、監視側異常報知を開始する。
【０２４３】
主側異常報知中である場合には、監視側異常報知を開始することなく、ステップＳ１２１６に進む。ステップＳ１２１６では、副側ＲＡＭ１５２に報知待機フラグが格納されていない場合には、当該報知待機フラグを格納する。その後、本設定用処理を終了する。
【０２４４】
一方、ステップＳ１２０１にて、報知待機フラグが格納されていると判定した場合には、ステップＳ１２１３に進む。そして、上述したステップＳ１２１３〜ステップＳ１２１６の処理を実行した後に、本設定用処理を終了する。
【０２４５】
通常処理（図２０）の説明に戻り、ステップＳ１００５にて立ち上げ時の異常報知設定用処理を実行した後、又はステップＳ１００３及びステップＳ１００４の両方にて否定判定をした場合には、ステップＳ１００６に進む。ステップＳ１００６では、主側異常報知中又は監視側異常報知中のいずれかであるか否かを判定する。主側異常報知中又は監視側異常報知中である場合には、ステップＳ１００７〜ステップＳ１０１１の処理を実行することなくステップＳ１０１２に進む。
【０２４６】
主側異常報知中及び監視側異常報知中のいずれでもない場合には、ステップＳ１００７にて、通信異常報知設定用処理を実行する。通信異常報知設定用処理では、副側ＲＡＭ１５２に通信異常報知フラグが格納されているか否かを判定し、通信異常報知フラグが格納されている場合には通信異常報知を開始するための処理を実行する。この場合、通信異常に対応した内容の報知が発光部６１、スピーカ部６２及び演出用表示装置６３にて実行されるようにこれら各機器を制御する。なお、既に、主側異常報知及び監視側異常報知以外の報知や演出が実行されている場合であっても、それを中断し、通信異常報知を開始する。
【０２４７】
ステップＳ１００７の処理を実行した後は、ステップＳ１００８にて、主側異常報知中、監視側異常報知中又は通信異常報知中のいずれかであるか否かを判定する。主側異常報知中、監視側異常報知中又は通信異常報知中である場合には、ステップＳ１００９〜ステップＳ１０１１の処理を実行することなく、ステップＳ１０１２に進む。
【０２４８】
主側異常報知中、監視側異常報知中及び通信異常報知中のいずれでもない場合には、ステップＳ１００９にて、消去報知設定用処理を実行する。消去報知設定用処理では、監視側ＭＰＵ９１から消去報知開始用コマンドを受信しているか否かを判定し、当該コマンドを受信している場合には、副側ＲＡＭ１５２の各種フラグ格納エリア１８４における消去報知フラグ格納エリア（消去報知情報記憶手段）に消去報知フラグ（消去報知情報）を格納するとともに、当該消去報知フラグが格納されている場合には、ＲＴＣ１６３の日時の設定を促す消去報知を開始するための処理を実行する。この場合、ＲＴＣ１６３の日時の設定を促す内容の報知が発光部６１、スピーカ部６２及び演出用表示装置６３にて実行されるようにこれら各機器を制御する。なお、既に、扉開放報知や演出が実行されている場合であっても、それを中断し、消去報知を開始する。
【０２４９】
ステップＳ１００９の処理を実行した後は、ステップＳ１０１０にて、上記のいずれかの報知中であるか否かを判定する。いずれかの報知中である場合には、ステップＳ１０１１の処理を実行することなく、ステップＳ１０１２に進む。いずれの報知中でもない場合には、ステップＳ１０１１にて、扉開放報知設定用処理を実行する。扉開放報知設定用処理では、主側ＭＰＵ１２２から扉開放コマンドを受信しているか否かを判定し、当該コマンドを受信している場合には、副側ＲＡＭ１５２の各種フラグ格納エリア１８４における扉開放フラグ格納エリア（扉開放情報記憶手段）に扉開放フラグ（扉開放情報）を格納するとともに、当該扉開放フラグが格納されている場合には、前面扉１２が開放中であることを知らせる扉開放報知を開始するための処理を実行する。この場合、前面扉１２が開放中であることを示す内容の報知が発光部６１、スピーカ部６２及び演出用表示装置６３にて実行されるようにこれら各機器を制御する。なお、既に、演出が実行されている場合であっても、それを中断し、扉開放報知を開始する。
【０２５０】
ステップＳ１０１１の処理を実行した後は、ステップＳ１０１２にて報知解除用処理を実行した後に、本通常処理を終了する。
【０２５１】
＜副側ＭＰＵ８５の報知解除用処理＞
ここで、報知解除用処理について、図２３のフローチャートを参照しながら説明する。
【０２５２】
報知解除用処理では、先ずステップＳ１３０１にて、主側ＭＰＵ１２２から主側報知解除コマンドを受信しているか否かを判定する。当該コマンドを受信している場合には、ステップＳ１３０２にて、主側異常報知の解除用処理を実行する。具体的には、副側ＲＡＭ１５２に格納されている主側異常報知フラグを消去するとともに、実行されている主側異常報知を終了させる。続くステップＳ１３０３では、監視側ＭＰＵ９１に向けて、主側異常報知が解除されたことを示す報知制限終了コマンドを送信する。その後、本解除用処理を終了する。
【０２５３】
主側報知解除コマンドを受信しておらずステップＳ１３０１にて否定判定をした場合には、ステップＳ１３０４にて、監視側ＭＰＵ９１から監視側報知解除コマンドを受信しているか否かを判定する。当該コマンドを受信している場合には、ステップＳ１３０５にて、監視側異常報知の解除用処理を実行する。具体的には、副側ＲＡＭ１５２に格納されている監視側異常報知フラグを消去するとともに、実行されている監視側異常報知を終了させる。その後、本解除用処理を終了する。
【０２５４】
監視側報知解除コマンドを受信しておらずステップＳ１３０４にて否定判定をした場合には、ステップＳ１３０６にて、主側ＭＰＵ１２２から通信異常解除コマンドを受信しているか否かを判定する。当該通信異常解除コマンドは、通信異常の解除操作、具体的には、リセットスイッチ６６の手動操作が行われたことに基づいて、主側ＭＰＵ１２２から副側ＭＰＵ８５に向けて送信される。当該コマンドを受信している場合には、ステップＳ１３０７にて、通信異常報知の解除用処理を実行する。具体的には、副側ＲＡＭ１５２に格納されている通信異常報知フラグを消去するとともに、通信異常報知が実行されている場合にはそれを終了させる。その後、本解除用処理を終了する。
【０２５５】
通信異常解除コマンドを受信しておらずステップＳ１３０６にて否定判定をした場合には、ステップＳ１３０８にて、その他解除用処理を実行する。その他解除用処理では、監視側ＭＰＵ９１から消去報知終了用コマンドを受信しているか否かを判定し、当該コマンドを受信している場合には、副側ＲＡＭ１５２に格納されている消去報知フラグを消去するとともに、消去報知が実行されている場合にはそれを終了させる。また、その他解除用処理では、主側ＭＰＵ１２２から扉閉鎖コマンドを受信しているか否かを判定し、当該コマンドを受信している場合には、副側ＲＡＭ１５２に格納されている扉開放フラグを消去するとともに、扉開放報知が実行されている場合にはそれを終了させる。その後、本解除用処理を終了する。
【０２５６】
＜監視側ＭＰＵ９１にて特定された異常に対する報知の様子＞
次に、報知用監視期間において監視側ＭＰＵ９１にて特定された異常に対する報知の様子について、その例を図２４のタイムチャートを参照しながら説明する。
【０２５７】
先ず、主側ＭＰＵ１２２にて異常が特定されずに、さらに再報知期間（例えば、３時間）が経過後に監視側異常報知の解除操作が行われる図２４（ａ）の期間について説明する。
【０２５８】
報知用監視期間（例えば、スロットマシン１０の電源ＯＦＦ中の夜間）において、ｔ１のタイミングで監視対象の事象が発生することにより、監視側ＲＡＭ１６２に報知条件成立フラグが格納される。その後、ｔ２のタイミングで、上記監視対象の事象の発生に対する再報知期間が経過するとともに、ｔ３のタイミングで、報知用監視期間が終了したとする。
【０２５９】
その後、ｔ４のタイミングで、電源が立ち上げられ、スロットマシン１０自身への動作電力の供給が開始される。この場合、監視側ＲＡＭ１６２に報知条件成立フラグが格納されているため、まず、副側ＭＰＵ８５による監視側異常報知が開始される。さらに、前面扉１２が開放されていることを条件として、監視側ＭＰＵ９１による異常報知として報知用装置１１１の表示画面１１３にて異常報知が開始される。
【０２６０】
その後、ｔ５のタイミングで、監視側異常報知の解除操作として、報知用装置１１１の決定操作部１１４及び選択操作部１１５の両方が手動操作されることにより、監視側ＭＰＵ９１による異常報知及び副側ＭＰＵ８５による監視側異常報知が終了されるとともに、既に再報知期間が経過しているため、監視側ＲＡＭ１６２から報知条件成立フラグが消去される。
【０２６１】
次に、主側ＭＰＵ１２２にて異常が特定されるとともに、再報知期間が経過後に監視側異常報知の解除操作が行われる図２４（ｂ）の期間について説明する。
【０２６２】
報知用監視期間において、ｔ６のタイミングで監視対象の事象が発生することにより、監視側ＲＡＭ１６２に報知条件成立フラグが格納され、その後、ｔ７のタイミングで、上記監視対象の事象の発生に対する再報知期間が経過するとともに、ｔ８のタイミングで、報知用監視期間が終了したとする。
【０２６３】
その後、ｔ９のタイミングで、電源が立ち上げられ、スロットマシン１０自身への動作電力の供給が開始される。上記図２４（ａ）の場合と異なり、今回は電源が立ち上げられた直後に主側ＭＰＵ１２２にて異常の発生が特定されている。この場合、監視側ＲＡＭ１６２に報知条件成立フラグが格納されている。前面扉１２が開放されていることを条件として、監視側ＭＰＵ９１による異常報知として報知用装置１１１の表示画面１１３にて異常報知が開始されるが、副側ＭＰＵ８５では主側異常報知が優先され、監視側異常報知の実行が待機される（保留される）。
【０２６４】
その後、主側異常報知が実行されている状況であるｔ１０のタイミングで、監視側異常報知の解除操作として、報知用装置１１１の決定操作部１１４及び選択操作部１１５の両方が手動操作されたとする。既に説明したとおり、主側異常報知が実行されていて監視側異常報知が待機されている状況では監視側異常報知の解除操作が行われても、それは無効化される。したがって、ｔ１０のタイミングでは、報知条件成立フラグが消去されることはなく、さらに監視側ＭＰＵ９１による異常報知は継続される。
【０２６５】
その後、ｔ１１のタイミングで、主側異常報知が終了されることで、副側ＭＰＵ８５では監視側異常報知を開始する。さらに、前面扉１２が開放されていることを条件として、監視側ＭＰＵ９１における異常報知として報知用装置１１１の表示画面１１３にて異常報知が開始される。その後、ｔ１２のタイミングで、監視側異常報知の解除操作が行われることにより、監視側ＭＰＵ９１による異常報知及び副側ＭＰＵ８５による監視側異常報知が終了されるとともに、既に再報知期間が経過しているため、監視側ＲＡＭ１６２から報知条件成立フラグが消去される。
【０２６６】
次に、主側ＭＰＵ１２２にて異常が特定されずれに、さらに再報知期間が経過する前に監視側異常報知の解除操作が行われる図２４（ｃ）の期間について説明する。
【０２６７】
報知用監視期間において、ｔ１３のタイミングで監視対象の事象が発生することにより、監視側ＲＡＭ１６２に報知条件成立フラグが格納される。その後、ｔ１４のタイミングで、電源が立ち上げられ、スロットマシン１０自身への動作電力の供給が開始される。この場合、監視側ＲＡＭ１６２に報知条件成立フラグが格納されているため、まず、副側ＭＰＵ８５による監視側異常報知が開始される。さらに、前面扉１２が開放されていることを条件として、監視側ＭＰＵ９１による異常報知が開始される。
【０２６８】
ちなみに、当該タイミングは報知用監視期間であり、さらに電源がＯＮ操作されることは監視対象の事象として設定されているため、当該事象の履歴は監視側ＲＡＭ１６２の報知用監視履歴記憶エリア１９２に格納される。そして、報知用監視期間にて発生した事象について、再報知が行われないようにするためには、最新事象（上記電源ＯＮ）から再報知期間が経過した後に解除操作を行う必要がある。
【０２６９】
その後、ｔ１５のタイミングで、監視側異常報知の解除操作がされることにより、監視側ＭＰＵ９１による異常報知及び副側ＭＰＵ８５による監視側異常報知が終了される。但し、当該タイミングにおいては未だ再報知期間が経過していないため、監視側ＲＡＭ１６２から報知条件成立フラグは消去されない。このように、再報知期間が経過していない状況で解除操作がされる場合としては、上記監視対象の事象を発生させた不正行為者が、当該事象に対する異常報知を遊技ホールの管理者に確認させないようにするために、予め解除操作を行おうとする場合が考えられる。
【０２７０】
その後、ｔ１６のタイミングで、不正行為者によってスロットマシン１０の電源が立ち下げられたとする。また、ｔ１７のタイミングで、上記監視対象の事象の発生に対する再報知期間が経過するとともに、ｔ１８のタイミングで、報知用監視期間が終了したとする。
【０２７１】
その後、ｔ１９のタイミングで、遊技ホールの管理者によって正規に電源が立ち上げられ、スロットマシン１０自身への動作電力の供給が開始される。この場合、監視側ＲＡＭ１６２に報知条件成立フラグが格納されているため、先ず、副側ＭＰＵ８５による監視側異常報知が開始される。さらに、前面扉１２が開放されていることを条件として、監視側ＭＰＵ９１による異常報知が開始される。かかる異常報知は、少なくとも上記ｔ１３のタイミングで発生した監視対象の事象についてなされるものであるため、上記ｔ１３のタイミングで発生した監視対象の事象について今回の報知は再報知に該当する。
【０２７２】
その後、ｔ２０のタイミングで、監視側異常報知の解除操作がなされることにより、監視側ＭＰＵ９１による異常報知及び副側ＭＰＵ８５による監視側異常報知が終了されるとともに、監視側ＲＡＭ１６２から報知条件成立フラグが消去される。
【０２７３】
以上詳述した本実施の形態によれば、以下の優れた効果を奏する。
【０２７４】
監視側ＭＰＵ９１が設けられていることにより、スロットマシン１０自身に動作電力が供給されていない状況において所定の事象の監視（以下、電源遮断中の監視などともいう）を行うことができる。また、監視側ＭＰＵ９１は、主側ＭＰＵ１２２や副側ＭＰＵ８５とは物理的に独立して設けられており、当該監視側ＭＰＵ９１では電源遮断中における監視及びその監視結果の報知に係る処理のみが実行される構成であるため、主側ＭＰＵ１２２や副側ＭＰＵ８５にて電源遮断中における監視を行う構成に比べ、電源遮断中の監視を行う上で必要な動作電力の低電力化が図られる。
【０２７５】
また、監視側ＭＰＵ９１では、電断中用電源部９３から供給される動作電力によって動作可能であるため、スロットマシン１０の電源投入中において仮に電源装置１２５からの動作電力の供給経路が遮断状態となっていたとしても、報知用監視期間に監視対象の事象の発生を特定した場合にはそれに対する報知を実行することができる。
【０２７６】
また、スロットマシン１０自身に動作電力が供給されていない場合における不正行為では遊技機自身に動作電力が供給されている場合（以下、電源投入中ともいう）における不正行為よりも手の込んだ行為が行われる可能性がある。これに対して、監視側ＭＰＵ９１の電源遮断中における監視結果の報知は、演出用や電源投入中の異常に対する報知に用いられる装置とは別に設けられた報知用装置１１１において実行される。したがって、電源遮断中における監視結果の報知が演出用や電源投入中の報知に用いられる装置のみにて実行される構成に比べ、電源遮断中における監視結果の報知を明確に行うことができる。
【０２７７】
また、上記のように監視側ＭＰＵ９１にて電源遮断中の監視が行われ、報知用装置１１１にてその監視結果の報知が行われる構成であるため、機種交換に際して、主側ＭＰＵ１２２、副側ＭＰＵ８５又は演出用表示装置６３などを交換する必要が生じたとしても、電源遮断中の監視システムをそのまま流用することが可能となる。よって、電源遮断中の監視システムの流用性及び汎用性が高まる。
【０２７８】
副側ＭＰＵ８５と監視側ＭＰＵ９１とが、内部空間の開放に際して痕跡が残ることとなる同一の基板ボックス８４内に収容されていることにより、副側ＭＰＵ８５と監視側ＭＰＵ９１との信号経路に対して不正を施そうとしてもそれが行いづらくなる。特に、副側ＭＰＵ８５では監視側ＭＰＵ９１が正常に動作しているか否かの監視が行われ、正常に動作していない場合にはその旨の報知が実行される構成であるため、監視側ＭＰＵ９１に対して不正を施して当該監視側ＭＰＵ９１が正常に動作しないようにしつつ、副側ＭＰＵ８５と監視側ＭＰＵ９１との信号経路に対して不正を施して監視側ＭＰＵ９１が正常に動作していないことを副側ＭＰＵ８５にて特定できないようにする行為が想定される。これに対して、上記のように副側ＭＰＵ８５と監視側ＭＰＵ９１とが同一の基板ボックス８４内に収容されていることにより、上記不正が行われてしまうことを阻止することが可能となる。ちなみに、監視側ＭＰＵ９１専用に基板ボックスを設ける構成に比べ、基板ボックスの数を抑えることができるとともに、筐体１１内という限られたスペースにおいて基板ボックスを設けるためのスペースの縮小化も図られる。
【０２７９】
副側ＭＰＵ８５が副制御基板８２に搭載されているとともに監視側ＭＰＵ９１が監視制御基板８３に搭載されていることにより、副側ＭＰＵ８５又は監視側ＭＰＵ９１の一方に異常等が生じた場合には、その対応する基板のみを交換するだけで済む。この場合に、副制御基板８２と監視制御基板８３とはハーネス等の信号線を介することなくコネクタ８４ａとコネクタ９４とによって接続されているため（ボードｔｏボード接続）、両基板８２，８３間の信号経路に対して不正を施そうとしてもそれが行いづらくなる。
【０２８０】
監視側ＭＰＵ９１において電源遮断中に監視対象の事象の発生が特定されて監視側ＲＡＭ１６２の報知用監視履歴記憶エリア１９２にその旨の情報が格納された場合には、再報知期間が経過した後に上記監視対象の事象の発生に対する報知が行われている状況において当該報知の終了操作が行われない限り、スロットマシン１０への動作電力の供給が開始される度に当該報知が実行される。これにより、電源遮断中に所定の装置などに不正を施した者が、遊技ホールの管理者に対して報知が行われないようにするために、不正を施すのに合わせて上記報知を終了させたとしても、その際に再報知期間が経過していないのであれば、上記報知が再度実行される。したがって、遊技ホールの管理者にとっては上記不正行為を発見し易くなる。
【０２８１】
特に、本スロットマシン１０では、上記報知を終了させる場合における遊技ホールの管理者の作業性に鑑みて、報知用装置１１１の決定操作部１１４及び選択操作部１１５を同時に手動操作するという比較的簡易な操作によって上記報知を終了させることができるようにしている。そうすると、上記作業性が向上するものの、不正行為者にとっても上記報知を終了させ易くなる。これに対して、上記のように再報知が実行され得る構成であるため、仮に不正行為者によって上記報知が終了させられたとしても上記報知が再度開始されることで、遊技ホールの管理者にとって上記報知を確認する機会が生じる。
【０２８２】
また、再報知が行われないようにするためには、再報知期間が経過した後に上記監視対象の事象の発生に対する報知が行われている状況において当該報知の終了操作が行われることを要する構成であるため、不正行為者にとって遊技ホールの管理者に報知の実行が認識されないようにするためには、スロットマシン１０に対して不正を施した後に再報知期間が経過するまで遊技ホールに居続ける必要が生じる。これに対して、不正行為者がスロットマシン１０に対して不正を施した後に遊技ホールに居続けることは起こり難いと考えられるため、再報知の解除を不正行為者が行うことは困難なものとなる。
【０２８３】
また、上記のように再報知期間が経過した後に上記監視対象の事象の発生に対する報知が行われている状況において当該報知の終了操作が行われない限り、スロットマシン１０への動作電力の供給が開始される度に当該報知が実行されるため、電源遮断中に監視対象の事象の発生が特定されて報知用監視履歴記憶エリア１９２にその旨の情報が格納された場合には、少なくとも１回はそれについての報知が実行されるとともに、再報知期間が経過していない状況で上記報知が開始されて当該報知が終了されたとしても、その後に少なくとも１回は上記報知が実行される。よって、遊技ホールの管理者にとって上記報知を確認する機会が高まり、電源遮断中に不正行為が行われたとしてもそれを発見し易くなる。
【０２８４】
不正行為者が主制御装置７１の交換といった重度の不正をスロットマシン１０に施した後に、スロットマシン１０の電源ＯＮ操作や前面扉１２の開放といった他の監視対象の事象を発生させることが想定される。この場合、後の行為に際して、先の行為について再報知の条件が解除されてしまうと、遊技ホールの管理者が不正の本質（先に行われた重度の不正等）を見誤ることが懸念される。これに対して、報知用監視履歴記憶エリア１９２に報知対象の情報が記憶されている状況において、報知用監視期間中に新たに監視対象の事象の発生が特定された場合には、当該新たな監視対象の事象発生から再報知期間が経過し当該新たな監視対象の事象について報知対象とならないように設定（即ち、異常報知解除操作）されるまでは、既に記憶されていた報知対象の情報は報知対象として維持される。これにより、上記後の行為について報知が実行される場合には、それに合わせて上記先の行為についても報知が実行される。よって、遊技ホールの管理者が不正の本質を見誤る可能性が低減される。
【０２８５】
監視側ＭＰＵ９１では、スロットマシン１０の電源投入中及び電源遮断中のいずれにおいても所定の事象の監視を行えるようにした構成において、一部の事象を除いて、設定された報知用監視期間中に発生した事象について報知用監視履歴記憶エリア１９２に記憶させ、当該報知用監視履歴記憶エリア１９２に記憶されている事象について報知を行うようにした。これにより、監視側ＭＰＵ９１における監視結果の報知が必要以上に実行されることを抑えることが可能となる。
【０２８６】
＜第２の実施の形態＞
上記第１の実施の形態では、報知用監視期間において監視側ＭＰＵ９１にて監視対象の事象の発生が特定された場合のそれに対する異常報知の開始契機を、スロットマシン１０自身への動作電力の供給が開始されることとしたが、本実施の形態では、当該異常報知の開始契機が異なっている。そして、当該開始契機の相違は、監視側ＭＰＵ９１における異常報知設定用処理の処理構成が上記第１の実施の形態と異なっていることにより生じている。そこで、以下に、本実施の形態における異常報知設定用処理について説明する。図２５は、異常報知設定用処理を示すフローチャートである。
【０２８７】
異常報知設定用処理では、先ずステップＳ１４０１にて、主側ＭＰＵ１２２にて所定の異常の発生が特定されたことを示す主側異常コマンドを受信しているか否かを判定する。本実施の形態では、当該主側異常コマンドは、主側ＭＰＵ１２２から送信され副側ＭＰＵ８５にて中継されて監視側ＭＰＵ９１において受信されるが、主側ＭＰＵ１２２から送信された主側異常コマンドが監視側ＭＰＵ９１にて直接受信される構成としてもよい。また、主側ＭＰＵ１２２から主側異常コマンドが送信される場合とは、主側ＭＰＵ１２２にてホッパ装置４１のメダル不足が特定された場合である。
【０２８８】
主側異常コマンドを受信していない場合には、そのまま本設定用処理を終了する。主側異常コマンドを受信している場合には、ステップＳ１４０２にて、監視側ＲＡＭ１６２に報知条件成立フラグが格納されているか否かを判定する。報知条件成立フラグが格納されている場合には、ステップＳ１４０３にて監視側ＲＡＭ１６２に報知実行フラグを格納し、続くステップＳ１４０４にて報知内容の特定処理を実行し、続くステップＳ１４０５にて報知有りコマンドを副側ＭＰＵ８５に送信する処理を実行する。その後、本設定用処理を終了する。上記第１の実施の形態と同様に、副側ＭＰＵ８５では、上記報知有りコマンドを受信することに基づいて、監視側異常報知を行うための処理を実行する。
【０２８９】
一方、報知条件成立フラグが格納されていない場合には、報知無しコマンドを副側ＭＰＵ８５に送信する処理を実行する。その後、本設定用処理を終了する。上記第１の実施の形態と同様に、副側ＭＰＵ８５では、上記報知無しコマンドを受信した場合には、監視側異常報知を行うための処理を実行しない。
【０２９０】
以上詳述した本実施の形態によれば、報知用監視期間において監視側ＭＰＵ９１にて監視対象の事象の発生が特定された場合には、主側ＭＰＵ１２２にて異常が特定されたことを開始契機として異常報知が開始されるようにしたことにより、不正が施された場合に発生し易い事象が発生した場合に異常報知を行うことができる。
【０２９１】
特に、不正行為者は、多量のメダルを不正に取得することを目的としてスロットマシン１０に対して不正行為を行うものと考えられ、多量のメダルが短時間で払い出されるとホッパ装置４１のメダル不足が発生するものと考えられる。このような事情において、主側ＭＰＵ１２２にてホッパ装置４１のメダル不足が特定されたことを開始契機として上記異常報知を開始することにより、遊技ホールの管理者にとっては不自然なメダルの払出に対して適切に対処することができる。
【０２９２】
なお、異常報知の開始契機は、ホッパ装置４１のメダル不足に限定されることはなく、例えば、予め定められた規定遊技回数内（又は予め定められた規定経過期間内）におけるメダルの払出枚数又はメダルの投入と払出の差枚数が契機基準枚数となった場合としてもよい。また、予め定められた規定遊技回数内（又は予め定められた規定経過期間内）における遊技者にとって有利な状態の付与回数が契機基準回数となった場合としてもよい。また、予め定められた規定遊技回数内（又は予め定められた規定経過期間内）における精算スイッチ５１の操作回数が契機基準回数となった場合としてもよい。また、上記のように所定の異常の発生を開始契機とするのではなく、所定時刻となったことを開始契機としてもよい。この場合、当該所定時刻を遊技ホールの管理者によって設定可能な構成としてもよい。
【０２９３】
＜第３の実施の形態＞
上記第１の実施の形態では、報知用監視期間において監視側ＭＰＵ９１にて監視対象の事象の発生が特定された場合、一定の期間として設定された再報知期間（例えば、３時間）が経過した後に解除操作がなされることで、その後に再報知が実行されなくなる構成としたが、本実施の形態では、上記再報知期間を変更可能となっている。そして、当該構成の相違は、監視側ＲＡＭ１６２に終了基準情報記憶エリア（不図示）が設定されているとともに、当該エリアに格納される情報を変更可能とする終了基準変更処理が監視側ＭＰＵ９１にて実行されることにより生じている。そこで、以下に、終了基準変更処理について、図２６のフローチャートを参照して説明する。なお、当該終了基準変更処理は、通常処理（図１４）の複数種の処理における一部の処理として設定されている。
【０２９４】
終了基準変更処理では、先ずステップＳ１５０１にて、監視側ＲＡＭ１６２に報知条件成立フラグが格納されているか否かを判定する。報知条件成立フラグが格納されている場合には、そのまま本変更処理を終了する。
【０２９５】
報知条件成立フラグが格納されていない場合には、ステップＳ１５０２にて、終了基準変更操作がされているか否かを判定する。具体的には、入出力ポートの入力側における報知用装置１１１の決定操作部１１４及び選択操作部１１５から入力している情報に基づいて、これら決定操作部１１４及び選択操作部１１５に対して所定の終了基準変更操作がされているか否かを判定する。
【０２９６】
終了基準変更操作がされていない場合には、そのまま本変更処理を終了する。終了基準変更操作がされている場合には、ステップＳ１５０３にて、終了基準情報の更新用処理を実行する。具体的には、監視側ＲＡＭ１６２の終了基準情報記憶エリアにおける情報を、ステップＳ１５０２にて特定した終了基準変更操作に対応した再報知期間（例えば、３時間以外）の情報に更新する。これにより、再報知発生の終了基準、具体的には再報知期間が変更される。その後、本変更処理を終了する。
【０２９７】
なお、ステップＳ１５０３の処理を実行した場合は、上記ステップＳ９１１ではＲＯＭ１６１の再報知期間を使用せず、ＲＡＭ１６２の終了基準情報記憶エリアの情報を使用する。
【０２９８】
以上詳述した本実施の形態によれば、再報知発生の終了基準を変更することができるため、不正行為者にとっては当該終了基準に不規則性が生じ、当該終了基準の特定が行いづらくなる。
【０２９９】
また、報知用監視履歴記憶エリア１９２に報知対象の情報が記憶されている場合にはステップＳ５１０で上述したように報知条件成立フラグが格納されているため、上記ステップＳ１５０１に示すように終了基準を変更することが不可となるようにしたため、不正行為者がスロットマシン１０に搭載された装置に対して不正を施した後に、上記終了基準を変更して異常再報知が実行されないようにすることが不可となる。
【０３００】
＜他の実施の形態＞
なお、上述した各実施の形態の記載内容に限定されず、例えば次のように実施してもよい。なお、以下の各構成を、上記各実施の形態に対して個別に適用してもよく、任意の組合せで適用してもよい。
【０３０１】
（１）上記各実施の形態では、監視側ＭＰＵ９１では、スロットマシン１０自身に動作電力が供給されている場合及びスロットマシン１０自身に動作電力が供給されていない場合の両方において所定の事象の監視を実行する構成としたが、これに代えて、スロットマシン１０自身に動作電力が供給されていない場合にのみ所定の事象の監視を実行する構成としてもよい。この場合であっても、上記各実施の形態における報知用装置１１１を通じた報知の構成、再報知に関する構成、主側異常報知と監視側異常報知との相関の構成、監視側ＭＰＵ９１と副側ＭＰＵ８５とが同一の基板ボックス８４に収容された構成、信号経路に関する構成を適用することが好ましい。
【０３０２】
（２）監視対象の事象の種類は、上記各実施の形態における事象に限定されることはなく、上記各実施の形態における事象の一部であってもよく、他の事象を監視対象の事象として設定してもよい。
【０３０３】
例えば、上記各実施の形態と同様に、監視側ＭＰＵ９１にて報知用監視期間中に監視対象の事象が発生したことが特定された場合にはスロットマシン１０自身への動作電力の供給が行われている状況において報知が行われ、さらに当該報知を終了させるためには電源投入中に終了操作を行う必要がある構成において、電源ＯＦＦ操作を監視対象の事象として設定してもよい。この場合、不正行為者が、スロットマシン１０に対して不正を施した後に、スロットマシン１０に電源を投入して上記不正についての報知を終了させたとしても、スロットマシン１０の電源ＯＦＦ操作をした際に当該事象が報知対象となる。そして、この状態は報知用監視期間中においてはいつまでも継続される。本構成によれば、上記各実施の形態のように再報知期間を設定しなくても、不正行為者によって報知の終了操作が行われることに対処することが可能となる。
【０３０４】
また、例えば、上記各実施の形態と同様に、監視側ＭＰＵ９１にて異常が特定されたことに対する報知を終了させるために前面扉１２を開放させる必要がある構成においては、前面扉１２が開放状態から閉鎖されたことを監視対象の事象としてもよい。この場合も、上記のように電源ＯＦＦ操作を監視対象の事象とした場合と同様の作用効果を奏する。
【０３０５】
また、例えば、設定キー挿入部７４がＯＮ操作されたか否かを監視対象の事象としてもよく、この場合、電源ＯＮ操作を監視対象としなくても、当選確率の設定操作が不正に行われたか否かを監視することが可能となる。また、スタート検出センサ１３１が設置箇所から移動したか否かを監視対象の事象としてもよい。
【０３０６】
また、扉監視スイッチ１５，１６が２個設けられていることは必須ではなく、扉監視スイッチを１個のみ設けるようにしてもよい。この場合、例えば電断中用扉監視スイッチ１６のみとし、電源ＯＮ中に前面扉１２の開放を検知した場合には監視側ＭＰＵ９１から副側ＭＰＵ８５へその旨の信号を送信し、その信号を受信した副側ＭＰＵ８５が演出用表示装置６３、発光部６１及びスピーカ部６２等を通じて電源ＯＮ中の開放報知を行う構成としてもよい。
【０３０７】
（３）扉側中継基板１１２及び筐体側中継基板１７１の少なくとも一方に中継される対象の機器は、上記各実施の形態におけるものに限定されることはなく、例えば、主制御装置監視スイッチ７６の信号経路が中継される構成としてもよい。また、報知用装置１１１が扉側中継基板１１２に搭載されていない状態で、報知用装置１１１の信号経路が扉側中継基板１１２に中継されている構成としてもよい。また、発光部６１及びスピーカ部６２の信号経路が扉側中継基板１１２に中継されない構成としてもよく、代わりに演出用表示装置６３の信号経路が中継される構成としてもよい。
【０３０８】
（４）上記各実施の形態では、報知用監視履歴記憶エリア１９２の各単位エリアに記憶された監視対象の事象の情報は、再報知期間が経過した後に異常報知が行われている状況において当該報知の終了操作が行われた場合に未解除情報が消去され、これにより報知対象から外される構成としたが、これに代えて、報知対象から外される状況となった場合には、単位エリアから監視対象の事象の情報そのものが消去される構成としてもよい。この場合、報知用監視履歴記憶エリア１９２には報知判定データ用エリアを設ける必要はない。本構成においては、報知用監視履歴記憶エリア１９２の単位エリアに記憶されている監視対象の事象の情報は、全て報知対象の情報となる。上記構成によれば、報知用監視履歴記憶エリア１９２の各単位エリアに記憶されている情報を用いて、決定操作部１１４や選択操作部１１５の積極操作に基づく履歴の情報の確認を行うことができなくなるが、報知用監視履歴記憶エリア１９２において必要な記憶容量の削減が図られる。
【０３０９】
（５）上記各実施の形態では、報知用監視履歴記憶エリア１９２に報知対象の情報が複数記憶されている場合には、最新の報知対象の情報が発生した時刻から再報知期間が経過した後に、それら報知対象の情報について異常報知が実行されている状況において報知終了操作が行われた場合に、報知用監視履歴記憶エリア１９２に記憶されている複数の報知対象の情報はまとめて報知対象ではなくなるように設定される構成としたが、これに限定されない。例えば、報知用監視履歴記憶エリア１９２に報知対象の情報が複数記憶されている場合には、それら各報知対象の情報について個別に解除条件が成立しているか否かが判定され、解除条件が成立した報知対象の情報から報知対象ではなくなるように設定される構成としてもよい。
【０３１０】
（６）副側ＭＰＵ８５における処理に基づいて実行される複数種類の報知の優先順位は、上記各実施の形態におけるものに限定されることはなく、例えば、主側ＭＰＵ１２２にて特定された異常に対する報知よりも、監視側ＭＰＵ９１にて特定された異常に対する報知の方が優先される構成としてもよい。また、監視側ＭＰＵ９１の通信異常に対する報知が最も優先される構成としてもよい。また、例えば、少なくとも主側ＭＰＵ１２２にて特定された異常に対する報知と監視側ＭＰＵ９１にて特定された異常に対する報知とが、同時に行われる構成としてもよく、上記優先順位が設定されておらず、報知の開始タイミングが重複した場合には、各報知が同時に行われる構成としてもよい。このように複数種の報知が同時に行われる構成においては、同時に行っている報知対象の種類の情報を明示する構成とすることが好ましい。
【０３１１】
また、上記各実施の形態では、主側ＭＰＵ１２２にて異常の発生が特定されているとともに監視側ＭＰＵ９１にて異常の発生が特定されている場合には、副側ＭＰＵ８５では主側異常報知が優先され、監視側異常報知の実行が待機されるのに対して、監視側ＭＰＵ９１による報知用装置１１１を通じた異常報知は待機することなく実行される構成としたが、これに限定されることはなく、副側ＭＰＵ８５において主側異常報知が優先されている状況では、監視側ＭＰＵ９１による報知用装置１１１を通じた異常報知も待機される構成としてもよい。
【０３１２】
（７）監視側ＭＰＵ９１により報知制御される報知手段は、報知用装置１１１に限定されることはなく、専用のスピーカ部や専用の発光部であってもよい。また、報知用装置１１１に表示画面１１３、決定操作部１１４及び選択操作部１１５が搭載されていることは必須ではなく、報知用装置１１１には表示画面１１３のみが搭載され、決定操作部１１４及び選択操作部１１５は他の位置に搭載された構成としてもよい。また、決定操作部１１４や選択操作部１１５を不具備として、それらの機能がスタートレバー２４やストップスイッチ２５ａ〜２５ｃといった既存の操作部にて兼用される構成としてもよい。
【０３１３】
（８）監視側ＭＰＵ９１にて報知用監視期間に監視対象の事象が発生していると特定されて実行されている異常報知を終了させる条件は、決定操作部１１４及び選択操作部１１５が同時に操作されることではなく任意であり、例えば、いずれか一方の操作部が操作されたこととしてもよく、スタートレバー２４などの既存の操作部が操作されたこととしてもよく、操作部としてテンキー等の識別情報入力部を有する構成においては当該識別情報入力部に対して暗証番号の入力操作が行われたこととしてもよく、設定キー挿入部７４に対する設定キーのＯＮ操作や他のキー挿入部に対する所定のキーのＯＮ操作としてもよい。また、操作部に代えて受信部を設け、遊技ホールの管理者が有する端末装置から発信された終了用電波を上記受信部にて受信することにより、異常報知を終了させる構成としてもよい。さらにまた、積極操作を要することなく、予め定められた報知継続期間（例えば、１ｍｉｎ）が経過した場合に異常報知が終了される構成としてもよい。
【０３１４】
なお、上記のような暗証番号の入力を条件とするものを、ＲＴＣ１６３の日時の設定や報知用監視期間の設定に対して適用してもよい。また、上記のように暗証番号の入力に関する構成を適用する場合、周知の暗証番号忘れ防止手段や周知の暗証番号変更手段の構成を適用してもよい。
【０３１５】
（９）上記各実施の形態では、スロットマシン１０に動作電力が供給されている状況における監視が主側ＭＰＵ１２２にて実行される構成としたが、これに代えて、専用の制御装置にて実行される構成としてもよく、また副側ＭＰＵ８５にて実行される構成としてもよい。
【０３１６】
（１０）監視側ＭＰＵ９１にＲＴＣ１６３が搭載されていることは必須ではなく、ＲＴＣ１６３を不具備としてもよい。この場合、再報知期間の計測は、監視側ＲＡＭ１６２に設けたカウンタや、監視制御基板８３に設けたカウンタ回路などにて行う構成としてもよい。また、報知用装置１１１における監視結果の履歴の表示などに際して発生日時を表示しない構成としてもよい。
【０３１７】
（１１）上記各実施の形態では、監視側ＭＰＵ９１にて監視対象の事象が発生していることが特定されたことに基づいて異常報知が実行された場合の解除条件が、再報知期間が経過した後に異常報知が行われている状況において当該異常報知の終了操作が行われることとしたが、これを変更してもよい。例えば、テンキー等の識別情報入力部を有する構成においては、当該識別情報入力部に対して暗証番号の入力操作が行われた後に、異常報知が実行されている状況において当該異常報知の終了操作が行われることとしてもよい。また、設定キー挿入部７４に対する設定キーのＯＮ操作や他のキー挿入部に対する所定のキーのＯＮ操作が行われた後に、異常報知が実行されている状況において当該異常報知の終了操作が行われることとしてもよい。また、受信部を設け、遊技ホールの管理者が有する端末装置から発信された終了用電波を上記受信部にて受信した後に、異常報知が実行されている状況において当該異常報知の終了操作が行われることとしてもよい。
【０３１８】
（１２）上記各実施の形態では、監視側ＭＰＵ９１における監視結果の報知がスロットマシン１０の電源投入中においてのみ実行される構成としたが、スロットマシン１０の電源遮断中においてのみ又は電源遮断中においても実行される構成としてもよい。
【０３１９】
また、報知用監視期間を変更可能な構成としたが、かかる報知用監視期間が固定式であってもよい。また、主制御装置７１の設置箇所からの移動の事象についても報知用監視期間外に発生した場合には報知対象外とする構成としてもよい。
【０３２０】
（１３）上記各実施の形態では、監視側ＭＰＵ９１において監視対象の事象の発生タイミングのみが監視される構成としたが、終了タイミングも監視するとともに、終了日時の情報を常時用監視履歴記憶エリア１９１及び報知用監視履歴記憶エリア１９２に記憶させる構成としてもよい。この場合、遊技ホールの管理者は、監視対象の事象が発生したことが報知された場合には、その事象の発生時刻と終了時刻とを比較することで、不正の程度を予測することが可能となる。なお、当該予測を監視側ＭＰＵ９１において行い、その予測結果を報知する構成としてもよい。
【０３２１】
（１４）上記各実施の形態において、報知用装置１１１が副制御装置８１の基板ボックス８４内に収容されている又は基板ボックス８４の表面に搭載されている構成としてもよい。この場合、監視側ＭＰＵ９１と報知用装置１１１との間の信号経路が基板ボックス８４の外部に露出することが抑えられるため、当該信号経路を切断する又は当該信号経路に対して不正基板を接続させるといった不正行為を行いづらくさせることが可能となる。
【０３２２】
また、報知用装置１１１が前面扉１２の表面において露出している構成としてもよく、報知用装置１１１の表示画面１１３が前面扉１２の遊技パネル２０や下部パネルを介してスロットマシン１０前方から視認可能となっている構成としてもよい。
【０３２３】
（１５）報知用装置１１１の動作電力が電源装置１２５から供給されるのではなく、監視制御基板８３の電断中用電源部９３から供給される構成としてもよい。この場合、スロットマシン１０自身への動作電力の供給が行われていない状況において報知用装置１１１にて異常報知を実行することが可能となる。また、監視制御基板８３の電断中用電源部９３から副側ＲＡＭ１５２に対してバックアップ電力が供給される構成としてもよい。
【０３２４】
（１６）監視側ＭＰＵ９１において報知用監視期間に監視対象の事象の発生が特定された場合には、スロットマシン１０への動作電力の供給が開始されたタイミングなどにおいて外部集中端子板１４１を通じて遊技ホールの管理装置に異常信号を送信する構成としてもよい。この場合、遊技ホールの管理装置においても上記監視対象の事象の発生を特定又は記憶することが可能となる。
【０３２５】
（１７）上記各実施の形態では、常時用監視履歴記憶エリア１９１の各単位エリア及び報知用監視履歴記憶エリア１９２の各単位エリアには、複数種類の監視対象の事象が発生した順序に従って記憶される構成としたが、これに代えて、各事象に対応したエリアを有し、それらエリアに対して個別に複数の単位エリアが設定された構成としてもよい。
【０３２６】
また、予め設定される複数種類の事象のうち、監視対象とする事象を遊技ホールの管理者が選択可能な構成としてもよい。この場合、１種類のみを選択可能な構成としてもよく、任意の組み合わせで複数選択可能な構成としてもよい。
【０３２７】
（１８）監視側ＭＰＵ９１に独自の識別情報（例えば、製造番号の情報）が予め記憶されている構成においては、監視側ＭＰＵ９１から副側ＭＰＵ８５に当該識別情報が送信されるとともに、演出用表示装置６３にて当該識別情報が表示される構成としてもよい。この場合、遊技ホールの管理者は当該表示された識別情報を確認することで、監視側ＭＰＵ９１が正規のものであるか否かを確認することができる。
【０３２８】
（１９）上記各実施の形態では、主側ＭＰＵ１２２における監視対象の事象と監視側ＭＰＵ９１における監視対象の事象とが一部重複している構成としたが、これに代えて、全部が重複している構成としてもよく、一切重複していない構成としてもよい。
【０３２９】
（２０）上記各実施の形態では、副側ＭＰＵ８５と監視側ＭＰＵ９１とが同一の基板ボックス８４に収容された構成としたが、これに限定されることはなく、主側ＭＰＵ１２２と監視側ＭＰＵ９１とが同一の基板ボックスに収容された構成としてもよい。この場合、主側ＭＰＵ１２２において、監視側ＭＰＵ９１が正常に動作しているか否かの監視を行う構成としてもよい。また、主側ＭＰＵ１２２の機能と副側ＭＰＵ８５の機能とが同一のＭＰＵとして集約された構成においては、当該ＭＰＵと監視側ＭＰＵ９１とが同一の基板ボックスに収容された構成としてもよい。
【０３３０】
（２１）監視側ＭＰＵ９１にて特定された異常に対する報知が実行されないまま又は当該報知が遊技ホールの管理者に明確に認識されないまま上記報知の実行条件が解除されてしまうことが抑制されるという顕著な効果に着目すれば、副側ＭＰＵ８５にて、少なくとも主側ＭＰＵ１２２にて特定された異常に対する報知を実行するための処理と、監視側ＭＰＵ９１にて特定された異常に対する報知を実行するための処理とが行われる構成において、主側ＭＰＵ１２２にて特定された異常に対する報知が実行されている状況で、監視側ＭＰＵ９１にて特定された異常に対する報知の実行条件が成立している場合であって当該報知が実行されていない場合には、当該監視側ＭＰＵ９１に係る異常報知について終了条件が成立したとしても当該報知の実行条件が解除されない構成を、報知用装置１１１といったように監視側ＭＰＵ９１において表示制御される報知手段が独自に設けられた構成を具備しない遊技機や、監視側ＭＰＵ９１が副側ＭＰＵ８５と同一の基板ボックス８４に収容された構成を具備しない遊技機に対して適用することも可能である。
【０３３１】
（２２）監視側ＭＰＵ９１にて特定された異常に対する報知の実行条件と主側ＭＰＵ１２２にて特定された異常に対する報知の実行条件とが共に成立したとしても、各報知を明確に実行することが可能となるという顕著な効果に着目すれば、副側ＭＰＵ８５にて、少なくとも主側ＭＰＵ１２２にて特定された異常に対する報知を実行するための処理と、監視側ＭＰＵ９１にて特定された異常に対する報知を実行するための処理とが行われる構成において、主側ＭＰＵ１２２にて特定された異常に対する報知の実行条件と監視側ＭＰＵ９１にて特定された異常に対する報知の実行条件とが共に成立している場合には、それらの報知が所定の優先順位に従って段階的に実行される構成を、報知用装置１１１といったように監視側ＭＰＵ９１において表示制御される報知手段が独自に設けられた構成を具備しない遊技機や、監視側ＭＰＵ９１が副側ＭＰＵ８５と同一の基板ボックス８４に収容された構成を具備しない遊技機に対して適用することも可能である。
【０３３２】
（２３）スロットマシン１０自身に動作電力が供給されている場合に所定の事象の監視を実行する主側ＭＰＵ１２２と、その監視結果を報知する副側ＭＰＵ８５及び演出用表示装置６３と、スロットマシン１０自身に動作電力が供給されていない場合に所定の事象又はそれとは異なる事象の監視を実行する監視側ＭＰＵ９１と、その監視結果を報知する報知用装置１１１とを備えることで、スロットマシン１０自身に動作電力が供給されていない場合の監視結果の報知を明確に行えるとともにスロットマシン１０自身に動作電力が供給されていない場合の監視及び報知を行うための構成の流用性及び汎用性が高まるという顕著な効果に着目すれば、かかる構成を、副側ＭＰＵ８５と監視側ＭＰＵ９１とが同一の基板ボックスに収容されていない構成の遊技機や、再報知が実行されない構成の遊技機に対して適用してもよい。
【０３３３】
（２４）副側ＭＰＵ８５と監視側ＭＰＵ９１とを同一の基板ボックス８４内に収容することで、両者の信号経路に対して不正を施そうとしてもそれが行いづらくなるという顕著な効果に着目すれば、かかる構成を、監視側ＭＰＵ９１により表示制御される報知用装置１１１が不具備であり電源遮断中の監視結果の報知及び電源投入中の監視結果の報知が共通の報知手段にて実行される構成の遊技機や、再報知が実行されない構成の遊技機に対して適用してもよい。
【０３３４】
（２５）監視側ＭＰＵ９１において報知用監視期間に監視対象の事象の発生が特定された場合には、再報知期間の経過といった所定の解除条件が成立するまでは、スロットマシン１０への動作電力の供給の開始といった所定の報知開始条件が成立する度に異常報知を実行することで、不正行為者によって異常報知の終了操作が行われたとしても、当該異常報知が再度開始されることで、遊技ホールの管理者にとって不正行為を発見し易くなるという顕著な効果に着目すれば、かかる再報知の構成を、監視側ＭＰＵ９１により表示制御される報知用装置１１１が不具備であり電源遮断中の監視結果の報知及び電源投入中の監視結果の報知が共通の報知手段に実行される構成の遊技機や、副側ＭＰＵ８５と監視側ＭＰＵ９１とが同一の基板ボックスに収容されていない構成の遊技機に対して適用してもよい。
【０３３５】
また、かかる再報知の構成を、電源遮断中の監視を行わない遊技機に対して適用してもよい。この場合、上記再報知の構成は、電源投入中に所定の事象の監視が行われ、所定の事象が発生していると特定された場合に所定の報知が実行される構成において、当該報知に対して適用される。なお、当該構成にける監視対象の事象の種類は任意である。
【０３３６】
（２６）ステップＳ１０６の扉開放監視処理では、前面扉１２が開放状態であることを特定した場合、遊技ができなくなるように規制するとともに、開放状態である旨の報知を行うようにしたが、これに限定されることはなく、遊技可能としつつ、開放状態である旨の報知のみを行うようにしてもよい。
【０３３７】
（２７）上記各実施の形態では、再報知期間が計測したか否かを判定する場合における開始基準の時間が監視対象の事象が発生した時間である構成としたが、監視対象の事象が発生したと判定されたタイミングから報知用監視履歴の更新処理が実行されるタイミングまでに上記各実施の形態よりも長い時間を要する場合には、上記開始基準の時間を報知用監視履歴の更新処理が実行された時間とする構成としてもよい。
【０３３８】
（２８）上記第１の実施の形態では、再報知期間が経過するまでは、監視側ＭＰＵ９１における監視結果に基づく異常報知に対する解除操作が一旦なされたとしても、電源ＯＮ操作が行われる度に異常報知が再度実行される構成としたが、これに限定されることはなく、解除操作が一旦なされた後において、少なくとも１回の電源ＯＮ操作に対して異常報知が再度実行される構成としてもよい。
【０３３９】
（２９）上記各実施の形態では、小役入賞が成立した場合にメダルを払い出す特典を付与する構成としたが、かかる構成に限定されるものではなく、遊技者に何らかの特典が付与される構成であればよい。例えば、小役入賞が成立した場合にメダル以外の賞品を払い出す構成であってもよい。また、現実のメダル投入やメダル払出機能を有さず、遊技者の所有するメダルをクレジット管理するスロットマシンにおいては、クレジットされたメダルの増加が特典の付与に相当する。
【０３４０】
（３０）上記各実施の形態では、いわゆるＡタイプのスロットマシンについて説明したが、Ｂタイプ、Ｃタイプ、ＡタイプとＣタイプの複合タイプ、ＢタイプとＣタイプの複合タイプ、さらにはＲＴゲームやＣＴゲームを備えたタイプなど、どのようなスロットマシンにこの発明を適用してもよく、何れの場合であっても上述した実施の形態と同様の作用効果を奏することは明らかである。なお、これらの各タイプにおけるボーナス当選としては、ＢＢ当選、ＲＢ当選、ＳＢ当選、ＲＴ当選、ＣＴ当選などが挙げられる。
【０３４１】
（３１）各リール２３ａ〜２３ｃの図柄としては、絵、数字、文字等に限らず、幾何学的な線や図形等であってもよい。また、光や色等によって図柄を構成することも可能であるし、立体的形状等によっても図柄を構成し得るし、これらを複合したものであっても図柄を構成し得る。即ち、図柄は識別性を有した情報（識別情報）としての機能を有するものであればよい。
【０３４２】
（３２）上記各実施の形態では、スロットマシン１０について具体化した例を示したが、パチンコ機に対して適用してもよく、スロットマシンとパチンコ機とを融合した形式の遊技機に適用してもよい。
【０３４３】
＜上記実施の形態から抽出される発明群について＞
以下、上述した実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０３４４】
特徴Ａ１．遊技機自身に動作電力が供給されている場合に動作可能であり、所定の事象が発生しているか否かの監視制御を実行する第１監視制御手段（主側ＭＰＵ１２２）と、
所定の報知を実行可能な第１報知手段（演出用表示装置６３等）と、
前記第１監視制御手段において監視対象の事象が発生していると特定されたことに基づいて、予め定められた第１の報知を実行するように前記第１報知手段を制御する報知制御手段（副側ＭＰＵ８５）と、
前記第１監視制御手段及び前記報知制御手段とは物理的に独立して設けられているとともに、少なくとも遊技機自身に動作電力が供給されていない場合に動作可能であり、さらに前記所定の事象又は前記所定の事象とは異なる事象が発生しているか否かの監視制御を実行する第２監視制御手段（監視側ＭＰＵ９１）と、
前記第１報知手段とは別に設けられ、前記第２監視制御手段により監視対象の事象が発生していることが特定されたことに基づいて、予め定められた第２の報知を実行するように前記第２監視制御手段により制御される第２報知手段（報知用装置１１１）と、
を備えていることを特徴とする遊技機。
【０３４５】
特徴Ａ１によれば、第１監視制御手段が設けられていることにより、遊技機自身に動作電力が供給されている場合において所定の監視を行うことができるとともに、第２監視制御手段が設けられていることにより、遊技機自身に動作電力が供給されていない状況であっても所定の監視を行うことができる。また、第１監視制御手段及び報知制御手段と第２監視制御手段とが物理的に独立して設けられているため、これら手段が同一の素子などとして設けられている構成に比べ、遊技機自身に動作電力が供給されていない状況で必要な動作電力の低電力化を図ることができる。
【０３４６】
また、遊技機自身に動作電力が供給されていない場合における不正行為では遊技機自身に動作電力が供給されている場合における不正行為よりも手の込んだ行為が行われる可能性があるが、遊技機自身に動作電力が供給されていない場合における監視結果の報知は、第１報知手段とは別に設けられた第２報知手段にて実行される。したがって、遊技機自身に動作電力が供給されていない場合における監視結果の報知を明確に行うことができる。
【０３４７】
また、遊技機自身に動作電力が供給されている場合における監視結果の報知は第１報知手段にて実行され、遊技機自身に動作電力が供給されていない場合における監視結果の報知は第２報知手段にて実行される。これにより、遊技機自身に動作電力が供給されている場合における監視及び報知に係る構成と、遊技機自身に動作電力が供給されていない場合における監視及び報知に係る構成とをそれぞれ個別に交換することが可能となる。例えば、報知制御手段が遊技状況に応じた演出などを行う機能を有する構成においては、機種毎に当該報知制御手段を交換する必要が生じるが、この場合に遊技機自身に動作電力が供給されていない場合における監視及び報知に係る構成を機種に依存せず流用することが可能となる。
【０３４８】
なお、少なくとも遊技機自身に動作電力が供給されていない場合に前記第２監視制御手段に動作電力を供給する電断中用電源手段を備えた構成において、前記第２監視制御手段は、前記第２の報知が実行されるように前記第２報知手段を制御する場合、当該制御を遊技機自身に動作電力が供給されている場合に行う構成としてもよい。これにより、報知を行う上で第２報知手段にて必要な動作電力を電断中用電源手段から供給する必要がないため、当該電断中用電源手段において必要な容量を小さく抑えることが可能となる。
【０３４９】
また、「前記第１監視制御手段及び前記報知制御手段とは物理的に独立して設けられているとともに」という記載を、「前記第１監視制御手段及び前記報知制御手段とは別に設けられているとともに」という記載に変更してもよく、「前記第１監視制御手段及び前記報知制御手段とは異なる単位として設けられているとともに」という記載に変更してもよい。後者の構成について更に説明すると、第２監視制御手段が第１監視制御手段及び報知制御手段とは異なる単位として設けられている場合、それらが空間的に離れていても隣接していてもよく、さらには少なくとも一方の単位が複数の素子（又は部材）の集まりとして構成されていてもよい。
【０３５０】
また、「所定の事象が発生しているか否かの監視制御」について具体的には、所定の事象の発生を検出する検出手段を備えた構成においては、当該検出手段における検出結果が変化したか否かを監視する構成としてもよく、より具体的には当該検出手段から出力されている検出信号に変化が生じたか否かを監視する構成としてもよい。これは以下も同様である。
【０３５１】
特徴Ａ２．少なくとも前記第２の報知を終了させる場合に手動操作される又は少なくとも前記第２の報知を終了させる場合に所定の終了情報が入力される終了受付部（決定操作部１１４及び選択操作部１１５）と、
前記第２監視制御手段から出力された信号を前記第２報知手段に伝送する報知用信号経路と、
前記終了受付部から出力された信号を前記第２監視制御手段に伝送する終了用信号経路と、
を備えており、
前記報知用信号経路を構成する少なくとも一の信号線と前記終了用信号経路を構成する少なくとも一の信号線とは、それら信号線がいずれの経路の信号線であるかが外観上識別困難となるように接続ユニット（第１接続ユニット１７２、第２接続ユニット１７３）として集約させて設けられていることを特徴とする特徴Ａ１に記載の遊技機。
【０３５２】
特徴Ａ２によれば、第２報知手段における報知を行わせないようにするために報知用信号経路を構成する信号線に対して不正を施そうとしてもそれが行いづらくなる。また、第２報知手段により報知を行わせないようにするために接続ユニットの信号線がまとめて切断された場合には、終了用信号経路を構成する信号線も切断されることとなり、第２報知を不正行為者が終了させようとしてもそれが不可となる。
【０３５３】
なお、前記終了受付部は、前記第２報知手段が搭載されている基板と同一の基板に搭載されていることが好ましい。
【０３５４】
特徴Ａ３．前記報知制御手段は、前記第２監視制御手段により監視対象の事象が発生していることが特定されたことに基づいて、予め定められた第３の報知を実行するように前記第１報知手段を制御するものであるとともに、前記終了受付部が手動操作されたこと又は前記終了受付部に対して前記終了情報が入力されたことが前記第２監視制御手段により特定されたことに基づいて、前記第３の報知の実行を解除するものであることを特徴とする特徴Ａ２に記載の遊技機。
【０３５５】
特徴Ａ３によれば、遊技機自身に動作電力が供給されていない場合における監視結果の報知が、第２報知手段だけでなく第１報知手段にて実行されるため、遊技機自身に動作電力が供給されていない場合に監視対象の事象が発生した場合にはその報知をより明確に行うことができる。また、第２報知手段により報知を行わせないようにするために接続ユニットの信号線がまとめて切断された場合には、終了用信号経路を構成する信号線も切断されることとなり、第１報知手段における第３の報知を不正行為者が終了させようとしてもそれが不可となる。
【０３５６】
特徴Ａ４．前記報知制御手段は、遊技状況に応じた所定の報知を実行するように前記第１報知手段を制御するものであり、
前記第２監視制御手段から出力された信号を前記第２報知手段に伝送する信号経路を構成する少なくとも一の信号線と、前記報知制御手段から出力された信号を前記第１報知手段に伝送する信号経路を構成する少なくとも一の信号線とは、それら信号線がいずれの経路の信号線であるかが外観上識別困難となるように接続ユニット（第１接続ユニット１７２、第２接続ユニット１７３）として集約させて設けられていることを特徴とする特徴Ａ１乃至Ａ３のいずれか１に記載の遊技機。
【０３５７】
特徴Ａ４によれば、第２報知手段における報知を行わせないようにするために、第２監視制御手段から出力された信号を第２報知手段に伝送する信号経路を構成する信号線に対して不正を施そうとしてもそれが行いづらくなる。また、第２報知手段により報知を行わせないようにするために接続ユニットの信号線がまとめて切断された場合には、第１報知手段にて遊技状況に応じた所定の報知が実行されなくなるため、それを確認することで遊技ホールの管理者は上記不正行為が行われたことを把握することが可能となる。
【０３５８】
特徴Ａ５．内部空間の開放に際して痕跡が残るように形成された又は当該内部空間の開放に際して痕跡を残す痕跡手段を有するボックス（基板ボックス８４）の前記内部空間に、前記第１監視制御手段又は前記報知制御手段の少なくとも一方を有する第１制御手段と前記第２監視制御手段を有する第２制御手段とが収容されていることを特徴とする特徴Ａ１乃至Ａ４のいずれか１に記載の遊技機。
【０３５９】
特徴Ａ５によれば、第１監視制御手段又は報知制御手段の少なくとも一方を有する第１制御手段と第２監視制御手段を有する第２制御手段とが同一のボックスの内部空間に収容されているため、第１制御手段と第２制御手段との間に信号経路が存在する場合に、当該信号経路に不正を施そうとしてもそれが行いづらくなる。また、第２制御手段専用にボックスを設ける構成に比べ、ボックスの数を抑えることができるとともに、遊技機において制御用のボックスを設けるためのスペースの縮小化も図られる。特に、第１制御手段において第２制御手段が正常に動作しているか否かの監視が行われる構成や、第２制御手段における監視結果が第１制御手段を通じて第１報知手段にて実行される構成においては、第１制御手段と第２制御手段との間の信号経路に不正が行われる可能性があるが、本特徴Ａ５の構成によれば、かかる不正行為を好適に抑制することが可能となる。
【０３６０】
特徴Ａ６．前記第１制御手段は第１基板（副制御基板８２）に設けられているとともに、前記第２制御手段は第２基板（監視制御基板８３）に設けられていることを特徴とする特徴Ａ５に記載の遊技機。
【０３６１】
特徴Ａ６によれば、第１制御手段と第２制御手段とがそれぞれ別の基板に設けられていることにより、第１制御手段又は第２制御手段の一方に異常等が生じた場合には、その対応する基板のみを交換するだけで済む。
【０３６２】
特徴Ａ７．前記第１基板に設けられた第１接続部と前記第２基板に設けられた第２接続部とが信号線を介することなく接続されていることにより、前記第１基板と前記第２基板とが電気的に接続されていることを特徴とする特徴Ａ６に記載の遊技機。
【０３６３】
特徴Ａ７によれば、第１基板と第２基板とが信号線を介することなく電気的に接続されているため、両基板間の信号経路に対して不正を施そうとしてもそれが行いづらくなる。
【０３６４】
特徴Ａ８．前記第１制御手段が前記ボックスの外部に設けられたものとの間で信号の伝送を行うための信号線が接続されている第１接続部（信号線用コネクタ８８ｂに設けられた端子）と、前記第２制御手段が前記ボックスの外部に設けられたものとの間で信号の伝送を行うための信号線が接続されている第２接続部（信号線用コネクタ８８ｂに設けられた端子）とが、前記第１基板又は前記第２基板の一方に集約させて設けられていることを特徴とする特徴Ａ６又はＡ７に記載の遊技機。
【０３６５】
特徴Ａ８によれば、第１接続部と第２接続部とが、第１基板又は第２基板の一方に集約させて設けられているため、第２制御手段から送信される信号を伝送するための信号線に対して不正を行うべくそれを特定しようとしても、当該特定を行いづらくなる。
【０３６６】
特徴Ａ９．前記第１接続部及び前記第２接続部は前記ボックスに形成された開口部（開口部１０５）を通じて当該ボックス外部に露出しており、
前記第１接続部及び前記第２接続部は前記第１基板に集約させて設けられていることを特徴とする特徴Ａ８に記載の遊技機。
【０３６７】
特徴Ａ９によれば、ボックスに第１接続部及び第２接続部をボックス外部に露出させるための開口部が形成された構成においては、当該開口部を通じてボックス内にリード線などを挿入して第２制御手段や第２基板に対して不正を施そうとする行為が想定される。これに対して、第１接続部及び第２接続部が第１基板に集約させて設けられているため、ボックス内にリード線などが挿入されたとしても、当該リード線が第２制御手段や第２基板に到達しづらくなる。
【０３６８】
特徴Ａ１０．前記第２監視制御手段は、所定の出力条件が成立した場合に自身が正常に動作していることを示す正常動作信号（報知有りコマンド又は報知無しコマンド）を出力するものであり、
前記正常動作信号が出力されているか否かを監視し、前記所定の出力条件が成立したにも関わらず前記正常動作信号が出力されない状況が発生した場合には所定の報知を行うための処理を実行する正常動作監視手段（副側ＭＰＵ８５におけるステップＳ１００７、ステップＳ１２０７〜ステップＳ１２０９の各処理を実行する機能）を備えていることを特徴とする特徴Ａ１乃至Ａ９のいずれか１に記載の遊技機。
【０３６９】
特徴Ａ１０によれば、第２監視制御手段が正常に動作しているか否かが、正常動作監視手段にて監視されるため、第２監視制御手段が正常に動作しないように不正が施されたとしても、それに対処することが可能となる。
【０３７０】
なお、上記特徴Ａ５を備えた構成においては、前記第１制御手段が、前記正常動作監視手段を有する構成とすることが好ましい。また、上記特徴Ａ６を備えた構成においては、前記第１制御手段が前記正常動作監視手段を有する又は前記第１基板に前記正常動作監視手段が設けられた構成とすることが好ましい。
【０３７１】
特徴Ａ１１．前記報知制御手段は、
前記第１監視制御手段において監視対象の事象が発生していると特定されて第１報知実行条件が成立していることに基づいて、前記第１の報知を実行するように前記第１報知手段を制御する第１監視用報知制御手段（副側ＭＰＵ８５における通常時の異常報知設定用処理を実行する機能）と、
前記第２監視制御手段において監視対象の事象が発生していると特定されて第２報知実行条件が成立していることに基づいて、予め定められた第３の報知を実行するように前記第１報知手段を制御する第２監視用報知制御手段（副側ＭＰＵ８５における立ち上げ時の異常報知設定用処理を実行する機能）と、
を備えていることを特徴とする特徴Ａ１乃至Ａ１０のいずれか１に記載の遊技機。
【０３７２】
特徴Ａ１１によれば、遊技機自身に動作電力が供給されていない場合における監視結果の報知が、第２報知手段だけでなく第１報知手段にて実行されるため、遊技機自身に動作電力が供給されていない場合に監視対象の事象が発生した場合にはその報知をより明確に行うことができる。
【０３７３】
特徴Ａ１２．終了受付部が手動操作されたこと又は終了受付部に対して所定の終了情報が入力されたことに基づいて、前記第２報知実行条件が成立している状態を解除させる報知解除制御手段（副側ＭＰＵ８５における報知解除用処理を実行する機能、監視側ＭＰＵ９１における異常報知解除用処理を実行する機能）を備え、
当該報知解除制御手段は、前記第１の報知が実行されている状況で前記第２報知実行条件が成立している場合には、前記終了受付部が手動操作されたとしても又は前記終了受付部に対して前記終了情報が入力されたとしても、前記第２報知実行条件が成立している状態を解除しないものであることを特徴とする特徴Ａ１１に記載の遊技機。
【０３７４】
第１報知手段にて第１の報知が実行されている状況では、第３の報知が実行されない又は第３の報知が実行されたとしてもそれが明確ではないおそれがある。これに対して、特徴Ａ１２によれば、第１の報知が実行されている状況で第２報知実行条件が成立している場合には、終了受付部を通じて第２報知実行条件が成立している状態を解除しようとしてもそれができなくなるため、第３の報知が実行されないまま又は第３の報知が遊技ホールの管理者に明確に認識されないまま第２報知実行条件が解除されてしまうことが抑制される。
【０３７５】
特徴Ａ１３．前記報知制御手段は、前記第２監視制御手段において監視対象の事象が発生していると特定されたことに基づいて、前記第２報知実行条件の成立として、報知実行用情報を記憶する報知制御側記憶手段（副側ＲＡＭ１５２）を備え、
前記第２監視用報知制御手段は、前記報知制御側記憶手段に前記報知実行用情報が記憶されていることに基づいて前記第３の報知を実行し、
前記報知解除制御手段は、前記終了受付部が手動操作されたこと又は前記終了受付部に対して前記終了情報が入力されたことに基づいて、前記報知制御側記憶手段から前記報知実行用情報を消去するとともに、前記第１の報知が実行されている状況で前記報知制御側記憶手段に前記報知実行用情報が記憶されている場合には、前記終了受付部が手動操作されたとしても又は前記終了受付部に対して前記終了情報が入力されたとしても前記報知制御側記憶手段から前記報知実行用情報を消去しないものであることを特徴とする特徴Ａ１２に記載の遊技機。
【０３７６】
特徴Ａ１３によれば、第１の報知が実行されている状況で第２報知実行条件が成立している場合には、終了受付部を通じて第２報知実行条件が成立している状態を解除しようとしてもそれができなくなるため、第３の報知が実行されないまま又は第３の報知が遊技ホールの管理者に明確に認識されないまま第２報知実行条件が解除されてしまうことが抑制される。
【０３７７】
特徴Ａ１４．前記第２監視制御手段は、監視対象の事象が発生していると特定したことに基づいて、前記第２報知実行条件の成立として、報知実行用情報を記憶する第２監視側記憶手段（監視側ＲＡＭ１６２）を備えるとともに、当該第２監視側記憶手段に前記報知実行用情報が記憶されていることに基づいて、前記第２の報知を実行し、
前記第２監視用報知制御手段は、前記第２監視側記憶手段に前記報知実行用情報が記憶されている場合に前記第２監視制御手段から報知実行信号が出力されたことに基づいて、前記第３の報知を実行し、
前記報知解除制御手段は、前記終了受付部が手動操作されたこと又は前記終了受付部に対して前記終了情報が入力されたことに基づいて、前記第２監視側記憶手段から前記報知実行用情報を消去するとともに、前記第１の報知が実行されている状況で前記第２監視側記憶手段に前記報知実行用情報が記憶されている場合には、前記終了受付部が手動操作されたとしても又は前記終了受付部に対して前記終了情報が入力されたとしても前記第２監視側記憶手段から前記報知実行用情報を消去しないものであることを特徴とする特徴Ａ１２又はＡ１３に記載の遊技機。
【０３７８】
特徴Ａ１４によれば、第１の報知が実行されている状況で第２報知実行条件が成立している場合には、終了受付部を通じて第２報知実行条件が成立している状態を解除しようとしてもそれができなくなるため、第２の報知及び第３の報知が実行されないまま又は第２の報知及び第３の報知が遊技ホールの管理者に明確に認識されないまま第２報知実行条件が解除されてしまうことが抑制される。
【０３７９】
特徴Ａ１５．前記報知制御手段は、前記第１報知実行条件及び前記第２報知実行条件の両方が成立している場合に、前記第１監視用報知制御手段による前記第１の報知の実行制御と、前記第２監視用報知制御手段による前記第３の報知の実行制御とが段階的に行われるようにする段階設定手段（副側ＭＰＵ８５における通常処理を実行する機能）を備えていることを特徴とする特徴Ａ１１乃至Ａ１４のいずれか１に記載の遊技機。
【０３８０】
特徴Ａ１５によれば、第１の報知と第３の報知との両方の実行条件が成立したとしても、第１報知手段ではそれらの報知が段階的に行われる。したがって、第３の報知の実行条件が成立した場合には、かかる実行条件の成立が第１の報知に係る実行条件の成立と重複しているか否かに関係なく、第３の報知を明確に実行することが可能となる。
【０３８１】
特徴Ａ１６．前記段階設定手段は、前記第１監視用報知制御手段による前記第１の報知の実行制御と、前記第２監視用報知制御手段による前記第３の報知の実行制御とが、予め定められた優先順位に従って段階的に行われるようにするものであることを特徴とする特徴Ａ１５に記載の遊技機。
【０３８２】
特徴Ａ１６によれば、第１の報知と第３の報知との両方の実行条件が成立した場合には、それらの報知が予め定められた優先順位に従って段階的に行われるため、第１の報知と第３の報知との相対的な実行タイミングが明確となり、遊技ホールの管理者にとって両報知を明確に認識し易くなる。
【０３８３】
特徴Ａ１７．前記第２監視制御手段は、
少なくとも遊技機自身に動作電力が供給されている状況において、監視対象の事象が発生しているか否かを監視する監視実行手段（監視側ＭＰＵ９１における監視処理を実行する機能）と、
当該監視実行手段により前記監視対象の事象が発生していると特定された場合に、前記第２の報知を実行する必要があることを示す要報知情報を記憶する要報知情報記憶手段（監視側ＲＡＭ１６２の報知用監視履歴記憶エリア１９２）と、
当該要報知情報記憶手段に前記要報知情報が記憶されていることに基づいて、前記第２の報知を実行するように前記第２報知手段を制御する報知実行手段（監視側ＭＰＵ９１における異常報知設定用処理、表示制御処理及び異常報知解除用処理を実行する機能）と、
を備えていることを特徴とする特徴Ａ１乃至Ａ１６のいずれか１に記載の遊技機。
【０３８４】
特徴Ａ１７によれば、遊技機自身に動作電力が供給されていない状況において監視対象の事象が発生した場合には、例えば遊技機自身に動作電力が供給されている状況において第２の報知を実行することが可能となるため、遊技機自身に動作電力が供給されていない状況において監視対象の事象が発生した場合にはそれを遊技ホールの管理者に認識させ易くすることができる。
【０３８５】
なお、前記監視対象の事象が複数種類設定された構成においては、「前記要報知情報」は、前記監視実行手段により特定された監視対象の事象の種類についての情報を含む情報であってもよく、「前記要報知情報」は、前記監視対象の事象の種類についての情報を含まずに、当該情報は別に記憶される構成としてもよい。
【０３８６】
特徴Ａ１８．前記報知実行手段は、
前記要報知情報記憶手段に前記要報知情報が記憶されていることに基づいて、前記第２の報知を開始させる報知開始手段（監視側ＭＰＵ９１におけるステップＳ７０３の処理及びステップＳ８０９の処理を実行する機能）と、
予め定められた報知終了条件が成立したことに基づいて、前記第２の報知を終了させる報知終了手段（監視側ＭＰＵ９１におけるステップＳ９０９の処理を実行する機能）と、
を備え、
前記要報知情報記憶手段に前記要報知情報が記憶された場合、当該要報知情報が記憶されていることに対する前記第２の報知は、前記報知終了手段による終了対象に一旦なったとしても、予め定められた解除条件が成立するまでは予め定められた報知開始条件が成立する度に再度開始されるよう構成されていることを特徴とする特徴Ａ１７に記載の遊技機。
【０３８７】
特徴Ａ１８によれば、予め定められた解除条件が成立するまでは、予め定められた報知開始条件が成立する度に、同一の要報知情報を要因として第２の報知が繰り返し実行される。これにより、遊技機自身に動作電力が供給されていない状況において所定の装置などに不正を施した者が、遊技ホールの管理者に対して報知が行われないようにするために、不正を施すのに合わせて第２の報知を終了させたとしても、その際に解除条件が成立していないのであれば、第２の報知が再度実行される。したがって、遊技ホールの管理者にとっては上記不正行為を発見し易くなる。
【０３８８】
なお、前記第２監視制御手段は、前記要報知情報記憶手段に前記要報知情報が記憶されている状況において前記報知開始条件が成立した場合に、報知実行用情報を記憶する報知実行用情報記憶手段を備え、前記報知開始手段は、前記報知実行用情報記憶手段に前記報知実行用情報が記憶されている状況において前記第２の報知が実行されていない場合に当該第２の報知を開始させるものであり、前記報知終了手段は、前記報知終了条件が成立したことに基づいて、前記報知実行用情報記憶手段から前記報知実行用情報を消去するとともに、前記第２の報知を終了させるものであり、さらに、前記第２監視制御手段は、前記解除条件が成立したことに基づいて、それまで報知対象となっていた前記要報知情報をその後に前記報知開始条件が成立したとしても報知対象とならないようにする報知対象解除手段を備えている構成としてもよい。
【０３８９】
特徴Ａ１９．少なくとも前記第２の報知を終了させる場合に手動操作される又は少なくとも前記第２の報知を終了させる場合に所定の終了情報が入力される終了受付部（決定操作部１１４及び選択操作部１１５）を備え、
前記報知終了手段は、前記終了受付部が手動操作された場合又は前記終了受付部に対して前記終了情報が入力された場合に前記報知終了条件が成立しているとして前記第２の報知を終了させるものであることを特徴とする特徴Ａ１８に記載の遊技機。
【０３９０】
特徴Ａ１９によれば、遊技ホールの管理者にとっては、終了受付部を手動操作する又は終了受付部に対して所定の終了情報を入力することで第２の報知を終了させることができるため、かかる報知を終了させる場合の作業性が向上する。但し、このように第２の報知を終了させる場合の作業性を向上させると、不正行為者にとっても第２の報知を終了させ易くなる。これに対して、上記特徴Ａ１８の構成を備え、解除条件が成立するまでは、同一の要報知情報を要因として第２の報知が開始されるため、仮に不正行為者によって第２の報知が終了させられたとしても第２の報知が再度開始されることで、遊技ホールの管理者にとって第２の報知を確認する機会が生じる。
【０３９１】
特徴Ａ２０．前記報知実行手段は、
予め定められた解除許容状況において前記第２の報知が実行されている場合に前記報知終了条件が成立することで、前記解除条件が成立していると判定する解除条件成立判定手段（監視側ＭＰＵ９１におけるステップＳ９１１の処理を実行する機能）と、
当該解除条件成立判定手段により前記解除条件が成立していると判定されたことに基づいて、それまで報知対象となっていた前記要報知情報をその後に前記報知開始条件が成立したとしても報知対象とならないようにする報知対象解除手段（監視側ＭＰＵ９１におけるステップＳ９１３の処理を実行する機能）と、
を備えていることを特徴とする特徴Ａ１８又はＡ１９に記載の遊技機。
【０３９２】
特徴Ａ２０によれば、監視対象の事象が発生して要報知情報が記憶された場合には、解除許容状況となるだけでは当該要報知情報は依然として報知対象に維持され、解除許容状況において第２の報知が実行されるとともに当該第２の報知について報知終了条件が成立することで当該要報知情報は報知対象ではなくなる。つまり、要報知情報が記憶された場合には少なくとも１回は第２の報知が実行されるとともに、解除許容状況ではない状況で第２の報知が開始されて当該第２の報知が終了されたとしても、その後に少なくとも１回は第２の報知が実行される。よって、遊技ホールの管理者にとって第２の報知を確認する機会が高まり、不正行為が行われたとしてもそれを発見し易くなる。
【０３９３】
「解除許容状況」には、所定期間が含まれるとともに、キー操作や暗証番号入力がなされている状況も含まれる。
【０３９４】
特徴Ａ２１．前記解除許容状況は、前記要報知情報記憶手段に前記要報知情報が記憶されてから所定期間が経過している状況又は当該要報知情報に係る事象が発生してから所定期間が経過している状況のことであることを特徴とする特徴Ａ２０に記載の遊技機。
【０３９５】
特徴Ａ２１によれば、監視対象の事象が発生して要報知情報が記憶された場合、当該要報知情報が報知対象とならないようにするためには、当該要報知情報が記憶されてから所定期間が経過した後に又は当該要報知情報に係る事象が発生してから所定期間が経過した後に、第２の報知の報知終了条件を成立させる必要が生じる。不正行為者が遊技機に対して不正を施した後に遊技ホールに居続けることは起こり難いと考えられるため、再報知の解除を不正行為者が行うことは困難なものとなる。
【０３９６】
なお、「所定期間が経過している状況」を特定する構成として具体的には、ＲＴＣやカウンタエリアといった計測手段を用いて所定期間の計測を行い、解除許容状況か否かの判定はかかる計測手段にて計測されている情報に基づいて行う構成としてもよい。
【０３９７】
特徴Ａ２２．前記監視実行手段における監視対象の事象は複数種類設定されており、
前記要報知情報記憶手段は複数の記憶領域を備えており、それら複数の記憶領域のそれぞれには、前記要報知情報として、所定の監視期間において前記監視実行手段により発生が特定された事象の種類の情報を含む情報が順次記憶される構成であり、
前記報知開始手段は、前記要報知情報記憶手段に複数種類の事象に関して報知対象の要報知情報が記憶されている場合には、前記報知開始条件が成立する度に、それら要報知情報に対応した全ての種類の事象についてそれら事象の種類の内容が分かる態様で前記第２の報知を開始させるものであり、
前記報知対象解除手段は、前記要報知情報記憶手段に報知対象の要報知情報が記憶されている状況において前記監視実行手段により前記監視対象の事象の発生が新たに特定されて前記要報知情報記憶手段に新たな要報知情報が記憶された場合、当該新たな要報知情報が前記要報知情報記憶手段に記憶されてから所定期間が経過した状態で又は当該新たな要報知情報に係る事象が発生してから所定期間が経過した状態で当該新たな要報知情報が報知対象とならないように設定するまでは、既に記憶されていた報知対象の前記要報知情報を報知対象として維持するものであることを特徴とする特徴Ａ２０又はＡ２１に記載の遊技機。
【０３９８】
特徴Ａ２２によれば、遊技機に対して複数種の不正が施されたとしても、遊技ホールの管理者にとっては第２の報知を確認することでそれらの不正の種類を個別に把握することができる。
【０３９９】
また、不正行為者が重度の不正を施した後に、他の監視対象の事象を発生させることが想定される。この場合、先に施した不正については第２の報知が実行されないが、後に施した不正については第２の報知が実行される構成を想定すると、遊技ホールの管理者が不正の本質を見誤ることが懸念される。これに対して、本特徴Ａ２２によれば、既に要報知情報が記憶されている状況において新たに要報知情報が記憶された場合には、当該新たな要報知情報が記憶されてから所定期間が経過した状態で又は当該新たな要報知情報に係る事象が発生してから所定期間が経過した状態で当該新たな要報知情報が報知対象とならないように設定されるまでは既に記憶されていた報知対象の要報知情報は報知対象として維持されるため、上記後に施した不正について第２の報知が実行される場合には上記先に施した不正について第２の報知が実行される。よって、遊技ホールの管理者が不正の本質を見誤る可能性が低減される。
【０４００】
特徴Ａ２３．前記第２監視制御手段は、前記解除条件を変更可能な解除条件変更手段（監視側ＭＰＵ９１における終了基準変更処理を実行する機能）を備えていることを特徴とする特徴Ａ１８乃至Ａ２２のいずれか１に記載の遊技機。
【０４０１】
特徴Ａ２３によれば、解除条件を変更することができるため、不正行為者にとっては解除条件に不規則性が生じ、解除条件の特定が行いづらくなる。
【０４０２】
特徴Ａ２４．前記解除条件変更手段は、前記要報知情報記憶手段に前記要報知情報が記憶されている状況においては前記解除条件の変更を不可とするものであることを特徴とする特徴Ａ２３に記載の遊技機。
【０４０３】
特徴Ａ２４によれば、不正行為者が遊技機に搭載された装置などに不正を施した後に解除条件を変更して第２の報知が実行されないようにしようとする行為を阻止することが可能となる。
【０４０４】
特徴Ａ２５．少なくとも遊技機自身に動作電力が供給されていない場合に前記第２監視制御手段に動作電力を供給する電断中用電源手段（電断中用電源部９３）を備え、
前記監視実行手段は、遊技機自身に動作電力が供給されている場合及び遊技機自身に動作電力が供給されていない場合の両方の状況において、監視対象の事象が発生しているか否かを監視するものであり、
前記第２監視制御手段は、
当該監視実行手段において監視を行うことが可能な期間のうち、所定の監視期間の情報を記憶する監視期間情報記憶手段（監視側ＲＡＭ１６２の報知用監視期間記憶エリア１９５）と、
前記所定の監視期間において前記監視実行手段により前記監視対象の事象が発生していると特定されたことに基づいて、前記要報知情報記憶手段に前記要報知情報を記憶させる要報知情報記憶実行手段（監視側ＭＰＵ９１におけるステップＳ５１１の処理を実行する機能）と、
を備えていることを特徴とする特徴Ａ１７乃至Ａ２４のいずれか１に記載の遊技機。
【０４０５】
特徴Ａ２５によれば、第２監視制御手段において、遊技機自身に動作電力が供給されている場合及び遊技機自身に動作電力が供給されていない場合のいずれにおいても監視を行えるようにしつつ、第２の報知が必要以上に実行されることを抑えることが可能となる。
【０４０６】
なお、前記第２監視制御手段は、前記所定の監視期間を変更可能な監視期間変更手段を備えた構成としてもよい。また、このように監視期間変更手段を備えた構成においては、前記第２監視制御手段は、所定のキー操作又は所定の暗証情報登録操作がなされた場合に前記監視期間変更手段による前記所定の監視期間の変更を許可する変更許可手段を備えた構成としてもよい。
【０４０７】
特徴Ａ２６．前記監視実行手段により監視される監視対象の事象は複数種類設定されており、
前記要報知情報記憶実行手段は、前記複数種類設定された監視対象の事象のうち一部の事象については前記所定の監視期間に発生した場合に当該事象に対応した情報を前記要報知情報として前記要報知情報記憶手段に記憶させ、前記複数種類設定された監視対象の事象のうち他の事象については前記所定の監視期間に発生した場合及び前記所定の監視期間外に発生した場合のいずれにおいても当該事象に対応した情報を前記要報知情報として前記要報知情報記憶手段に記憶させるものであることを特徴とする特徴Ａ２５に記載の遊技機。
【０４０８】
特徴Ａ２６によれば、複数種類設定された監視対象の事象のうち報知が優先されるべき事象についてはその発生したタイミングが所定の監視期間中であるか否かに関係なく第２の報知を実行するようにしつつ、報知が優先されるべき事象以外の事象についてはその発生したタイミングが所定の監視期間中である場合にのみ要報知情報を記憶する構成としたことにより要報知情報記憶手段に必要な記憶容量を抑えることが可能となる。
【０４０９】
特徴Ａ２７．支持対象（筐体１１）に対して開閉可能に支持された開閉体（前面扉１２）を備え、当該開閉体を開放状態とすることで遊技機内部又は遊技機の背面側が開放される構成であり、
前記監視実行手段により監視される複数種類の監視対象の事象として前記開閉体が開放されたか否かの事象が含まれているとともに、当該事象が前記一部の事象に含まれていることを特徴とする特徴Ａ２６に記載の遊技機。
【０４１０】
開閉体の開放は、遊技機に搭載された装置のメンテナンスなどに際して遊技ホールの営業中に比較的高い頻度で行われる。そして、かかる開閉体の開放は、当然のことながら不正行為に該当しない。その一方、不正行為者は、開閉体を開放させた状態で不正を施すものと考えられる。このような事情において、特徴Ａ２７によれば、所定の監視期間に開閉体の開放が行われた場合にはそれに対して要報知情報を記憶して第２の報知を実行するようにし、所定の監視期間外に開閉体の開放が行われた場合には要報知情報を記憶しないようにしたことにより、上記不正行為を好適に監視しつつ、不正行為に該当しない開閉体の開放に対して要報知情報が記憶されること及び第２の報知が実行されてしまうことが抑えられる。
【０４１１】
特徴Ａ２８．前記第２監視制御手段は、前記第２の報知を実行する場合、遊技機自身への動作電力の供給が開始されたことに基づいて、前記第２の報知を開始するものであることを特徴とする特徴Ａ１乃至Ａ２７のいずれか１に記載の遊技機。
【０４１２】
特徴Ａ２８によれば、遊技機自身に動作電力が供給されていない状況において監視対象の事象が発生した場合に、遊技機自身に動作電力が供給されている状況において第２の報知を実行する構成において、遊技ホールの管理者にとって第２の報知の開始タイミングが明確となるとともに、当該第２の報知を比較的早いタイミングで開始することができる。
【０４１３】
特徴Ａ２９．前記第２監視制御手段は、前記第２の報知を実行する場合、遊技機自身に動作電力が供給されている状況において遊技媒体の払出に係る異常が発生したことに基づいて、前記第２の報知を開始するものであることを特徴とする特徴Ａ１乃至Ａ２８のいずれか１に記載の遊技機。
【０４１４】
遊技機に対する不正は、遊技媒体の払出を不正に受けることを目的として行われるものと考えられる。この場合に、特徴Ａ２９によれば、遊技媒体の払出に係る異常が発生したことに基づいて第２の報知が開始されるため、遊技ホールの管理者にとっては不正行為に対して適切に対処することが可能となる。
【０４１５】
特徴Ａ３０．少なくとも遊技機自身に動作電力が供給されていない場合に前記第２監視制御手段に動作電力を供給する電断中用電源手段（電断中用電源部９３）を備え、
前記第２監視制御手段は、当該第２監視制御手段に動作電力が供給されている状況において少なくとも時刻情報を計測するための計測手段（ＲＴＣ１６３）を備え、当該計測手段の計測結果に基づいて前記第２の報知を実行する場合には監視対象の事象が発生した時刻の情報が少なくとも報知される構成であり、
さらに、前記第２監視制御手段は、
前記計測手段にて計測されている情報を修正可能な修正手段（監視側ＭＰＵ９１におけるステップＳ６０８の処理を実行する機能）と、
前記第２監視制御手段自身に動作電力が供給されていない状況が発生したか否かを判定する電力遮断判定手段（監視側ＭＰＵ９１におけるステップＳ６０２の処理を実行する機能）と、
当該電力遮断判定手段により第２監視制御手段自身に動作電力が供給されていない状況が発生したと判定されたことに基づいて、予め定められた特別報知が実行されるように前記第２報知手段又は当該第２報知手段とは異なる報知手段を制御する特別報知実行手段（監視側ＭＰＵ９１におけるステップＳ６０３及びステップＳ８２３の処理を実行する機能）と、
を備えていることを特徴とする特徴Ａ１乃至Ａ２９のいずれか１に記載の遊技機。
【０４１６】
特徴Ａ３０によれば、第２の報知が実行される場合、少なくとも監視対象の事象が発生した時刻の情報が報知されるため、例えば、遊技ホールに監視カメラなどが設置されている場合には、遊技ホールの管理者は第２の報知によって特定した時刻の監視カメラの映像を確認することで、不正行為者の特定などを行うことが可能となる。この場合に、電断中電源手段からの動作電力の供給が停止されることが想定され、そうすると計測手段において計測されている時刻の情報が正確ではなくなる可能性が生じる。これに対して、特徴Ａ３０によれば、第２監視制御手段自身に動作電力が供給されていない状況が発生した場合には、特別報知が実行されるため、遊技ホールの管理者に計測手段において計測されている時刻の情報の修正を促すことが可能となる。
【０４１７】
特徴Ｂ１．予め定められた監視対象の事象が発生しているか否かを監視する監視実行手段（監視側ＭＰＵ９１における監視処理を実行する機能）と、
当該監視実行手段により前記監視対象の事象が発生していると特定された場合に要報知情報を記憶する要報知情報記憶手段（監視側ＲＡＭ１６２の報知用監視履歴記憶エリア１９２）と、
当該要報知情報記憶手段に前記要報知情報が記憶されていることに基づいて、報知手段において予め定められた特別報知が実行されるようにする報知実行手段（監視側ＭＰＵ９１における異常報知設定用処理、表示制御処理及び異常報知解除用処理を実行する機能）と、
を備え、
当該報知実行手段は、
前記要報知情報記憶手段に前記要報知情報が記憶されていることに基づいて、前記特別報知を開始させる報知開始手段（監視側ＭＰＵ９１におけるステップＳ７０３の処理及びステップＳ８０９の処理を実行する機能）と、
予め定められた報知終了条件が成立したことに基づいて、前記特別報知を終了させる報知終了手段（監視側ＭＰＵ９１におけるステップＳ９０９の処理を実行する機能）と、
を備え、
前記要報知情報記憶手段に前記要報知情報が記憶された場合、当該要報知情報が記憶されていることに対する前記特別報知は、前記報知終了手段による終了対象に一旦なったとしても、予め定められた報知開始条件が成立した場合に再度開始されるよう構成されていることを特徴とする遊技機。
【０４１８】
特徴Ｂ１によれば、予め定められた報知開始条件が成立した場合には、同一の要報知情報を要因として第２の報知が再度実行される。これにより、所定の装置などに不正を施した者が、遊技ホールの管理者に対して報知が行われないようにするために、不正を施すのに合わせて特別報知を終了させたとしても、その際に解除条件が成立していないのであれば、特別報知が再度実行される。したがって、遊技ホールの管理者にとっては上記不正行為を発見し易くなる。
【０４１９】
特徴Ｂ２．予め定められた監視対象の事象が発生しているか否かを監視する監視実行手段（監視側ＭＰＵ９１における監視処理を実行する機能）と、
当該監視実行手段により前記監視対象の事象が発生していると特定された場合に要報知情報を記憶する要報知情報記憶手段（監視側ＲＡＭ１６２の報知用監視履歴記憶エリア１９２）と、
当該要報知情報記憶手段に前記要報知情報が記憶されていることに基づいて、報知手段において予め定められた特別報知が実行されるようにする報知実行手段（監視側ＭＰＵ９１における異常報知設定用処理、表示制御処理及び異常報知解除用処理を実行する機能）と、
を備え、
当該報知実行手段は、
前記要報知情報記憶手段に前記要報知情報が記憶されていることに基づいて、前記特別報知を開始させる報知開始手段（監視側ＭＰＵ９１におけるステップＳ７０３の処理及びステップＳ８０９の処理を実行する機能）と、
予め定められた報知終了条件が成立したことに基づいて、前記特別報知を終了させる報知終了手段（監視側ＭＰＵ９１におけるステップＳ９０９の処理を実行する機能）と、
を備え、
前記要報知情報記憶手段に前記要報知情報が記憶された場合、当該要報知情報が記憶されていることに対する前記特別報知は、前記報知終了手段による終了対象に一旦なったとしても、予め定められた解除条件が成立するまでは予め定められた報知開始条件が成立する度に再度開始されるよう構成されていることを特徴とする遊技機。
【０４２０】
特徴Ｂ２によれば、予め定められた解除条件が成立するまでは、予め定められた報知開始条件が成立する度に、同一の要報知情報を要因として第２の報知が繰り返し実行される。これにより、所定の装置などに不正を施した者が、遊技ホールの管理者に対して報知が行われないようにするために、不正を施すのに合わせて特別報知を終了させたとしても、その際に解除条件が成立していないのであれば、特別報知が再度実行される。したがって、遊技ホールの管理者にとっては上記不正行為を発見し易くなる。
【０４２１】
なお、前記要報知情報記憶手段に前記要報知情報が記憶されている状況において前記報知開始条件が成立した場合に、報知実行用情報を記憶する報知実行用情報記憶手段を備え、前記報知開始手段は、前記報知実行用情報記憶手段に前記報知実行用情報が記憶されている状況において前記特別報知が実行されていない場合に当該特別報知を開始させるものであり、前記報知終了手段は、前記報知終了条件が成立したことに基づいて、前記報知実行用情報記憶手段から前記報知実行用情報を消去するとともに、前記特別報知を終了させるものであり、さらに、前記解除条件が成立したことに基づいて、それまで報知対象となっていた前記要報知情報をその後に前記報知開始条件が成立したとしても報知対象とならないようにする報知対象解除手段を備えている構成としてもよい。
【０４２２】
特徴Ｂ３．前記特別報知を終了させる場合に終了情報を受け付ける終了受付手段を備え、
前記報知終了手段は、前記終了受付手段にて前記終了情報を受け付けた場合に前記報知終了条件が成立しているとして前記特別報知を終了させるものであることを特徴とする特徴Ｂ２に記載の遊技機。
【０４２３】
特徴Ｂ３によれば、遊技ホールの管理者にとっては、終了受付手段に終了情報を受け付けさせることで特別報知を終了させることができるため、かかる報知を終了させる場合の作業性が向上する。但し、このように特別報知を終了させる場合の作業性を向上させると、不正行為者にとっても特別報知を終了させ易くなる。これに対して、上記特徴Ｂ２の構成を備え、解除条件が成立するまでは、同一の要報知情報を要因として特別報知が開始されるため、仮に不正行為者によって特別報知が終了させられたとしても特別報知が再度開始されることで、遊技ホールの管理者にとって特別報知を確認する機会が生じる。
【０４２４】
特徴Ｂ４．前記報知実行手段は、
予め定められた解除許容状況において前記特別報知が実行されている場合に前記報知終了条件が成立することで、前記解除条件が成立していると判定する解除条件成立判定手段（監視側ＭＰＵ９１におけるステップＳ９１１の処理を実行する機能）と、
当該解除条件成立判定手段により前記解除条件が成立していると判定されたことに基づいて、それまで報知対象となっていた前記要報知情報をその後に前記報知開始条件が成立したとしても報知対象とならないようにする報知対象解除手段（監視側ＭＰＵ９１におけるステップＳ９１３の処理を実行する機能）と、
を備えていることを特徴とする特徴Ｂ２又は特徴Ｂ３に記載の遊技機。
【０４２５】
特徴Ｂ４によれば、監視対象の事象が発生して要報知情報が記憶された場合には、解除許容状況となるだけでは当該要報知情報は依然として報知対象に維持され、解除許容状況において特別報知が実行されるとともに当該特別報知について報知終了条件が成立することで当該要報知情報は報知対象ではなくなる。つまり、要報知情報が記憶された場合には少なくとも１回は特別報知が実行されるとともに、解除許容状況ではない状況で特別報知が開始されて当該特別報知が終了されたとしても、その後に少なくとも１回は特別報知が実行される。よって、遊技ホールの管理者にとって特別報知を確認する機会が高まり、不正行為が行われたとしてもそれを発見し易くなる。
【０４２６】
「解除許容状況」には、所定期間が含まれるとともに、キー操作や暗証番号入力がなされている状況も含まれる。
【０４２７】
特徴Ｂ５．前記解除許容状況は、前記要報知情報記憶手段に前記要報知情報が記憶されてから所定期間が経過している状況又は当該要報知情報に係る事象が発生してから所定期間が経過している状況のことであることを特徴とする特徴Ｂ４に記載の遊技機。
【０４２８】
特徴Ｂ５によれば、監視対象の事象が発生して要報知情報が記憶された場合、当該要報知情報が報知対象とならないようにするためには、当該要報知情報が記憶されてから所定期間が経過した後に又は当該要報知情報に係る事象が発生してから所定期間が経過した後に、特別報知の報知終了条件を成立させる必要が生じる。不正行為者が遊技機に対して不正を施した後に遊技ホールに居続けることは起こり難いと考えられるため、再報知の解除を不正行為者が行うことは困難なものとなる。
【０４２９】
なお、「所定期間が経過している状況」を特定する構成として具体的には、ＲＴＣやカウンタエリアといった計測手段を用いて所定期間の計測を行い、解除許容状況か否かの判定はかかる計測手段にて計測されている情報に基づいて行う構成としてもよい。
【０４３０】
特徴Ｂ６．前記監視実行手段における監視対象の事象は複数種類設定されており、
前記要報知情報記憶手段は複数の記憶領域を備えており、それら複数の記憶領域のそれぞれには、前記要報知情報として、所定の監視期間において前記監視実行手段により発生が特定された事象の種類の情報を含む情報が順次記憶される構成であり、
前記報知開始手段は、前記要報知情報記憶手段に複数種類の事象に関して報知対象の要報知情報が記憶されている場合には、前記報知開始条件が成立する度に、それら要報知情報に対応した全ての種類の事象についてそれら事象の種類の内容が分かる態様で前記特別報知を開始させるものであり、
前記報知対象解除手段は、前記要報知情報記憶手段に報知対象の要報知情報が記憶されている状況において前記監視実行手段により前記監視対象の事象の発生が新たに特定されて前記要報知情報記憶手段に新たな要報知情報が記憶された場合、当該新たな要報知情報が前記要報知情報記憶手段に記憶されてから所定期間が経過した状態で又は当該新たな要報知情報に係る事象が発生してから所定期間が経過した状態で当該新たな要報知情報が報知対象とならないように設定するまでは、既に記憶されていた報知対象の前記要報知情報を報知対象として維持するものであることを特徴とする特徴Ｂ４又は特徴Ｂ５に記載の遊技機。
【０４３１】
特徴Ｂ６によれば、遊技機に対して複数種の不正が施されたとしても、遊技ホールの管理者にとっては特別報知を確認することでそれらの不正の種類を個別に把握することができる。
【０４３２】
また、不正行為者が重度の不正を施した後に、他の監視対象の事象を発生させることが想定される。この場合、先に施した不正については特別報知が実行されないが、後に施した不正については特別報知が実行される構成を想定すると、遊技ホールの管理者が不正の本質を見誤ることが懸念される。これに対して、本特徴Ｂ６によれば、既に要報知情報が記憶されている状況において新たに要報知情報が記憶された場合には、当該新たな要報知情報が記憶されてから所定期間が経過した状態で又は当該新たな要報知情報に係る事象が発生してから所定期間が経過した状態で当該新たな要報知情報が報知対象とならないように設定されるまでは既に記憶されていた報知対象の要報知情報は報知対象として維持されるため、上記後に施した不正について特別報知が実行される場合には上記先に施した不正について特別報知が実行される。よって、遊技ホールの管理者が不正の本質を見誤る可能性が低減される。
【０４３３】
特徴Ｂ７．前記解除条件を変更可能な解除条件変更手段（監視側ＭＰＵ９１における終了基準変更処理を実行する機能）を備えていることを特徴とする特徴Ｂ２乃至特徴Ｂ６のいずれか１に記載の遊技機。
【０４３４】
特徴Ｂ７によれば、解除条件を変更することができるため、不正行為者にとっては解除条件に不規則性が生じ、解除条件の特定が行いづらくなる。
【０４３５】
特徴Ｂ８．前記解除条件変更手段は、前記要報知情報記憶手段に前記要報知情報が記憶されている状況においては前記解除条件の変更を不可とするものであることを特徴とする特徴Ｂ７に記載の遊技機。
【０４３６】
特徴Ｂ８によれば、不正行為者が遊技機に搭載された装置などに不正を施した後に解除条件を変更して特別報知が実行されないようにしようとする行為を阻止することが可能となる。
【０４３７】
特徴Ｂ９．遊技機自身に動作電力が供給されている場合に動作可能であり、所定の事象が発生しているか否かの監視制御を実行する第１監視制御手段（主側ＭＰＵ１２２）と、
当該第１監視制御手段において監視対象の事象が発生していると特定されたことに基づいて、予め定められた報知が実行されるようにする制御する報知制御手段と、
前記監視実行手段、前記要報知情報記憶手段及び前記報知実行手段を有し、前記第１監視制御手段及び前記報知制御手段とは物理的に独立して設けられた第２監視制御手段と、
を備え、
前記監視実行手段は、少なくとも遊技機自身に動作電力が供給されていない場合に前記監視対象の事象が発生しているか否かを監視するものであることを特徴とする特徴Ｂ２乃至Ｂ８のいずれか１に記載の遊技機。
【０４３８】
特徴Ｂ９によれば、第１監視制御手段が設けられていることにより、遊技機自身に動作電力が供給されている場合において所定の監視を行うことができるとともに、第２監視制御手段が設けられていることにより、遊技機自身に動作電力が供給されていない状況であっても所定の監視を行うことができる。また、第１監視制御手段と第２監視制御手段とが物理的に独立して設けられているため、これら両監視制御手段が同一の素子などとして設けられている構成に比べ、遊技機自身に動作電力が供給されていない状況で必要な動作電力の低電力化を図ることができる。
【０４３９】
なお、本特徴Ｂ９に対して、上記特徴Ａ５乃至Ａ１６、Ａ２５乃至Ａ３０のいずれか１において限定した構成を適用してもよい。この場合、「特別報知」は「第２の報知」に相当する。また、「第１報知手段」と「第２報知手段」とが別の「報知手段」であることは必須ではなく、「第１報知手段」と「第２報知手段」とが共通の「報知手段」であるものとして適用してもよい。
【０４４０】
特徴Ｃ１．遊技機自身に動作電力が供給されている場合に動作可能であり、所定の事象が発生しているか否かの監視制御を実行する第１監視制御手段（主側ＭＰＵ１２２）と、
前記第１監視制御手段において監視対象の事象が発生していると特定されたことに基づいて、予め定められた第１の報知が実行されるようにする報知制御手段（副側ＭＰＵ８５）と、
少なくとも遊技機自身に動作電力が供給されていない場合に動作可能であり、さらに前記所定の事象又は前記所定の事象とは異なる事象が発生しているか否かの監視制御を実行するとともに、監視対象の事象が発生していると特定したことに基づいて、予め定められた第２の報知が実行されるようにする第２監視制御手段（監視側ＭＰＵ９１）と、
を備え、
内部空間の開放に際して痕跡が残るように形成された又は当該内部空間の開放に際して痕跡を残す痕跡手段が設けられたボックス（基板ボックス８４）の前記内部空間に、前記第１監視制御手段又は前記報知制御手段の少なくとも一方を有する第１制御手段と前記第２監視制御手段を有する第２制御手段とが収容されていることを特徴とする遊技機。
【０４４１】
特徴Ｃ１によれば、第１監視制御手段が設けられていることにより、遊技機自身に動作電力が供給されている場合において所定の監視を行うことができるとともに、第２監視制御手段が設けられていることにより、遊技機自身に動作電力が供給されていない状況であっても所定の監視を行うことができる。また、第１監視制御手段及び報知制御手段と第２監視制御手段とが物理的に独立して設けられているため、これら手段が同一の素子などとして設けられている構成に比べ、遊技機自身に動作電力が供給されていない状況で必要な動作電力の低電力化を図ることができる。
【０４４２】
この場合に、前記第１監視制御手段又は報知制御手段の少なくとも一方を有する第１制御手段と第２監視制御手段を有する第２制御手段とが同一のボックスの内部空間に収容されているため、第１制御手段と第２制御手段との間に信号経路が存在する場合に、当該信号経路に不正を施そうとしてもそれが行いづらくなる。また、第２制御手段専用にボックスを設ける構成に比べ、ボックスの数を抑えることができるとともに、遊技機において制御用のボックスを設けるためのスペースの縮小化も図られる。特に、第１制御手段において第２制御手段が正常に動作しているか否かの監視が行われる構成や、第２制御手段における監視結果が第１制御手段を通じて第１報知手段にて実行される構成においては、第１制御手段と第２制御手段との間の信号経路に不正が行われる可能性があるが、本特徴Ｃ１の構成によれば、かかる不正行為を好適に抑制することが可能となる。
【０４４３】
特徴Ｃ２．前記第１制御手段は第１基板（副制御基板８２）に設けられているとともに、前記第２制御手段は第２基板（監視制御基板８３）に設けられていることを特徴とする特徴Ｃ１に記載の遊技機。
【０４４４】
特徴Ｃ２によれば、第１制御手段と第２制御手段とがそれぞれ別の基板に設けられていることにより、第１制御手段又は第２制御手段の一方に異常等が生じた場合には、その対応する基板のみを交換するだけで済む。
【０４４５】
特徴Ｃ３．前記第１基板に設けられた第１接続部と前記第２基板に設けられた第２接続部とが信号線を介することなく接続されていることにより、前記第１基板と前記第２基板とが電気的に接続されていることを特徴とする特徴Ｃ２に記載の遊技機。
【０４４６】
特徴Ｃ３によれば、第１基板と第２基板とが信号線を介することなく電気的に接続されているため、両基板間の信号経路に対して不正を施そうとしてもそれが行いづらくなる。
【０４４７】
特徴Ｃ４．前記第１制御手段が前記ボックスの外部に設けられたものとの間で信号の伝送を行うための信号線が接続されている第１接続部（信号線用コネクタ８８ｂに設けられた端子）と、前記第２制御手段が前記ボックスの外部に設けられたものとの間で信号の伝送を行うための信号線が接続されている第２接続部（信号線用コネクタ８８ｂに設けられた端子）とが、前記第１基板又は前記第２基板の一方に集約させて設けられていることを特徴とする特徴Ｃ２又はＣ３に記載の遊技機。
【０４４８】
特徴Ｃ４によれば、第１接続部と第２接続部とが、第１基板又は第２基板の一方に集約させて設けられているため、第２制御手段から送信される信号を伝送するための信号線に対して不正を行うべくそれを特定しようとしても、当該特定を行いづらくなる。
【０４４９】
特徴Ｃ５．前記第１接続部及び前記第２接続部は前記ボックスに形成された開口部（開口部１０５）を通じて当該ボックス外部に露出しており、
前記第１接続部及び前記第２接続部は前記第１基板に集約させて設けられていることを特徴とする特徴Ｃ４に記載の遊技機。
【０４５０】
特徴Ｃ５によれば、ボックスに第１接続部及び第２接続部をボックス外部に露出させるための開口部が形成された構成においては、当該開口部を通じてボックス内にリード線などを挿入して第２制御手段や第２基板に対して不正を施そうとする行為が想定される。これに対して、第１接続部及び第２接続部が第１基板に集約させて設けられているため、ボックス内にリード線などが挿入されたとしても、当該リード線が第２制御手段や第２基板に到達しづらくなる。
【０４５１】
特徴Ｃ６．前記第２監視制御手段は、所定の出力条件が成立した場合に自身が正常に動作していることを示す正常動作信号（報知有りコマンド又は報知無しコマンド）を出力するものであり、
前記第１制御手段は、前記正常動作信号が出力されているか否かを監視し、前記所定の出力条件が成立したにも関わらず前記正常動作信号が出力されない状況が発生した場合には所定の報知を行うための処理を実行する正常動作監視手段（副側ＭＰＵ８５におけるステップＳ１００７、ステップＳ１２０７〜ステップＳ１２０９の各処理を実行する機能）を備えていることを特徴とする特徴Ｃ１乃至Ｃ５のいずれか１に記載の遊技機。
【０４５２】
特徴Ｃ６によれば、第２監視制御手段が正常に動作しているか否かが、正常動作監視手段にて監視されるため、第２監視制御手段が正常に動作しないように不正が施されたとしても、それに対処することが可能となる。
【０４５３】
なお、上記特徴Ｃ１乃至Ｃ６のいずれか１に対して、上記特徴Ａ２乃至Ａ４、Ａ１１乃至Ａ３０のいずれか１において限定した構成を適用してもよい。この場合、「第１報知手段」と「第２報知手段」とが別の「報知手段」であることは必須ではなく、「第１報知手段」と「第２報知手段」とが共通の「報知手段」であるものとして適用してもよい。
【０４５４】
以下に、以上の各特徴を適用し得る各種遊技機の基本構成を示す。
【０４５５】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０４５６】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【図面の簡単な説明】
【０４５７】
【図１】第１の実施の形態におけるスロットマシンの斜視図である。
【図２】前面扉を開いた状態を示すスロットマシンの斜視図である。
【図３】前面扉の背面図である。
【図４】筐体の正面図である。
【図５】副制御装置の斜視図である。
【図６】副制御装置の分解斜視図である。
【図７】スロットマシンのブロック図である。
【図８】主側ＭＰＵにより実行されるタイマ割込み処理を示すフローチャートである。
【図９】メイン処理を示すフローチャートである。
【図１０】通常処理を示すフローチャートである。
【図１１】異常の監視及び監視結果の報知に関する電気的構成を示すブロック図である。
【図１２】（ａ）接続ユニットの構成を示す正面図であり、（ｂ），（ｃ）別の接続ユニットの構成を示す断面図である。
【図１３】（ａ）副側ＲＡＭの構成を示す説明図であり、（ｂ）監視側ＲＡＭの構成を示す説明図である。
【図１４】監視側ＭＰＵにより実行される通常処理を示すフローチャートである。
【図１５】監視処理を示すフローチャートである。
【図１６】時間等設定用処理を示すフローチャートである。
【図１７】異常報知設定用処理を示すフローチャートである。
【図１８】表示制御処理を示すフローチャートである。
【図１９】異常報知解除用処理を示すフローチャートである。
【図２０】副側ＭＰＵにより実行される通常処理を示すフローチャートである。
【図２１】通常時の異常報知設定用処理を示すフローチャートである。
【図２２】立ち上げ時の異常報知設定用処理を示すフローチャートである。
【図２３】報知解除用処理を示すフローチャートである。
【図２４】監視側ＭＰＵにて特定された異常に対する報知の様子を示すタイムチャートである。
【図２５】第２の実施の形態における異常報知設定用処理を示すフローチャートである。
【図２６】第３の実施の形態における終了基準変更処理を示すフローチャートである。
【符号の説明】
【０４５８】
１０…スロットマシン、１１…筐体、１２…前面扉、６３…演出用表示装置、８２…副制御基板、８３…監視制御基板、８４…基板ボックス、８５…副側ＭＰＵ、８８ｂ…信号線用コネクタ、９１…監視側ＭＰＵ、９３…電断中用電源部、１０５…開口部、１１１…報知用装置、１１４…決定操作部、１１５…選択操作部、１２２…主側ＭＰＵ、１５２…副側ＲＡＭ、１６２…監視側ＲＡＭ、１６３…ＲＴＣ、１７２…第１接続ユニット、１７３…第２接続ユニット、１９２…報知用監視履歴記憶エリア。
【図１】
2010005175.tif 000003
【図２】
2010005175.tif 000004
【図３】
2010005175.tif 000005
【図４】
2010005175.tif 000006
【図５】
2010005175.tif 000007
【図６】
2010005175.tif 000008
【図７】
2010005175.tif 000009
【図８】
2010005175.tif 000010
【図９】
2010005175.tif 000011
【図１０】
2010005175.tif 000012
【図１１】
2010005175.tif 000013
【図１２】
2010005175.tif 000014
【図１３】
2010005175.tif 000015
【図１４】
2010005175.tif 000016
【図１５】
2010005175.tif 000017
【図１６】
2010005175.tif 000018
【図１７】
2010005175.tif 000019
【図１８】
2010005175.tif 000020
【図１９】
2010005175.tif 000021
【図２０】
2010005175.tif 000022
【図２１】
2010005175.tif 000023
【図２２】
2010005175.tif 000024
【図２３】
2010005175.tif 000025
【図２４】
2010005175.tif 000026
【図２５】
2010005175.tif 000027
【図２６】
2010005175.tif 000028